(57)【要約】  光源と、通信インタフェースと、照明器具と相互作用することが可能である制御回路とを有する手持ち式デバイス。
2017505974.tif 000002
【特許請求の範囲】
【請求項１】
手持ち式デバイスであって、
光源と、
通信インタフェースと、
回路であって、
前記光源を介して光信号を提供し、
前記通信インタフェースを介して、複数の照明器具からの光レベル情報であって、前記複数の照明器具のうちの所定の照明器具についての光レベル情報が、前記光信号が前記所定の照明器具で受信された光レベルに関連する、光レベル情報を受信し、
前記光レベル情報に基づいて前記複数の照明器具のうちの被選択照明器具を選択するように構成される、回路と
を備える、手持ち式デバイス。
【請求項２】
請求項１に記載の手持ち式デバイスであって、
前記回路は、更に、前記光信号をモニターし始めるように前記複数の照明器具に指令することを意図される命令を前記前記通信インタフェースを介して送信するように構成される、手持ち式デバイス。
【請求項３】
請求項１に記載の手持ち式デバイスであって、
更に、ユーザインタフェースを備え、
前記回路は、更に、前記被選択照明器具が選択されると、前記ユーザインタフェースを介してユーザに指示を提供するように構成される、手持ち式デバイス。
【請求項４】
請求項１に記載の手持ち式デバイスであって、
更に、ユーザインタフェースを備え、
前記回路は、更に、前記ユーザインタフェースを介してユーザから入力を受信し、前記入力を受信することに応じて、前記光信号を提供するように構成される、手持ち式デバイス。
【請求項５】
請求項１に記載の手持ち式デバイスであって、
前記被選択照明器具を選択するために、前記回路は、更に、前記複数の照明器具の各々について前記光レベルを比較し、最も高い光レベルに関連する前記複数の照明器具のうちの１つを前記被選択照明器具として選択するように構成される、手持ち式デバイス。
【請求項６】
請求項１に記載の手持ち式デバイスであって、
前記回路は、更に、前記複数の照明器具の各々から識別子を受信するように構成される、手持ち式デバイス。
【請求項７】
請求項６に記載の手持ち式デバイスであって、
前記識別子は、アドレスである、手持ち式デバイス。
【請求項８】
請求項７に記載の手持ち式デバイスであって、
前記被選択照明器具を選択すると、前記回路は、更に、前記被選択照明器具のための前記アドレスを使用して前記被選択照明器具に命令を送信するように構成される、手持ち式デバイス。
【請求項９】
請求項７に記載の手持ち式デバイスであって、
前記被選択照明器具を選択すると、前記回路は、更に、前記被選択照明器具のための前記アドレスを使用して前記被選択照明器具に情報を送信するように構成される、手持ち式デバイス。
【請求項１０】
請求項１に記載の手持ち式デバイスであって、
前記回路は、更に、前記被選択照明器具の光出力レベルを、選択されていることを示すレベルに調整するように前記被選択照明器具に指令するように構成される、手持ち式デバイス。
【請求項１１】
請求項１に記載の手持ち式デバイスであって、
前記回路は、更に、
前記複数の照明器具から、前記被選択照明器具を含む複数の被選択照明器具を連続的に選択し、
前記複数の被選択照明器具についてグループを生成し、
前記複数の被選択照明器具の各々に、グループ割り当て情報であって、前記被選択照明器具の各々が属するグループを識別する、グループ割り当て情報を送信するように構成される、手持ち式デバイス。
【請求項１２】
請求項１１に記載の手持ち式デバイスであって、
前記回路は、更に、前記複数の被選択照明器具の各々の光出力レベルを、選択されると、選択されていることを示すレベルに移行するように前記複数の被選択照明器具の各々に指令するように構成される、手持ち式デバイス。
【請求項１３】
請求項１２に記載の手持ち式デバイスであって、
前記回路は、更に、前記複数の被選択照明器具の各々の光出力レベルを、選択されていることを示す前記レベルから、前記グループが生成された後の規定されたレベルに移行するように前記複数の被選択照明器具の各々に指令するように構成される、手持ち式デバイス。
【請求項１４】
請求項１１に記載の手持ち式デバイスであって、
前記回路は、更に、前記複数の被選択照明器具のうちの１つを選択し、前記複数の被選択照明器具のうちの前記選択された１つを前記グループから排除するように構成される、手持ち式デバイス。
【請求項１５】
請求項１４に記載の手持ち式デバイスであって、
前記回路は、更に、更新されたグループ割り当て情報を、前記グループの前記複数の被選択照明器具の各々に送信するように構成され、
前記更新されたグループ割り当て情報は、前記被選択照明器具の各々が属するグループを識別する、手持ち式デバイス。
【請求項１６】
請求項１１に記載の手持ち式デバイスであって、
前記回路は、更に、スイッチモジュールを選択し、前記スイッチモジュールを前記グループに付加し、前記グループ割り当て情報を前記スイッチモジュールに送信するように構成される、手持ち式デバイス。
【請求項１７】
請求項１に記載の手持ち式デバイスであって、
前記回路は、更に、
前記通信インタフェースを介して、スイッチ選択入力をモニターする命令を送信し、
前記命令と前記スイッチ選択入力との双方を受信したスイッチモジュールからスイッチ選択の指示を受信し、
前記スイッチモジュールを選択するように構成される、手持ち式デバイス。
【請求項１８】
請求項１７に記載の手持ち式デバイスであって、
前記回路は、前記スイッチモジュールから識別子を受信するように構成される、手持ち式デバイス。
【請求項１９】
請求項１８に記載の手持ち式デバイスであって、
前記識別子は、アドレスである、手持ち式デバイス。
【請求項２０】
請求項１９に記載の手持ち式デバイスであって、
前記スイッチモジュールを選択すると、前記回路は、更に、前記アドレスを使用して、前記スイッチモジュールに命令を送信するように構成される、手持ち式デバイス。
【請求項２１】
請求項１９に記載の手持ち式デバイスであって、
前記スイッチモジュールを選択すると、前記回路は、更に、前記アドレスを使用して、前記スイッチモジュールに情報を送信するように構成される、手持ち式デバイス。
【請求項２２】
手持ち式デバイスであって、
光源と、
通信インタフェースと、
回路であって、
前記光源を介して光信号を提供し、
前記光信号を受信した照明器具から情報を受信し、
前記情報を受信したことに基づいて前記照明器具を被選択照明器具として選択するように構成される、回路と
を備える、手持ち式デバイス。
【請求項２３】
請求項２２に記載の手持ち式デバイスであって、
前記情報は、前記被選択照明器具のための識別子を含む、手持ち式デバイス。
【請求項２４】
請求項２３に記載の手持ち式デバイスであって、
前記識別子は、アドレスである、手持ち式デバイス。
【請求項２５】
請求項２４に記載の手持ち式デバイスであって、
前記被選択照明器具を選択すると、前記回路は、更に、前記被選択照明器具のための前記アドレスを使用して前記被選択照明器具に命令を送信するように構成される、手持ち式デバイス。
【請求項２６】
請求項２４に記載の手持ち式デバイスであって、
前記被選択照明器具を選択すると、前記回路は、更に、前記被選択照明器具のための前記アドレスを使用して前記被選択照明器具に情報を送信するように構成される、手持ち式デバイス。
【請求項２７】
請求項２２に記載の手持ち式デバイスであって、
前記回路は、更に、
前記通信インタフェースを介して、スイッチ選択入力をモニターする命令を送信し、
前記命令と前記スイッチ選択入力との双方を受信したスイッチモジュールからスイッチ選択の指示を受信し、
前記スイッチモジュールを選択するように構成される、手持ち式デバイス。
【請求項２８】
請求項２７に記載の手持ち式デバイスであって、
前記回路は、前記スイッチモジュールから識別子を受信するように構成される、手持ち式デバイス。
【請求項２９】
請求項２８に記載の手持ち式デバイスであって、
前記識別子は、アドレスである、手持ち式デバイス。
【請求項３０】
請求項２９に記載の手持ち式デバイスであって、
前記スイッチモジュールを選択すると、前記回路は、更に、前記アドレスを使用して前記スイッチモジュールに命令を送信するように構成される、手持ち式デバイス。
【請求項３１】
請求項２９に記載の手持ち式デバイスであって、
前記スイッチモジュールを選択すると、前記回路は、更に、前記アドレスを使用して前記スイッチモジュールに情報を送信するように構成される、手持ち式デバイス。
【請求項３２】
コンピュータで読み取り可能な媒体であって
光源と、通信インタフェースとを有する手持ち式デバイスの制御回路に、
前記光源を介して光信号を提供させ、
前記通信インタフェースを介して、複数の照明器具からの光レベル情報であって、前記複数の照明器具のうちの所定の照明器具についての光レベル情報が、前記光信号が前記所定の照明器具で受信された光レベルに関連する、光レベル情報を受信させ、
前記光レベル情報に基づいて前記複数の照明器具のうちの被選択照明器具を選択させる命令を備える、コンピュータで読み取り可能な媒体。
【請求項３３】
請求項３２に記載のコンピュータで読み取り可能な媒体であって、
前記命令は、更に、前記制御回路に、
前記複数の照明器具から、前記被選択照明器具を含む複数の被選択照明器具を連続的に選択させ、
前記複数の被選択照明器具についてグループを生成させ、
前記複数の被選択照明器具の各々に、グループ割り当て情報であって、前記被選択照明器具の各々が属する前記グループを識別するグループ割り当て情報を送信させるように構成される、コンピュータで読み取り可能な媒体。
【請求項３４】
請求項３３に記載のコンピュータで読み取り可能な媒体であって、
前記命令は、更に、前記制御回路に、前記複数の被選択照明器具の各々の光出力レベルを、選択されると、選択されていることを示すレベルに移行するように、前記複数の被選択照明器具の各々に指令させるように構成される、コンピュータで読み取り可能な媒体。
【請求項３５】
請求項３４に記載のコンピュータで読み取り可能な媒体であって、
前記命令は、更に、前記制御回路に、前記複数の被選択照明器具の各々の光出力レベルを、選択されていることを示す前記レベルから、前記グループが生成された後の規定されたレベルに移行するように、前記複数の被選択照明器具の各々に指令させるように構成される、コンピュータで読み取り可能な媒体。
【請求項３６】
請求項３３に記載のコンピュータで読み取り可能な媒体であって、
前記命令は、更に、前記制御回路に、前記複数の被選択照明器具のうちの１つを選択させ、前記複数の被選択照明器具のうちの前記選択された１つを前記グループから排除させるように構成される、コンピュータで読み取り可能な媒体。
【請求項３７】
請求項３３に記載のコンピュータで読み取り可能な媒体であって、
前記命令は、更に、前記制御回路に、スイッチモジュールを選択させ、前記スイッチモジュールを前記グループに付加させ、前記グループ割り当て情報を前記スイッチモジュールに送信させるように構成される、コンピュータで読み取り可能な媒体。
【発明の詳細な説明】
【発明の詳細な説明】
【０００１】
［開示分野］
本願は、照明器具と相互作用することが可能な手持ち式デバイスに関する。
［背景］
近年、白熱電球をより効率的な照明技術を使用する照明器具と置換すると共に、比較的効率的な蛍光灯照明器具を、より快適で自然な光を生成する照明技術と置換する動きが勢いを増してきた。とてつもない将来性を示す１つのこうした技術は、発光ダイオード（ＬＥＤ）を使用する。白熱電球と比較して、ＬＥＤを基にした照明器具は、電気エネルギーを光に変換するのにずっと効率的であり、より長く持ち、また、非常に自然である光を生成することが可能である。蛍光灯照明と比較して、ＬＥＤを基にした照明器具は、同様に、非常に効率的であるが、ずっと自然である光を生成することが可能であり、更に、色を正確にレンダリングすることがより可能である。結果として、ＬＥＤ技術を使用する照明器具は、居住、商業、及び産業用途で白熱電球及び蛍光灯を置換することを期待される。
【０００２】
フィラメントを所望の電流にさらすことによって動作する白熱電球と違って、ＬＥＤを基にした照明器具は、１つ又は複数のＬＥＤを駆動する電子機器を必要とする。電子機器は、一般的に、電源、及び、１つ又は複数のＬＥＤを所望の方式で駆動するために必要とされるユニークに構成された信号を提供する特別な制御回路を含む。制御回路の存在は、おそらくはかなりのレベルのインテリジェンスを照明器具に付加し、照明器具は、種々の種類の照明制御を使用するために活用され得る。
【０００３】
従来の又はＬＥＤを基にした照明器具のための照明制御システムは、一般的に、照明器具のグループを制御する中央コントローラを使用する。中央コントローラは、グループ内の照明器具の各々にコマンド又は信号を送信するように構成され、照明器具は、コマンド又は信号に応じて、ターンオン又はターンオフしたり、所望のレベルまで調光する等を行うことになる。したがって、照明制御決定は、中央コントローラによって受信される入力に基づいて中央コントローラによって行われ、照明器具は、これらの照明制御決定に応じて、制御されるだけである。
［概要］
光源と、通信インタフェースと、制御回路とを有する手持ち式デバイスが述べられる。
【０００４】
一実施形態において、回路は、光源を介して光信号を提供し、通信インタフェースを介して複数の照明器具から光レベル情報を受信するように構成され、所定の照明器具についての光レベル情報は、光信号が所望の照明器具で受信された光レベルに関連する。回路は、更に、光レベル情報に基づいて被選択照明器具を選択するように構成される。回路は、同様に、光信号をモニターし始めるように複数の照明器具に指令することを意図される命令を通信インタフェースを介して送信してもよい。
【０００５】
別の実施形態において、回路は、光源を介して光信号を提供し、光信号を受信した照明器具から情報を受信し、情報を受信することに基づいて、照明器具を被選択照明器具として選択するように構成される。情報は、被選択照明器具のための識別子を含んでもよい。識別子はアドレスであってもよい。
【０００６】
当業者は、添付図面に関連して以下の詳細な説明を読んだ後に、本開示の範囲を理解し、本開示の更なる局面を認識するであろう。
【図面の簡単な説明】
【０００７】
本明細書に援用され、本明細書の一部を形成する添付図面は、本開示の幾つかの局面を図示し、説明と共に、本開示の原理を説明するのに役立つ。
【図１】本開示の一実施形態に係る反射板を基にした照明器具の斜視図である。
【図２】図１の照明器具の断面図である。
【図３】光が、どのように照明器具のＬＥＤから発せられ、照明器具のレンズを通して外に反射されるかを図示する図１の照明器具の断面図である。
【図４】図１の照明器具の電子機器ハウジング内に統合されたドライバモジュール及び通信モジュールを図示している。
【図５】本開示の一実施形態に係る、図１の照明器具の電子機器ハウジング内に設けられるドライバモジュール及び電子機器ハウジングの外部に接続された関連ハウジング内の通信モジュールを図示している。
【図６】例示的なフロアプランのための照明システムを図示している。
【図７】図６に図示された照明システムのための投光データを図示する表である。
【図８Ａ】各部屋から廊下に入る扉が開口している状態で投光プロセスが提供されるときの、図６に図示されたフロアプランのための例示的なゾーンを図示している。
【図８Ｂ】各部屋から廊下に入る扉が開口している状態で投光プロセスが提供されるときの、図６に図示されたフロアプランのための例示的なゾーンを図示している。
【図８Ｃ】各部屋から廊下に入る扉が開口している状態で投光プロセスが提供されるときの、図６に図示されたフロアプランのための例示的なゾーンを図示している。
【図８Ｄ】各部屋から廊下に入る扉が開口している状態で投光プロセスが提供されるときの、図６に図示されたフロアプランのための例示的なゾーンを図示している。
【図８Ｅ】各部屋から廊下に入る扉が開口している状態で投光プロセスが提供されるときの、図６に図示されたフロアプランのための例示的なゾーンを図示している。
【図９】本開示の一実施形態に係るグループ化プロセスを図示する通信フロー図である。
【図１０】照明システムの照明器具の間におけるセンサデータの共有を図示する通信フロー図である。
【図１１】照明システム内でのセンサデータの共有及び命令の生成を図示する通信フロー図である。
【図１２】照明システム内での命令の中継と命令を修正する能力との双方を図示する通信フロー図である。
【図１３Ａ】各ゾーンが周囲光の存在に基づいて異なる出力レベルを有し得る３つの別個のゾーンを有する照明システムを図示する。
【図１３Ｂ】周囲光の存在に基づいて光出力の勾配が存在する照明システムを図示する。
【図１４】本開示の一実施形態に係る照明システムのブロック図である。
【図１５】本開示の第１の実施形態に係る例示的なＬＥＤの断面図である。
【図１６】本開示の第２の実施形態に係る例示的なＬＥＤの断面図である。
【図１７】本開示の一実施形態に係るドライバモジュール及びＬＥＤアレイの概略図である。
【図１８】本開示の一実施形態に係る通信モジュールのブロック図である。
【図１９】本開示の第１の実施形態に係る照明器具のブロック図である。
【図２０】本開示の第２の実施形態に係る照明器具のブロック図である。
【図２１】ドライバモジュール及び通信モジュールの機能が統合された照明システムのブロック図である。
【図２２】本開示の一実施形態に係る独立型センサモジュールのブロック図である。
【図２３】本開示の一実施形態に係るコミッショニングツールのブロック図である。
【図２４】本開示の一実施形態に係るスイッチモジュールのブロック図である。
【図２５】本開示の一実施形態に係るスマート器具のブロック図である。
【図２６】屋内ＲＦ通信モジュールのブロック図である。
【図２７】本開示の一実施形態に係る屋外ＲＦ通信モジュールを図示している。
【図２８】本開示の一実施形態に係る、スマート器具と屋内ＲＦ通信モジュールとを備える照明器具のブロック図である。
【図２９】本開示の一実施形態に係る、スマート器具と、屋内ＲＦ通信モジュールと、器具センサモジュールとを備える照明器具のブロック図である。
【図３０】本開示の一実施形態に係る無線センサのブロック図である。
【図３１】本開示の一実施形態に係るレガシー器具を駆動することが可能な無線中継モジュールのブロック図である。
【図３２】本開示の一実施形態に係る無線スイッチのブロック図である。
【図３３】本開示の一実施形態に係る、調整器を選択するための反復的プロセスを図示する通信フロー図である。
【図３４】本開示の別の実施形態に係る、調整器を選択するための反復的プロセスを図示する通信フロー図である。
【図３５Ａ】本開示の別の実施形態に係る、調整器を選択するための反復的プロセスを図示する通信フロー図である。
【図３５Ｂ】本開示の別の実施形態に係る、調整器を選択するための反復的プロセスを図示する通信フロー図である。
【図３５Ｃ】本開示の別の実施形態に係る、調整器を選択するための反復的プロセスを図示する通信フロー図である。
【図３６】本開示の一実施形態に係る例示的な照明器具のブロック図である。
【図３７】第１の照明システム構成についてのルーティング図を図示している。
【図３８】第２の照明システム構成についてのルーティング図を図示している。
【図３９】第３の照明システム構成についてのルーティング図を図示している。
【図４０】本開示の第２の実施形態に係る代替の照明器具構成である。
【図４１】スペアペア電力供給の実施形態におけるＰＯＥインタフェースアーキテクチャを図示している。
【図４２】ファントム電力の実施形態におけるＰＯＥインタフェースアーキテクチャを図示している。
【図４３】照明器具がＰＯＥ  ＰＤデバイスとして働く照明ネットワーク環境である。
【図４４】ＰＯＥ  ＰＤデバイスとして構成される照明器具を図示している。
【図４５】照明器具がＰＯＥ  ＰＳＥデバイスとして働く照明ネットワーク環境である。
【図４６】ＰＯＥ  ＰＳＥデバイスとして構成される照明器具を図示している。
【図４７】一実施形態に係る、デバイスを構成モードに設定するためのプロセスを図示しているフロー図である。
【図４８】一実施形態に係る、照明器具を選択するためのプロセスを図示するフロー図である。
【図４９】一実施形態に係る、スイッチモジュールを選択するためのプロセスを図示するフロー図である。
【図５０Ａ】一実施形態に係る、新しい制御グループを生成するためのプロセスを図示するフロー図である。
【図５０Ｂ】一実施形態に係る、新しい制御グループを生成するためのプロセスを図示するフロー図である。
【図５１】一実施形態に係る、新しい占有グループを生成するためのプロセスを図示するフロー図である。
【図５２】一実施形態に係る、制御グループを統合するためのプロセスを図示するフロー図である。
【図５３】一実施形態に係る、占有グループを統合するためのプロセスを図示するフロー図である。
【図５４Ａ】一実施形態に係る、制御グループにデバイスを付加するためのプロセスを図示するフロー図である。
【図５４Ｂ】一実施形態に係る、制御グループにデバイスを付加するためのプロセスを図示するフロー図である。
【図５５Ａ】一実施形態に係る、占有グループにデバイスを付加するためのプロセスを図示するフロー図である。
【図５５Ｂ】一実施形態に係る、占有グループにデバイスを付加するためのプロセスを図示するフロー図である。
【図５６】一実施形態に係る、占有グループにおいて設定を変更するためのプロセスを図示するフロー図である。
【図５７】一実施形態に係る、デバイスをグループ化解除するためのプロセスを図示するフロー図である。
【図５８】一実施形態に係る、占有モードと空モードとの双方における照明器具の動作を図示する状態図である。
【図５９】一実施形態に係る、制御グループ及び占有グループを重ね合わせることを図示する図である。
【発明を実施するための形態】
【０００８】
［詳細な説明］
以下で述べる実施形態は、当業者が本開示を実施することを可能にし、本開示を実施する最良形態を示すために必要な情報を示す。添付図面を考慮して以下の説明を読むと、当業者は、本開示の概念を理解し、本明細書で特に述べられない概念の適用を認識するであろう。これらの概念及び適用が本開示及び添付の請求項の範囲内に入ることが理解されるべきである。
【０００９】
例えば「前の」、「前方の」、「後の」、「真下の」、「真上の」、「上側の」、「下側の」、「水平の」、又は「垂直の」等の相対的用語は、図に図示されるように、１つの要素、層、又は領域と別の要素、層、又は領域との関係を述べるために、本明細書で使用され得る。これらの用語は、図面に示す配向に加えて、デバイスの異なる配向を包含することを意図されることが理解される。
【００１０】
本開示は、ネットワークにおける照明器具の制御が照明器具の間で分散され得る照明ネットワークに関する。照明器具は、異なる照明ゾーンに関連するグループに分割され得る。照明器具の少なくとも幾つかは、例えば占有センサ、周囲光センサ等のような１つ又は複数のセンサを有するか又はそれに関連することになる。全体的な照明ネットワーク又は種々の照明ゾーン内で、照明器具は、センサからのセンサデータを共有し得る。各照明器具は、当該照明器具自体のセンサ、リモート独立型センサ、又は照明器具によって提供されるセンサデータを処理し、また、照明器具自体の内部ロジックに従ってセンサデータを処理して、照明器具の動作を制御してもよい。照明器具はまた、他の照明器具、制御ノード、光スイッチ、及びコミッショニングツールから制御入力を受信してもよい。制御入力は、内部ロジックに従ってセンサデータと共に処理されて、照明器具の制御を更に高めてもよい。
【００１１】
したがって、本開示の照明ネットワークの制御は、各照明器具が本質的に照明ネットワークから独立して動作するように分散化されてもよい。しかしながら、照明器具の各々における内部ロジックは、照明器具がグループとして協調して動作し得るように構成される。協調して動作しながら、各照明器具は、特定の照明用途についての目標に応じて異なる方法で動作してもよい。照明器具はまた、提示されるあらゆるユーザ入力に応答してもよい。
【００１２】
例えば、スイッチが使用されて、特定のゾーン内の照明器具の全てをターンオンしてもよい。しかしながら、種々の照明器具によって提供される光の量は、存在する周囲光の量又は照明ゾーンの異なるエリア内の相対的占有率に基づいて照明器具ごとに変動し得る。窓に近い照明器具は、内壁に近い照明器具に比べて少ない光又は異なる色又は異なる色温度の光を提供し得る。更に、人々に近い照明器具又はより大きなグループの人々に近接する照明器具は、他の照明器具に対してより多くの光又は異なる色又は異なる色温度の光を提供し得る。例えば、長い廊下では、占有者の存在は、通路グループの照明器具をターンオンする可能性があるだけでなく、種々の器具についての調光レベルを決定する可能性があるため、１人の占有者（複数の占有者）のすぐ周りのエリア（又は複数のエリア）がより高い光レベルを有しながら、廊下全体は、低い光レベルで点灯される。より多くの占有者を有するエリアは、より少ない又はより多くの占有者を有するエリアより高い光出力を有する可能性がある。移動速度もまた、相対的光出力レベルを決定する可能性がある。
【００１３】
従来の照明制御システムは、中央コントローラに依存して、遠くから全ての決定を行い、種々の照明器具を制御する。本開示の分散型制御アプローチはそのように限定されない。中央コントローラが使用され得るが、中央コントローラからのコマンドは、各照明器具の内部ロジックによって考慮される提案又は単なる別の入力として扱われ得る。本開示にとって特にユニークであるのは、照明器具の間でセンサデータを共有する能力である。センサデータを共有することができることは、協調方式でグループとして動作するように照明器具を別途独立に機能させることを可能にする。
【００１４】
例えば、照明ゾーン内の各照明器具は、それ自体の周囲光の測定値を取得し得るが、それ自体の周囲光の測定値だけに作用するではなく、周囲光の測定値が、そのグループ内の他の照明器具と共有される。照明ゾーン内の照明器具の全てが、それらの周囲光の測定値を共有すると、各照明器具は、グループ全体からの周囲光の測定値に基づいて平均又は最小光出力を独立して決定できる。したがって、そのグループ内の照明器具は、互いから独立して動作しながら互いに一貫性があるようにそれらの出力を調整することになる。
【００１５】
本開示の詳細を掘り下げる前に、分散型照明制御システムが使用され得る例示的な照明器具の概要が述べられる。本開示の概念は、任意の型の照明システムで使用され得るが、直ぐ後に続く説明は、例えば図１〜３に図示される照明器具１０等の反射板型照明器具においてこれらの概念を述べる。開示される照明器具１０は、光が、最初に光源から上方に放出され、次に下方に反射される間接照明構成を採用するが、直接照明構成もまた、本開示の概念を利用し得る。反射板型照明器具に加えて、本発明の概念は、埋め込み型照明構成、壁取付け照明構成、屋外照明構成等において使用され得る。同時係属中でかつ同一譲受人に譲渡された、２０１３年８月２０日に出願された米国特許出願第１３／５８９，８９９号、２０１２年１０月１１日に出願された米国特許出願第１３／６４９，５３１号、及び２０１２年９月７日に出願された米国特許出願第１３／６０６，７１３号に対して参照が行われ、それらの内容は、参照によりそれらの全体が本明細書に援用される。更に、以下で述べる機能及び制御技法が使用されて、異なる型の照明器具並びに同じか又は異なる型の照明器具の異なるグループを同時に制御してもよい。
【００１６】
一般的に、例えば照明器具１０等の反射板型照明器具は、天井に取り付けるように設計される。ほとんどの用途では、反射板型照明器具は、商業施設、教育施設、又は官公庁施設の吊り天井（図示せず）に取り付けられる。図１〜３に図示されるように、照明器具１０は、正方形又は長方形の外側フレーム１２を含む。照明器具１０の中央部分には、２つの長方形レンズ１４が存在し、長方形レンズ１４は、一般的に、透明、半透明、又は不透明である。反射体１６は、外側フレーム１２からレンズ１４の外側エッジまで延在する。レンズ１４は、反射体１６の最も内側の部分の間で細長いヒートシンク１８まで有効に延在し、ヒートシンク１８は、レンズ１４の２つの内側エッジを接合するように機能する。
【００１７】
ここで特に図２及び３を見ると、ヒートシンク１８の後側は、ＬＥＤアレイ２０のための取り付け構造を提供し、ＬＥＤアレイ２０は、適切な基板上に取り付けられた個々のＬＥＤの１つ又は複数の列を含む。ＬＥＤは、凹状カバー２２に向かって上方に光を主に放出するように配向される。カバー２２、レンズ１４、及びヒートシンク１８の後部を境界とする体積は、混合チャンバ２４を提供する。したがって、光は、図３に図示されるように、ＬＥＤアレイ２０のＬＥＤからカバー２２に向かって上方に発せられ、それぞれのレンズ１４を通過するように下方に反射されることになる。特に、１回の反射で、ＬＥＤから放出される光線全てが、カバー２２の底部から直接反射し、特定のレンズ１４を通過しないであろう。光線の多くは、混合チャンバ２４内で跳ね返り、他の光線と効果的に混合することになり、それにより、好ましくは均一な光がそれぞれのレンズ１４を通して放出される。
【００１８】
多くの変数の中でもとりわけ、レンズ１４の型、ＬＥＤの型、カバー２２の形状、及びカバー２の底側上の任意のコーティングが、照明器具１０によって放出される光の量及び品質に影響を及ぼすことになることを当業者は認識するであろう。以下でより詳細に論じることになるように、ＬＥＤアレイ２０は、異なる色のＬＥＤを含んでもよく、種々のＬＥＤから放出される光は、共に混合されて、特定の実施形態のための設計パラメータに基づく所望の色温度及び品質を有する白色光を形成する。
【００１９】
図２及び３から明らかであるように、ヒートシンク１８の細長いフィンが、照明器具１０の底部から視認され得る。ヒートシンク１８の上側に沿って熱接触した状態でＬＥＤアレイ２０のＬＥＤを設置することによって、ＬＥＤによって生成されるいかなる熱も、ヒートシンク１８の底側の細長いフィンに効率的に伝達されて、照明器具１０が取り付けられる部屋内で消散することができる。やはり、図１〜３に図示される照明器具１０の特定の構成は、本開示の概念が適用可能である照明器具１０のための事実上無限の構成の中の１つに過ぎない。
【００２０】
引き続き図２及び３を参照すると、電子機器ハウジング２６が、照明器具の一端に取り付けられて示され、ＬＥＤアレイ２０に電力供給し、ＬＥＤアレイ２０を制御するために使用される電子機器の全て又は一部を収容するのに使用される。これらの電子機器は、適切なケーブル配線２８を通してＬＥＤアレイ２０に接続される。図４を参照すると、電子機器ハウジング２６内に設けられる電子機器は、ドライバモジュール３０及び通信モジュール３２に分割され得る。
【００２１】
高いレベルでは、ドライバモジュール３０は、ケーブル配線２８を通してＬＥＤアレイ２０に接続され、通信モジュール３２によって提供される制御情報に基づいてＬＥＤアレイ２０のＬＥＤを直接駆動する。ドライバモジュール３０は、照明器具１０のためのインテリジェンスを提供し、ＬＥＤアレイ２０のＬＥＤを所望の方式で駆動することが可能である。ドライバモジュール３０は、設計者の要求に応じて、単一の統合モジュール上に設けられ得るか、又は、２つ以上のサブモジュールに分割され得る。
【００２２】
通信モジュール３２は、インテリジェント通信インタフェースとして動作し、ドライバモジュール３０と、他の照明器具１０、又はリモート制御システム（図示せず）、又は、有線又は無線方式でリモート制御システムと通信するようにも構成され得る可搬型で手持ち式のコミッショニングツールとの間の通信を促進する。コミッショニングツールは、照明ネットワークのコミッショニングを含む種々の機能のために使用され得るコミッショニングツール３６として本明細書で参照される。先に述べたように、これらの通信は、照明ネットワークにおける種々の照明器具１０の間でのセンサデータ、命令、及びあらゆる他のデータの共有を含み得る。本質的に、通信モジュール３２は、照明器具１０の間でのインテリジェンス及びデータの共有を調整するように機能する。
【００２３】
図４の実施形態では、通信モジュール３２は、ドライバモジュール３０と別のプリント回路基板（ＰＣＢ）上に実装され得る。ドライバモジュール３０及び通信モジュール３２のそれぞれのＰＣＢは、通信モジュール３２のコネクタがドライバモジュール３０のコネクタに差し込まれることを可能にするように構成されてもよく、通信モジュール３２のコネクタがドライバモジュール３０の嵌め合いコネクタに差し込まれると、通信モジュール３２は、ドライバモジュール３０に機械的に取り付けられるか又は固着される。
【００２４】
他の実施形態では、ドライバモジュール３０及び通信モジュール３２のそれぞれのコネクタを接続するのにケーブルが使用されてもよく、通信モジュール３２をドライバモジュール３０に物理的に接続するのに他の取り付け機構が使用されてもよく、又は、ドライバモジュール３０及び通信モジュール３２は、電子機器ハウジング２６の内側に別々に固着されてもよい。こうした実施形態では、電子機器ハウジング２６の内部は、ドライバモジュール３０と通信モジュール３２との双方を収容するように適切に寸法決めされる。多くの事例では、電子機器ハウジング２６は、ドライバモジュール３０と通信モジュール３２との双方のためのプレナム定格格納容器を提供する。
【００２５】
図４の実施形態によって、通信モジュール３２を追加すること又は置換することは、電子機器ハウジング２６の内部にアクセスすることを必要とする。これが望ましくない場合、ドライバモジュール３０は、電子機器ハウジング２６内に単独で設けられてもよい。通信モジュール３２は、電子機器ハウジング２６の外側に露出方式で取り付けられてもよいし、又は、図５に示すように電子機器ハウジング２６の外側に直接的に又は間接的に接続され得る補助ハウジング３４内に取付けられてもよい。補助ハウジング３４は、電子機器ハウジング２６にボルト留めされてもよい。補助ハウジング３４は、代替的に、スナップフィット又はフック及びスナップ機構を使用して電子機器ハウジングに接続されてもよい。補助ハウジング３４は、単独で又は電子機器ハウジング２６の外面に接続されると、プレナム定格格納容器を提供し得る。
【００２６】
電子機器ハウジング２６及び補助ハウジング３４がプレナム定格格納容器内に取付けられることになる実施形態では、補助ハウジング３４が、プレナム定格である必要がない場合がある。更に、通信モジュール３２は、通信モジュール３２内に設けられる電子機器の性質、照明器具１０がどのようにまたどこに取り付けられることになるか等に応じて、補助ハウジング３４についての必要性がない状態で電子機器ハウジング２６の外部に直接取り付けられてもよい。通信モジュール３２が電子機器ハウジング２６の外側に取り付けられる後者の実施形態は、通信モジュール３２が、他の照明器具１０、リモート制御システム、あるいは他のネットワーク又は付属デバイスとの無線通信を促進するときに有益であることを証明し得る。本質的に、ドライバモジュール３０は、無線通信に対して導電性でない場合があるプレナム定格電子機器ハウジング２６に設けられてもよい。通信モジュール３２は、それ自体で電子機器ハウジング２６の外側に、又は、無線通信に対してより導電性がある補助ハウジング３４内に取り付けられてもよい。ケーブルは、規定された通信インタフェースに従ってドライバモジュール３０と通信モジュール３２との間に設けられてもよい。
【００２７】
電子機器ハウジング２６の外側への通信モジュール３２の取り付けを使用する実施形態は、費用効果性が多少低い可能性があるが、通信モジュール３２又は他の付属デバイスが照明器具１０に追加される、補修される、又は置換されることを可能にするときのかなりの柔軟性を提供し得る。通信モジュール３２のための補助ハウジング３４は、プレナム定格プラスチック又は金属で作られてもよく、スナップ、ネジ、ボルト、又は同様なものを通して電子機器ハウジング２６に容易に取り付けられると共に、通信モジュール３２を容易に受容するように構成されてもよい。通信モジュール３２は、スナップフィット、ネジ、ツイストロック等を通して補助ハウジング３４の内側に取り付けられてもよい。通信モジュール３２をドライバモジュール３０に接続するために使用されるケーブル配線及びコネクタは、ＲＪ４５コネクタ、エッジカードコネクタ、ブラインドメイトコネクタ対、ターミナルブロック及び個々のワイヤ、並びに同様なものを有する標準的カテゴリ５（ｃａｔ５）ケーブル等を有する入手可能なあらゆる形態をとり得る。ドライバモジュール３０を含む電子機器ハウジング２６に対して外部取り付け式通信モジュール３２を有することによって、所定のドライバモジュール３０について異なる型の通信モジュール３２の容易な現場設置を行うことができる。
【００２８】
一実施形態では、照明器具１０の能力は、照明器具１０が異なる照明ゾーンに容易にグループ化されることを可能にする。図６を参照して、１８個の天井取り付け式照明器具１０が存在すると仮定する。１８個の天井取り付け式照明器具１０は、照明器具Ａ〜Ｒとして一意に参照され、フロアプランＦＰ１の異なる部屋ＲＭ１〜ＲＭ４及び廊下ＨＷ１内に設置される。
【００２９】
具体的には、照明器具Ａは部屋ＲＭ１内に存在し、照明器具Ｂ〜Ｅは部屋ＲＭ２内に存在し、照明器具Ｉ、Ｊ、Ｌ、Ｍ、Ｑ、及びＲは部屋ＲＭ３内に存在し、照明器具Ｎ及びＯは部屋ＲＭ４内に存在し、照明器具Ｆ、Ｇ、Ｈ、Ｋ、及びＰは廊下ＨＷ１内に存在する。廊下ＨＷ１からそれぞれの部屋ＲＭ１〜ＲＭ４の各々に入る扉が閉鎖され、照明器具Ａ〜Ｒが、投光プロシージャを使用して５つの一意の照明ゾーンにグループ化され得ると仮定する。投光プロシージャ中に、１つの照明器具Ａ〜Ｒは、その光出力を調整又は調節することになる一方、他の照明器具Ａ〜Ｒは、最初の照明器具Ａ〜Ｒの調整された又は調節された光出力をモニター又は検出しようとする。
【００３０】
調節された又は調整された投光信号が、種々の照明器具Ａ〜Ｒ内に設けられるか又は種々の照明器具Ａ〜Ｒに関連付けられる周囲光センサによって検出可能な、例えば赤外線光信号等の可視又はほぼ可視の信号であると仮定する。最初に、照明器具Ａが可視又はほぼ可視の投光信号を放出する一方、残りの照明器具Ｂ〜Ｒがそれらの周囲光センサをモニターして、統合されるか又は関連付けられた周囲光センサによって受信される投光信号の相対的強度を検出すると仮定する。やはり、部屋ＲＭ１と廊下ＨＷ１との間の扉が閉鎖され、他の照明器具Ａ〜Ｒはどれも、照明器具Ａによって提供される投光信号を検出せず、ひいては、照明器具Ａが単独でグループ化されることになると仮定する。次に、照明器具Ｂが投光信号を提供し、照明器具Ａ及びＣ〜Ｒが、照明器具Ｂによって提供される投光信号をモニターし始めることになる。この事例では、照明器具Ｃが投光信号を比較的強く検出することになり、照明器具Ｄが投光信号をより弱く検出することになり、照明器具Ｅが、投光信号が少しでも検出される場合、かすかな投光信号を検出することになる。
【００３１】
相対的マグニチュードが、照明器具Ｃ〜Ｅの各々によってモニターされる投光信号に割り当てられ得る。これらのマグニチュードが使用されて、図７に図示される表、又は、特定の照明器具Ａ〜Ｒに関連する表の一部分等の表を埋め得る。この例では、照明器具Ｂによって放出される投光信号は、照明器具Ｃによって０〜１．０の範囲について０．７の相対的強度を割り当てられ、照明器具Ｄによって０．３の相対的強度を、また照明器具Ｅによって０．１の相対的強度を割り当てられる。部屋ＲＭ２と廊下ＨＷ１との間の扉が閉鎖されているため、他の照明器具Ａ又はＦ〜Ｒはどれも、照明器具Ｂからの投光信号を検出できないことになる。
【００３２】
次に、照明器具Ｃが投光信号を提供し始め、他の照明器具Ａ、Ｂ、及びＤ〜Ｒが、照明器具Ｃによって提供される投光信号をモニターし始めることになる。部屋ＲＭ２内の照明器具Ｂ、Ｄ、及びＥは、投光信号を検出し、その投光信号について相対的マグニチュードを割り当てることになる。マグニチュードは図７に提供される。やはり、照明器具Ａ及びＦ〜Ｒは、それらの相対的な場所に起因して投光信号を検出しないことになる。このプロセスは、残りの照明器具Ｄ〜Ｒの各々について体系的に繰り返され、それにより、図７の表が完全に埋められる。種々の照明器具Ａ〜Ｒの信号強度マグニチュードを解析することによって、照明器具Ａ〜Ｒの種々のグループを、関連する照明ゾーンに容易に分割できる。視覚的に、照明器具Ａがそれ自体によってあるゾーン内にあるべきであり、照明器具Ｂ〜Ｅが第２のゾーン内にあるべきであり、照明器具Ｉ、Ｊ、Ｌ、Ｍ、Ｑ、及びＲが第３のゾーン内にあるべきであり、照明器具Ｎ及びＯが第４のゾーン内にあるべきであり、照明器具Ｆ、Ｇ、Ｈ、Ｋ、及びＰが第５のゾーン内にあるべきであると容易に判定できる。これらのゾーンの各々は、部屋ＲＭ１〜ＲＭ４及び廊下ＨＷ１における種々の照明器具Ａ〜Ｒの配置に直接対応する。異なる部屋の照明器具Ａ〜Ｒを対応するゾーンに単にグループ化することに加えて、投光信号の相対的マグニチュードに基づいて互いに対する種々の照明器具Ａ〜Ｒの相対的近接性及び配置を容易に決定できる。
【００３３】
以下で更に述べるように、種々の照明器具Ａ〜Ｒはまた、互いからのＲＦ信号強度をモニターし得る。種々の照明器具Ａ〜Ｒの間のＲＦ信号強度が使用されて、照明器具Ａ〜Ｒの間の距離及び照明器具Ａ〜Ｒの相対位置を確定できる。更に、互いに対するグループ間の相対的距離及びグループの相対位置が確定され得る。したがって、相対的な距離及び位置は、投光信号、ＲＦ信号強度、又はその組合せを使用して、ＲＦネットワークにおける全ての器具及び器具のあらゆるグループについて確定できる。その結果が使用されて、照明ネットワークにおける照明器具Ａ〜Ｒ及び他の要素のスケーリングされたマップを生成できる。そのマップは、コミッショニングツール３６も含み得る。ＲＦ信号強度を使用することに加えて、マイクロフォン及びスピーカが、グループ化、通信等のための投光技法に関連して又はその代わりに使用される可能性がある。各照明器具Ａ〜Ｒは、マイクロフォン又は同様の音響（音波又は超音波）センサ、並びに、オーディオ増幅器及びスピーカ（音波又は超音波）を有するか又はそれに関連する可能性がある。
【００３４】
マイクロフォンによって、照明器具は、「より明るい」、「より暗い」、「オン」、又は「オフ」（あるいは、他の音響データ、おそらくは占有のための足音）のような音声コマンドを捕捉し、音響情報を処理できるようになり得る。情報は、照明器具に、光源を所望の方式で制御させ、他の照明器具Ａ〜Ｒ（又は他のノード）にコマンドを発行させ、又は、音響情報を他の照明器具Ａ〜Ｒ（又は他のノード）と共有させ得る。照明器具Ａ〜Ｒによって提供されるか又は照明器具Ａ〜Ｒに関連する分散型マイクロフォンのネットワークは、音がどこからやって来るか（ユーザが同じ部屋にいるか）といったことのようなことだけでなく、音源がどの方向にまたどれだけ速く移動しているかもまた決定し得る（ユーザが出口に向かって急いでいるか又は更に「火事だ」と大声で叫んでいる場合、おそらく、緊急事態が存在し、空間が、安全のためにより十分に照明されるべきである）。
【００３５】
オフィス空間を静かに保つために全てが一緒に働くノイズ抑制又はノイズ消去照明器具のネットワークを提供する能力もまた存在する。周囲ノイズの影響を減少させるように構成されるスピーカは、白色又はピンクノイズで駆動され得る。真のノイズ消去のために、照明器具Ａ〜Ｒの１つ又はグループのマイクロフォンによってモニターされる周囲ノイズは、反転され（又は、周囲ノイズに関して位相がずれるように再生され）、近傍の占有者のためのノイズ消去効果を提供することになるボリュームで、対応するスピーカによって再生される可能性がある。
【００３６】
特に、各照明器具Ａ〜Ｒは、図７に示すそれ自体の表又は表の一部分を生成してもよい。例えば、各照明器具Ａ〜Ｒは、他の照明器具Ａ〜Ｒからの投光信号の相対的マグニチュードを格納するアレイを単に維持してもよい。この事例では、照明器具Ａ〜Ｒの各々は、コマンドに応答して、投光信号が、そこから少しでも検出されたか又はあるマグニチュードを超えて検出された照明器具Ａ〜Ｒだけとデータを共有することになる。これらの事例では、各照明器具Ａ〜Ｒは、それ自体をあるゾーンに効果的に関連付けることができる。あるいは、投光信号の全ては、マスター照明器具１０に送出されてもよく、マスター照明器具１０は、図７の表についてのデータの全てを収集し、データを解析し、照明器具Ａ〜Ｒの各々を種々のゾーンに割り当て、ゾーン化情報を照明器具Ａ〜Ｒに通信することが可能である。更に、マスター照明器具１０によって提供される処理はまた、例えばコミッショニングツール３６又は中央制御システム等のリモート制御エンティティに外部委託され得る。
【００３７】
従来の例では、廊下ＨＷ１における扉の全ては、閉鎖された。したがって、種々の照明器具Ａ〜Ｒを５つの異なるゾーンにグループ化することは比較的明快であり、部屋ＲＭ１〜ＲＭ４内又は廊下ＨＷ１における全ての照明器具が異なるゾーンにグループ化された。したがって、照明器具Ａ〜Ｒはどれも２つ以上のゾーンに割り当てられなかった。
【００３８】
しかしながら、ある照明器具Ａ〜Ｒを２つ以上のゾーンに割り当てることが望ましい場合がある。一例として、部屋ＲＭ１に入る扉が、通常、開放されている場合、廊下ＨＷ１内にある照明器具Ｆ及びＧを、照明器具Ａを含む部屋ＲＭ１のためのゾーンに何らかの方式で関連付けることが望ましい場合がある。引き続きこの概念によって、照明器具Ａが投光信号を提供しているとき、廊下ＨＷ１の照明器具Ｆ及びＧが投光信号を検出し得る。同様に、照明器具Ｆ及びＧは、投光信号を提供しているとき、それぞれの他の投光信号を捕捉してもよく、照明器具Ａはまた、照明器具Ｆ及びＧの投光信号を捕捉してもよい。したがって、それぞれの照明器具Ａ、Ｆ、及びＧ又は別の制御エンティティは、投光信号情報を解析し、図８Ａに図示されたように、照明器具Ａ、Ｆ、及びＧをゾーンＺ１に関連付けることになる。廊下ＨＷ１における扉の全てが開放されたままである場合、投光プロセスは、部屋ＲＭ２の照明器具Ｂ、Ｃ、Ｄ、及びＥが、図８Ｂに図示されるゾーンＺ２において、廊下ＨＷ１の照明器具Ｇ、Ｈ、及びＫと共にグループ化されるように継続し得る。同様に、部屋ＲＭ３の照明器具Ｉ、Ｊ、Ｌ、Ｍ、Ｑ、及びＲはまた、図８Ｃに図示されるゾーンＺ３において、廊下ＨＷ１の照明器具Ｇ、Ｈ、及びＫに関連付けられ得る。部屋ＲＭ４の照明器具Ｎ及びＯは、図８Ｄに図示されるゾーンＺ４において、廊下ＨＷ１の照明器具Ｆ及びＧに関連付けられ得る。
【００３９】
廊下ＨＷ１を参照すると、扉が全て開放されているとき、照明器具Ｈ、Ｇ、Ｋ、及びＰは、種々の部屋ＲＭ１〜ＲＭ４の種々の照明器具Ａ、Ｂ、Ｃ、Ｉ、Ｌ、Ｎ、及びＯに関連付けられ得る。これが所望されない場合、ユーザは、種々の照明器具Ａ〜Ｒのグループ化を修正してもよく、それにより、照明器具Ｆ、Ｇ、Ｈ、Ｋ、及びＰだけがゾーンＺ４に関連付けられ、これは、図８Ｅに図示されるように廊下ＨＷ１だけのための照明を表す。したがって、照明器具１０の自動グループ化は、照明器具１０の各々との直接相互作用を通して又は例えばコミッショニングツール３６等のリモート制御エンティティから容易に修正可能である。照明器具１０がどのように、互い通信し、データを共有し、協調方式で動作するかに関する更なる詳細は、以下で更に提供される。
【００４０】
図９を参照すると、部分的な通信フローが提供されて、プロセスに関係する各照明器具の例示的な投光プロセス及び機能を図示する。同じ部屋にあると仮定される照明器具Ｂ〜Ｄの動作が強調される。最初に、照明器具Ｂは、照明器具Ａ又はある他の制御エンティティからの命令に基づいて投光モードに入ることを決定する（ステップ１００）。投光モードに入ることを決定することは、内部的に、有線又は無線ネットワークを通じて外部入力から、又は光学的にあるシグネチャを有する投光信号を受信することに応答してトリガーされ得る。例えば、照明器具Ｂは、時刻に基づいて、定期的に、センサの測定値に基づいて、又は手動（ユーザ）要求に応答して投光モードに入ってもよい。あるいは、投光信号は、常にモニターされてもよく、モニター側の照明器具１０によって自動的に検出され測定される光の特定のオフ／オンシグネチャ又は変調の形態をとってもよい。
【００４１】
投光モードに入ると、照明器具Ｂは、照明器具Ｂからの投光信号を探索する命令を、直接に又はブロードキャスト信号を介して他の照明器具１０に送出することになる。特に、これらの命令は、１つの照明器具１０から別の照明器具１０に直接送信され得るか、又は、照明器具ネットワーク全体にわたって１つの照明器具１０から別の照明器具１０に中継され得る。図示されるように、照明器具Ｂによって提供される投光信号を探索する命令は、照明器具Ｃによって受信され（ステップ１０２）、照明器具Ｄに中継される（ステップ１０４）。しかしながら、命令は、中継されることなく、照明器具Ｂから照明器具Ｄに直接送信されてもよい。
【００４２】
この時点で、照明器具Ｃ及びＤは共に、照明器具Ｂによって提供される投光信号をモニターし始めることになる（ステップ１０６及び１０８）。したがって、照明器具Ｂは、投光信号を提供するその光源を何らかの方式で調整又は変調し始めることになる（ステップ１１０）。特に、投光信号は、１つの照明器具１０から別の照明器具１０に中継されない光信号である。代わりに、照明器具Ｃ及びＤは、その投光信号を検出及び処理して、グループ化データを生成することになる（ステップ１１２及び１１４）。グループ化データは、図７の表に関連して論じるように、投光信号が検出されるか否か又は所定の閾値を超えて検出されるか否かを単に判定することから、相対的マグニチュードを投光信号に割り当てることまでに及び得る。一定時間後に、照明器具Ｂは、投光信号を提供することを停止することになり（ステップ１１６）、照明器具Ｃが投光モードに入るための命令を提供することになる（ステップ１１８）。あるいは、例えばコミッショニングツール３６等のリモート制御エンティティは、投光モードに入る命令を照明器具Ｃに提供してもよい。この時点で、照明器具Ｃは、投光モードに入ることを決定することになり（ステップ１２０）、プロセスは、照明器具Ｃについて繰り返すことになる。事象のこのシーケンスは、照明ネットワークにおける照明器具１０の各々について継続することになる。
【００４３】
投光信号を処理することに関して、受信側の照明器具１０によってモニターされる投光信号測定値は、送信側の照明器具１０、受信側の照明器具１０、又は双方のＩＤに関連付けられ得る。送信側の照明器具１０は、（ステップ１１０における）投光信号を探索するメッセージに提供されるＩＤ、あるいは、送信側の照明器具１０のＩＤを含むか又はその照明器具１０に関連付けられる一意の変調信号に基づいて識別され得る。関連付けは、内部又はリモート制御システムによって行われ得る。更に、関連付けは、異なる照明器具１０による投光信号の送信をタイムスタンプ処理又は同期化することに基づいて行われる可能性があるため、送信側の照明器具１０は、種々の受信側の照明器具１０からの投光信号測定値に関連付けられ得る。
【００４４】
受信側の照明器具１０は、受信側の照明器具１０の関連するＩＤ、及び、投光信号を特定の送信側の照明器具１０に関連付けるために使用され得る同期化又は識別情報と共に、投光信号測定値を報告してもよい。タイムスタンプ処理情報又は他のセンサ情報は、こうした測定値報告に含まれてもよい。これらの型の投光信号測定値報告は、例えば図７等に示すような情報の表を異なる時間について生成するために使用され、また、他のセンサパラメータを含み得る。したがって、より大きな粒度が、照明器具１０の制御又は光グループ化の中に提供され、制御の型が、異なる時間に及び／又はセンサからの異なる入力に基づいて変化し得る。例えば、制御は、１時間に１回、又は、あるセンサの測定値がモニターされると変化し得る。
【００４５】
このプロセス全体にわたって又はプロセスの終わりに、照明器具１０の各々は、グループ化データを交換するか、又はグループ化データをマスター照明器具１０又はリモート制御エンティティに提供して、グループ化データを処理し、種々の照明器具１０を対応するゾーンに割り当てることになる（ステップ１２２）。主に分散型制御プロセスでは、照明器具１０の各々に設けられる内部ロジックによって、照明器具１０は、グループ化データに基づいて照明器具１０自体を適切なゾーンに効果的に割り当てることができるようになる。照明器具１０が、あるゾーンに割り当てられるか、又は、照明器具１０のあるグループに関連付けられているとして当該照明器具１０自体を識別すると、種々の情報が、所定のゾーン内の照明器具１０の間で交換され得る。この情報は、センサデータから、動作を制御するための命令に及び得る。
【００４６】
投光技法はまた、占有又は占有の欠如を検出するために使用され得る。照明器具１０（及び任意の他の投光能力があるデバイス）は、おそらく人の目に見えないか又は知覚されない方法で定期的に又は比較的連続的に投光を提供して、空いた部屋に対して投光の測定値を比較するように構成され得る。基準投光の測定値の変化は、占有者の存在を示し、変化量は占有者の数を示し、変化の場所は占有者の位置を示し得る。基準投光の測定値への復帰は、そのエリアが空になったことを示し、ひいては、従来の身体の熱又は運動センサを使用して空をチェックする必要性を排除し得る。
【００４７】
特に、確認が、各通信信号又はメッセージに応答して、並びに、投光信号を検出すると提供され得る。これらの確認は、照明器具間通信を支援する有線又は無線ネットワークを通じて提供されてもよいし、又は、確認を示すある変調シグネチャを有するある型の投光信号を使用して光学的に提供されてもよい。確認信号又は他の応答信号が、ステータス、信号強度情報、更なる情報についての要求等を交換するのに使用されてもよい。所定の照明システム内で、異なる通信技法（有線、無線、投光変調）が、異なる型の通信、データ／情報交換、制御等のために使用されてもよい。通信はまた、従来の技法を使用してＡＣ電力線を通じて提供されてもよい。
【００４８】
図１０を参照すると、あるゾーン又はある照明ネットワーク内の種々の照明器具１０の間でセンサデータが全体的にどのように交換され得るかを図示する部分的な通信フローが提供される。照明器具Ｂ、Ｃ、及びＤが特定のゾーンに割り当てられていると仮定する。動作中、照明器具Ｂ、Ｃ、及びＤは、センサデータをモニター及び交換し、センサデータをまとめて使用して、それぞれの光出力をどのように調整するかを決定することになる。最初に、照明器具Ｂは、関連する周囲光センサ、占有センサ、又は他のセンサからのデータである当該照明器具Ｂのセンサデータをモニターすることになる（ステップ２００）。照明器具Ｂは、そのゾーン内の他の照明器具Ｃ及びＤに当該照明器具Ｂのセンサデータを送信することになる（ステップ２０２）。一方、照明器具Ｃは、当該照明器具Ｃのセンサデータをモニターし（ステップ２０４）、そのセンサデータを照明器具Ｂ及びＤに提供する（ステップ２０６）。同様に、照明器具Ｄは、当該照明器具Ｄのセンサデータをモニターし（ステップ２０８）、そのセンサデータを照明器具Ｃ及びＢに提供する（ステップ２１０）。そのため、照明器具Ｂ、Ｃ、及びＤの各々は、各々のセンサデータ及びそのゾーン内の他の照明器具のセンサデータにアクセスを有する。この例はゾーン指向型であるが、照明ネットワーク全体における照明器具１０の全てが、互いに全てのセンサデータを提供してもよいし、又は、照明ネットワークにおける照明器具１０のうちの全てか又はある照明器具にあるセンサデータを提供してもよい。所定のゾーン内で、あるグループの器具は、それらの周囲光センサがそのゾーン内の照明器具の残りより多くの光を検出する場合、１つ又は複数の別個の（又はサブ）ゾーンに当該器具自体を分離し得る。これは、窓に最も近い光のグループに対応し得る。
【００４９】
比較的連続的な方式で、照明器具Ｂは、当該照明器具Ｂ自体のセンサからのセンサデータと、他の照明器具Ｃ及びＤからのセンサデータとを処理し（ステップ２１２）、それぞれの光出力をセンサデータに基づいてどのように調整するかを決定することになる（ステップ２１４）。したがって、照明器具Ｂはその光出力を独立に制御している。しかしながら、照明器具Ｂの内部ロジックは、その光出力をどのように調整するかを正確に決定するとき、当該照明器具Ｂ自体のセンサデータだけでなく、他の照明器具Ｃ及びＤのセンサデータもまた考慮してもよい。独立しているが協調した方式で、照明器具Ｃ及びＤはまた、それらのセンサデータ及び他の照明器具からのセンサデータを処理し、そのセンサデータに基づいてそれらの光出力を調整することになる（ステップ２１６〜２２２）。
【００５０】
興味深いことには、異なる照明器具Ｂ、Ｃ、及びＤの内部ロジックは、互いに同一に機能するように又は互いに異なるように機能するように構成され得る。例えば、照明器具Ｂ、Ｃ、及びＤは、そのゾーンにおける他の照明器具Ｂ、Ｃ、及びＤと同じ重み付けをセンサデータに適用し得る。そのため、それ自体のセンサからまた他の照明器具Ｂ、Ｃ、及びＤから同じセンサデータが与えられると、各照明器具Ｂ、Ｃ、及びＤは、その光出力をまさに同じ方式で調整することになる。内部ロジックが照明器具Ｂ、Ｃ、及びＤの間で変わる場合、それぞれの照明器具Ｂ、Ｃ、及びＤの光出力は、同じセンサデータが与えられる場合、変わり得る。特に、センサデータは、異なる型のセンサからのデータを含み得る。例えば、周囲光センサと占有センサとの双方からのセンサデータは、各照明器具Ｂ、Ｃ、及びＤの内部ロジックによって決定されるように交換及び処理されて、それぞれの光出力をどのように調整するかを決定し得る。
【００５１】
センサデータを交換し、それを考慮して動作を制御することに加えて、照明器具Ｂ、Ｃ、及びＤはまた、当該照明器具Ｂ、Ｃ、及びＤ自体のセンサデータ並びに他の照明器具Ｂ、Ｃ、及びＤから受信されるセンサデータを使用して、他の照明器具Ｂ、Ｃ、及びＤの動作を制御し得る。図１１を参照すると、この概念を図示する部分的な通信フローが示されている。最初に、照明器具Ｂ及び照明器具Ｄが、それらのそれぞれのセンサからセンサデータを収集し、そのセンサデータを照明器具Ｃに提供すると仮定する（ステップ３００及び３０２）。図示されないが、照明器具Ｃは、そのセンサデータを他の照明器具Ｂ及びＤに提供し得る。照明器具Ｃはまた、それ自体のセンサデータをモニターし（ステップ３０４）、それ自体のセンサからのセンサデータ並びに他の照明器具Ｂ及びＤからのセンサデータを処理して（ステップ３０６）、照明器具Ｂ及びＤのための命令を生成し得る（ステップ３０８）。命令は、生成されると、それぞれの照明器具Ｂ及びＤに提供され得る（ステップ３１０及び３１２）。したがって、照明器具Ｂは、当該照明器具Ｂの内部ロジックに応じて、照明器具Ｃから提供される命令、照明器具Ｄのセンサデータ、又はその組合せに基づいて、当該照明器具Ｂの光出力を調整し得る（ステップ３１４）。照明器具Ｃは、それ自体のセンサデータ、又は、それ自体のセンサデータと照明器具Ｂ及びＤから受信されるセンサデータとの組合せに基づいて当該照明器具Ｃの光出力を調整し得る（ステップ３１６）。照明器具Ｂと同様に、照明器具Ｄは、照明器具Ｃから受信される命令、照明器具Ｄからのセンサデータ、又はその組合せに基づいて当該照明器具Ｄの光出力を調整し得る（ステップ３１８）。
【００５２】
実用的な例として、照明器具Ｂ、Ｃ、及びＤは、光出力の強度、光出力の色温度、光出力の色、又はその任意の組合せを決定し得る周囲光情報を共有し得る。しかしながら、照明器具Ｃはまた、占有センサに関連付けられ得る。したがって、照明器具Ｃによって照明器具Ｂ及びＤに提供される命令は、照明器具Ｂ及びＤをターンオンし、あるレベル、ある色温度、又はある色で光出力を提供するように照明器具Ｂ及びＤに指令し得る。照明器具Ｂ及びＤは、これらの命令に直接応答してもよいし、又は、それらのそれぞれの内部ロジックを考慮してこれらの命令を処理して、ターンオンするか、また、それぞれの光出力をどのように制御するかを決定してもよい。したがって、１つの照明器具１０から別の照明器具１０に提供される命令は、絶対コマンドとして考慮され、その命令に対応して応答されてもよいし、又は、命令を受信する照明器具１０のプログラミングに応じて単なる「提案」として考慮されてもよい。例えば、照明器具Ｂがターンオンするように照明器具Ｃが指令する上記シナリオでは、照明器具Ｂがターンオンする必要性を否定する、照明器具Ｂで測定される十分な太陽光が存在し得る。又は、照明器具Ｂが、ターンオンすることを決定する場合、光の色、光の強度、又は光の色温度は、照明器具Ｂで測定されている太陽光の量及び色によって調整されてもよい。やはり、本開示で述べる分散型制御によって、これらの照明器具１０は、内部ロジックがそのように決定する場合、独立ではあるが協調して動作することができる。
【００５３】
図１２の部分的な通信フローに示すように、１つの照明器具１０から別の照明器具１０に提供される命令は、中間照明器具１０を通して中継されてもよい。更に、命令は、１つの照明器具１０から別の照明器具１０へと渡されるときに、内部ロジック、センサデータ、又は同様なものに基づいて修正されてもよい。最初に、照明器具Ａ、コミッショニングツール３６、あるいは何らかの他の制御ポイント、スイッチ、又はノードが、命令を照明器具Ｂに提供すると仮定する（ステップ４００）。照明器具Ｂは、これらの命令を受信し、未修整の命令を、例えば照明器具Ｃ等の１つ又は複数の他の照明器具１０に渡してもよい（ステップ４０２）。照明器具Ｂは、その後、それ自体のセンサデータをモニターし（ステップ４０４）、センサデータを処理し（ステップ４０６）、それ自体のセンサデータ、他の照明器具のセンサデータ、提供される命令、又はその組合せに基づいて、照明器具Ｃを含む他の照明器具１０についての修正された命令を生成してもよい（ステップ４０８）。修正された命令は、例えば照明器具Ｃ等の他の照明器具１０に送信されてもよい（ステップ４１０）。照明器具Ｂは、その後、それ自体のセンサデータ、他の照明器具のセンサデータ、受信される命令に基づいて、当該照明器具Ｂの光出力を調整できる（ステップ４１８）。照明器具Ｃは、それ自体のセンサデータをモニターし（ステップ４１２）、そのセンサデータを処理し（ステップ４１４）、種々のセンサデータ、修正された命令、未修正の命令、又はその組合せに基づいて、当該照明器具Ｃの光出力を調整してもよい（ステップ４１６）。センサデータを共有し、互いに通信し、内部ロジックに従って独立に動作するこの能力を通して、種々の照明器具１０は、照明構成にとてつもない柔軟性を提供する。
【００５４】
図１３Ａ及び１３Ｂを参照すると、照明器具Ａ〜Ｒを有するフロアプランＦＰ２が図示されている。図１３Ａでは、照明器具Ａ〜Ｒは、例えば部屋の窓付き端から最も遠い６つの照明器具Ａ、Ｂ、Ｇ、Ｈ、Ｍ、及びＮがオンのときにフル光出力にあり、部屋の中央の６つの照明器具Ｃ、Ｄ、Ｉ、Ｊ、Ｏ、及びＰがオンのときに中間光出力を生成し、窓に最も近い６つの照明器具Ｅ、Ｆ、Ｋ、Ｌ、Ｑ、及びＲがオンのときに最も少ない量の光出力を生成し、太陽光が、照明器具Ａ〜Ｒの１つ又は複数によって検出されるようにグループ化されてもよい。この事例では、最も多くの周囲太陽光を有する部屋の部分が、最も少ない量の人工光を使用することになる。照明器具Ａ〜Ｒの各々は、その部屋について全体のゾーンに、また、６つの照明器具Ａ〜Ｒの３つのセットの各々について異なるサブゾーンに関連付けられる。照明器具Ａ〜Ｒは、周囲太陽光が検出されると３つの別個の光出力レベルを提供する３つのグループに分割されるが、照明器具Ａ〜Ｒは、照明器具Ａ〜Ｒの全ての１つが、周囲太陽光が検出されると異なる強度（又は色及び色温度）で光出力を提供するように構成されてもよい。
【００５５】
例えば、また、図１３Ｂを参照すると、照明器具Ａ〜Ｒの各々は、同じゾーン内にあるものとして扱われ得るが、光出力は、ゾーン全体にわたって起こる勾配を受ける。勾配は線形又は非線形であってもよい。例えば、いずれの窓からも最も遠い照明器具Ｍは、最も多くの光出力を提供することになる一方、最も多くの周囲太陽光を受けるエリア内にある可能性が高い照明器具Ｆは最も少ない光出力を提供することになる。
【００５６】
照明器具ＭとＦとの間の照明器具の各々は、照明器具Ａ〜Ｒの間で共有される規定された線形又は非線形勾配に従って連続的に減少する量の光出力を提供してもよい。特に、勾配は、照明器具Ａ〜Ｒの全てによって把握されてもよく、勾配は、利用可能な周囲太陽光の量に基づいて連続的に調整される。そのため、勾配の有効傾斜は、照明器具Ｆが周囲太陽光の最大量を検出し、照明器具ＭとＦとの間の光出力差が最大であるときに最大である。夜間、周囲太陽光が全く存在せず、もしあったとしても非常にわずかな光が窓を通して受けられるとき、照明器具Ａ〜Ｒの全ては、そのゾーン内で他の照明器具Ａ〜Ｒと周囲光センサデータを共有する、窓に最も近い照明器具Ａ〜Ｒに基づいて同じ量の光出力を提供することを決定してもよい。やはり、照明器具Ａ〜Ｒは、それら自体の又は共有されたセンサデータに基づいて独立して動作することが可能である。種々のセンサデータに基づいて光出力を制御するのに使用される内部ロジックは、照明器具Ａ〜Ｒの間での相互作用に基づいて固定であってもよいし、手動で調整されてもよいし、動的に調整されてもよい。
【００５７】
引き続き図１３Ａ及び１３Ｂを参照すると、廊下（図示せず）が照明器具Ａの近くに配置され、少なくとも照明器具Ａが占有センサＳＯを有するか又はそれに関連付けられると仮定する。更に、照明器具Ａ〜Ｒのうちの全て又は少なくとも幾つかが周囲光センサＳＡを有するか又はそれに関連付けられ、現時点ではオフ状態にあると仮定する。誰かが廊下を通って部屋に歩いて入るとき、占有センサＳＯは、占有信号を提供することになり、占有信号は、その部屋が現在占有されていることを照明器具Ａに報知することになる。これに応じて、照明器具Ａは、他の照明器具Ｂ〜Ｒの全てにターンオンするように指令するようにプログラムされてもよい。あるいは、照明器具Ａは、その占有センサ（又は、他のセンサ）情報を他の照明器具Ｂ〜Ｒと共有してもよく、他の照明器具Ｂ〜Ｒは、それら自体の内部ロジックを独立して使用して、占有センサ情報を処理し、それら自体をターンオンすることになる。
【００５８】
あるいは、照明器具Ａは、あるゾーンに関連付けられるサブグループだけにターンオンするように指令してもよい。後者の場合、照明器具Ａは、照明器具Ａ、Ｂ、Ｇ、Ｈ、Ｍ、及びＮだけにターンオンするよう指令するようにプログラムされてもよい。その部屋内の他のゾーン［Ｃ、Ｄ、Ｉ、Ｊ、Ｏ、Ｐ］及び［Ｅ、Ｆ、Ｋ、Ｌ、Ｑ、Ｒ］は、これらのゾーンに関連付けられる占有センサＳＯが占有を検出するときにだけ、ターンオンしてもよい。いずれの場合も、照明器具Ａ〜Ｒの全ては、窓またおそらくは出入口を通して受けている周囲光の量をモニターし、ターンオンされると出力すべき光のレベル、色、及び色温度を個々に制御してもよい。レベル、色、及び色温度は、周囲光レベルが変化するにつれて動的に変化してもよい。
【００５９】
別の照明器具によってターンオンするように指令される代わりに、照明器具Ａ〜Ｒの各々は、占有センサＳＯを有するか又はそれに関連付けられ、占有を検出することに独立に反応してもよい。占有センサＳＯは、人々の移動又は存在を検出することが可能である入手可能なあらゆる型のモーション、熱等のセンサ技術を使用してもよい。照明器具Ａ〜Ｒはまた、別の照明器具Ａ〜Ｒからの光が検出されるときにターンオンするようにプログラムされ得る。そのため、占有を検出することに応じて照明器具Ａがターンオンするとき、他の照明器具Ｂ〜Ｒは、照明器具Ａからの光の存在を検出し、照明器具Ａがターンオンすることによる光を検出することに応答してターンオンすることになる。
【００６０】
ある実施形態では、照明器具Ａ〜Ｒのうちの１つだけが、オン／オフスイッチ又は調光器に有線又は無線で接続される必要がある。照明器具Ａがスイッチ又は調光器に接続される場合、照明器具Ａは、他の照明器具にターンオンする（並びに、あるレベルまで調光する）ように指令できる。あるいは、照明器具Ａは、ある出力レベルになるようにターンオンするだけであってもよい。他の照明器具Ｂ〜Ｒは、照明器具Ａがターンオンする結果としての光、またおそらくは、関連する周囲光センサＳＡを通した相対的な調光レベルを検出し、ある出力レベルになるようにターンオンすることになるであろう。検知されない場合、相対的な調光レベルは、照明器具Ａによって照明器具Ｂ〜Ｒと共有され得る。
【００６１】
ネットワークのインテリジェンスは、実質的に無限であり、非常にインテリジェントな照明システムについての可能性を与える。例えば、照明器具Ａ〜Ｒは、互いに対するそれら自体の相対的な位置を決定することができ得る（又はプログラムされ得る）。占有センサＳＯを使用して、照明器具Ａ〜Ｒの集団的グループは、履歴的占有データに基づいて予測アルゴリズムを開発し、これらの予測アルゴリズムを使用して、どれだけの期間の間、光をオンに維持するか、人が歩いて部屋に入るか又は廊下を通るときにどんな光がターンオンされるべきか等を決定するように構成されてもよい。例えば、廊下に沿う照明器具１０は、順次に、かつ、人が歩いて廊下を通ることに十分に先んじてターンオンしてもよい。光は、順次に、かつ、人の背後でターンオフしてもよい。光を順次ターンオンすることは、人を検出する第１の照明器具１０によってトリガーされてもよいが、廊下における残りの照明器具１０は、予測アルゴリズムにおいて具現化される履歴的歩行速度、経路等に基づいて順次ターンオンしてもよい。照明器具１０の各々は、センサデータ、命令等を共有し、そして、この共有情報を考慮して独立して動作してもよい。
【００６２】
「光追跡」の上記概念は、２つの例に関して以下で示される。第１の例の場合、図８Ａに対して参照が行われ、図８Ａは、人が廊下ＨＷ１に沿って歩行する場合の光追跡の例を提供する。人が照明器具Ｆの近くの廊下に入り、照明器具Ｐの近くの廊下を出ると仮定する。更に、照明器具Ｆ、Ｇ、Ｈ、Ｋ、及びＰの各々が占有センサＳＯを含むと仮定する。人が照明器具Ｆの近くの廊下に入ると、照明器具Ｆは、その占有センサＳＯを介して人の存在を検知し、それ自体をターンオンすることになる。照明器具Ｆは、照明器具Ｆがユーザを検出したことを照明器具Ｇに報知するようにプログラムされてもよい。照明器具Ｇは、照明器具Ｈが現時点ではオフであることを把握してもよく、また、照明器具Ｆが人の存在を検出しているため、予測方式でそれ自体をターンオンしてもよい。照明器具Ｇは、その後、人の存在を検出する場合、照明器具Ｈ及び照明器具Ｆに報知してもよい。照明器具Ｈは、照明器具Ｇの占有センサが人を検出したという指示を受信すると、ターンオンしてもよい。照明器具Ｈは、その占有センサＳＯによって人の存在を検出する場合、照明器具Ｋ、照明器具Ｇ、及び照明器具Ｆに報知してもよい。照明器具Ｆは、この情報を、人が廊下ＨＷ１に沿って照明器具Ｐに向かって移動しているという指示として考慮し、ひいては、照明器具Ｆがもはや必要とされないためターンオフしてもよい。照明器具Ｇは、暫くの間、オンのままであってもよい一方、照明器具Ｋは、予測方式でターンオンすることになる。このプロセスは、１つ、２つ、又は３つ以上の光が、人の現時点の位置の近くの廊下ＨＷ１においてオンになるように継続してもよい。隣接する占有センサの検出の間の時間は、また、人が移動する速度を近似するのに使用され得る。これは、人又は物体がどこに進んで行くかを予測するのに使用され得る。例えば、誰かが部屋に入るために速度を落とす場合、その部屋における光が相応して反応してもよい。
【００６３】
更に、光が互いに通信し、それらの占有センサ情報を共有する能力によって、廊下ＨＷ１における照明器具のグループは、人の現時点の位置を照らし、人が特定の照明器具に達する前に照明器具を予測的にターンオンすることができる。もちろん、廊下ＨＷ１における照明器具の全ては、照明器具Ｆが人の存在を検出するとターンオンし、ある時間後に照明器具Ｆ、Ｇ、Ｈ、Ｋ、及びＰがいずれも人の存在を検出しないときにターンオフし得る。更に別の追跡の例として、照明器具Ｆ、Ｇ、Ｈ、Ｋ、及びＰの各々は、単に、人の存在を検出するとターンオンし、人の存在をもはや検出しない一定時間後に、又は、そのグループにおける照明器具のいずれも人の存在を検出しないときにターンオフしてもよい。
【００６４】
追跡の概念は、例えば複数の部屋又は屋外のエリア等のより大きなエリアに同様に適用可能である。以下の例について図１３Ａ及び１３Ｂに対して参照が行われる。極めて単純化した例では、照明器具Ａ〜Ｒの各々は、占有センサＳＯを含み、以下のようにプログラムされてもよい。特定の照明器具Ａ〜Ｒについての占有センサＳＯが人の存在を検出する場合、その照明器具は、ターンオンし、直ちに隣接する照明器具が、既にオンでない場合、直ちに隣接する照明器具にターンオンするように指令することになる。したがって、照明器具Ａ〜Ｒ又は照明器具Ａ〜Ｒのグループのうちの異なる照明器具が、ターンオンし、部屋における人々を追跡してもよい。人の存在を検出した照明器具（並びに、その照明器具によってターンオンするように指令された照明器具）は、人の存在がもはや検出されなくなった後の設定期間の間、オンのままであってもよい。先の例は、部屋占有の極めて単純化した追跡及びそれに基づく照明器具のターンオン又はオフであるが、予測アルゴリズムもまた使用され得る。例えば、人が照明器具Ｍの近くで部屋に入り、部屋を横切って照明器具Ｆに近い反対側の角まで斜めに歩くと仮定する。照明器具Ｍは、人の存在を検出すると、ターンオンし、照明器具Ｇ、Ｈ、及びＮにターンオンするように指令してもよい。残りの照明器具はオフのままであることになる。照明器具Ｎが、その後、人の存在を検出する場合、照明器具Ｎは、オンのままであり、照明器具Ｉ及びＯにターンオンするように指令することになる。その理由は、照明器具Ｍが最初に人を検出し、現時点では、照明器具Ｎが人を検出していることを照明器具Ｎが把握しているからである。照明器具Ｉは、人を検出すると、ターンオンしていることを照明器具Ｂ、Ｃ、Ｄ、Ｈ、Ｊ、Ｎ、Ｏ、及びＰにも報知し、また、照明器具Ｍにも報知してもよい。照明器具Ｍは、人の存在をもはや検出せず、また、照明器具Ｍが人の存在をもはや検出せず、照明器具Ｎ及びＩが、その後、人の存在を検出したという認識に基づいてターンオフしてもよい。このプロセスは、人が部屋の対応するエリアを去った後に照明器具Ｍ、Ｈ、Ｎ等がターンオフするため、照明器具Ｊ、Ｋ、Ｅ、Ｌ、及びＦが次第にターンオンするように、部屋を横切って継続してもよい。そのため、基本的な追跡及び予測制御は、部屋、又はグループ等における照明器具を、選択的にターンオン及びターンオフする又はその他の方法で制御するのに実質的にあらゆる環境で使用され得る。
【００６５】
ここで図１４を見ると、一実施形態に係る照明器具１０のブロック図が提供される。説明のために、ドライバモジュール３０、通信モジュール３２、及びＬＥＤアレイ２０が最終的に接続されて、照明器具１０のコアを形成すること、及び、通信モジュール３２が、有線又は無線技法を通して、他の照明器具１０、コミッショニングツール３６、又は他の制御エンティティと双方向に通信するように構成されると仮定する。この実施形態では、標準的な通信インタフェース及び第１の又は標準的なプロトコルが、ドライバモジュール３０と通信モジュール３２との間で使用される。この標準的なプロトコルによって、ドライバモジュール３０及び通信モジュール３２が共に、標準的な通信インタフェースによって使用される標準的なプロトコルに従って動作していると仮定すると、異なるドライバモジュール３０は、異なる通信モジュール３２と通信し、異なる通信モジュール３２によって制御されることが可能になる。「標準的なプロトコル」という用語は、任意の型の、既知の又は将来開発される、独占的な、又は業界標準化されたプロトコルを意味するものと定義される。
【００６６】
図示された実施形態では、ドライバモジュール３０及び通信モジュール３２は、通信（ＣＯＭＭ）バス３８及び電力（ＰＷＲ）バス４０を介して接続される。通信バス３８によって、通信モジュール３２は、ドライバモジュール３０から情報を受信すると共に、ドライバモジュール３０を制御することができる。例示的な通信バス３８は、周知の集積回路間（Ｉ２Ｃ）バスであり、集積回路間（Ｉ２Ｃ）バスは、シリアルバスであり、データ線とクロック線とを使用する２線インタフェースによって通常実装される。他の利用可能なバスは、シリアルペリフェラルインタフェース（ＳＰＩ）バス、Ｄａｌｌａｓ  Ｓｅｍｉｃｏｎｄｕｃｔｏｒ  Ｃｏｒｐｏｒａｔｉｏｎの１線シリアルバス、ユニバーサルシリアルバス（ＵＳＢ）、ＲＳ−２３２、Ｍｉｃｒｏｃｈｉｐ  Ｔｅｃｈｎｏｌｏｇｙ  ＩｎｃｏｒｐｏｒａｔｅｄのＵＮＩ／Ｏ（登録商標）等を含む。
【００６７】
この実施形態では、ドライバモジュール３０は、周囲光センサＳＡ及び占有センサＳＯからデータを収集し、ＬＥＤアレイ２０のＬＥＤを駆動するように構成される。周囲光センサＳＡ及び占有センサＳＯから収集されるデータ並びにドライバモジュール３０のあらゆる他の動作パラメータは、通信モジュール３２と共有されてもよい。したがって、通信モジュール３２は、ドライバモジュール３０の構成又は動作に関するデータ、及び、ＬＥＤアレイ２０、周囲光センサＳＡ、及び占有センサＳＯによってドライバモジュール３０に利用可能にされるあらゆる情報を収集してもよい。収集されたデータは、ドライバモジュール３０がどのように動作するかを制御するのに通信モジュール３２によって使用されてもよいし、他の照明器具１０又は制御エンティティと共有されてもよいし、あるいは、他の照明器具１０に送信される命令を生成するために処理されてもよい。
【００６８】
通信モジュール３２はまた、例えばコミッショニングツール３６又は別の照明器具１０等のリモート制御エンティティによって全体として又は部分的に制御されてもよい。一般的に、通信モジュール３２は、センサデータ及び他の照明器具１０又はリモート制御エンティティによって提供される命令を処理し、次に、命令を、通信バス３８を通じてドライバモジュール３０に提供することになる。これを見る別の方法は、通信モジュール３２が、占有検知、周囲光検知、調光器スイッチ設定等を含むシステムの情報の共有を容易にし、この情報をドライバモジュール３０に提供し、ドライバモジュール３０が、その後、それ自体の内部ロジックを使用して、どのような１つ又は複数のアクションを講じるべきかを決定することである。ドライバモジュール３０は、ＬＥＤアレイ２０に提供されるドライブ電流又は電圧を適宜制御することによって応答することになる。仮定のプロトコルについての例示的なコマンドセットが以下に提供される。
【００６９】
【表１】
2017505974.tif 000003
上記表は、４つの列、すなわち、コマンド、ソース、受取り側、及び説明を有する。コマンドは、通信モジュール３２からドライバモジュール３０に又はドライバモジュール３０から通信モジュール３２に渡される実際の命令を表す。ソースは、コマンドの送り手を識別する。受け手は、意図されるコマンドの受信側を識別する。通信列は、コマンドの説明を提供する。例えば、「オン／オフ」コマンドは、通信モジュール３２からドライバモジュール３０に送信され、ＬＥＤアレイ２０をターンオンするか又はターンオフするように通信モジュール３２がドライバモジュール３０に指令することを効果的に可能にする。「色温度」コマンドは、所望の色温度を生成するようにＬＥＤアレイ２０を駆動するように通信モジュール３２がドライバモジュール３０に指令することを可能にする。「色温度」コマンドは、実際には、所望の色温度又は利用可能な色温度に対する基準を含んでもよい。
【００７０】
「調光レベル」コマンドは、通信モジュール３２からドライバモジュール３０に送信されて、所望の調光レベルに基づいて全体的な光レベルを設定する。「器具ＩＤ」コマンドによって、ドライバモジュール３０は、通信モジュール３２に対して当該ドライバモジュール３０自体を識別できる。「健全度」コマンドによって、ドライバモジュール３０は、通信モジュール３２に当該ドライバモジュール３０の動作能力、すなわち健全度に関する情報を送信できる。「電力使用」コマンドによって、ドライバモジュール３０は、通信モジュール３２に、どれだけの電力が、ドライバモジュール３０の能力に応じて平均して又は任意の所定の時間にドライバモジュール３０によって使用されているかを伝えることができる。「使用」コマンドによって、ドライバモジュール３０は、通信モジュール３２に対して総合的な使用時間、又は総合的な一貫性のある使用時間等を識別することができる。「寿命」コマンドによって、ドライバモジュール３０は、通信モジュール３２に、ドライバモジュール３０、ＬＥＤアレイ２０、又はその組合せの有効残余寿命の推定値を提供することができる。ドライバモジュール３０の能力に基づいて、残余寿命の量は、過去の使用、周囲温度、又は電力レベル等に起因し得る。
【００７１】
「ゾーンＩＤ」コマンドによって、ドライバモジュール３０は、通信モジュール３２に、どのゾーンにドライバモジュール３０が存在するかを伝えることができる。このコマンドは、他の照明器具１０又はリモート制御エンティティが複数の照明器具を制御し、照明器具１０が存在するゾーンに関する情報を収集しているときに有用である。「温度」コマンドによって、ドライバモジュール３０は、通信モジュール３２に対してドライバモジュール３０又はＬＥＤアレイ２０についての周囲温度情報を提供することができる。
【００７２】
「緊急時使用可能」コマンドによって、ドライバモジュール３０は、通信モジュール３２に、照明器具１０が、緊急時照明のために使用可能な緊急時使用可能器具であることを伝えることができる。「緊急時健全度」コマンドによって、ドライバモジュール３０は、当該ドライバモジュール３０又は照明器具１０が緊急時照明器具として機能する能力に関する情報を提供することができる。簡素な実施形態では、そのコマンドは、緊急の場合に照明器具１０を駆動するために利用可能にさせられる緊急時バックアップ電池の状態を提供してもよい。「緊急時試験」コマンドによって、通信モジュール３２は、照明器具１０が、緊急時照明モードを要求される場合、緊急時照明モードで動作できることを保証する緊急時照明試験を実行する命令をドライバモジュール３０に送信できる。「緊急時パス」コマンドによって、ドライバモジュール３０は、通信モジュール３２に、緊急時試験に合格した（又は不合格した）ことを知らせることができる。上記コマンドは、情報の流れの方向を主に述べる。しかしながら、プロトコルによって、通信モジュール３２又はドライバモジュール３０は、この情報又は他の情報のいずれも、特異的に又はバッチで選択的に又は定期的に要求できる。
【００７３】
ドライバモジュール３０と通信モジュール３２との間の通信ための標準的な通信インタフェース及び標準的なプロトコルの使用は、ドライバモジュール３０及び通信モジュール３２のためのモジュール式アプローチを支援する。例えば、異なる製造業者は、特定のドライバモジュール３０と調和する異なる通信モジュール３２を作り得る。異なる通信モジュール３２は、異なる照明用途、利用可能な特徴、価格帯等に基づいてドライバモジュール３０を異なるように駆動するように構成され得る。したがって、通信モジュール３２は、異なる型のドライバモジュール３０と通信するように構成され得る。通信モジュール３２がドライバモジュール３０に接続されると、通信モジュール３２は、ドライバモジュール３０の型を識別し、これに応じてドライバモジュール３０と調和することになる。更に、ドライバモジュール３０は、異なる照明パラメータの種々の範囲にわたって動作でき得る。異なる通信モジュール３２は、これらのパラメータをいろいろな程度に制御するように構成され得る。第１の通信モジュール３２は、制限されたパラメータセットに対するアクセスを与えられるだけである場合があり、別の通信モジュール３２は、ずっと大きなパラメータセットに対するアクセスを与えられる場合がある。以下の表は、所定のドライバモジュール３０についての例示的なパラメータセットを提供する。
【００７４】
【表２】
2017505974.tif 000004
上記表におけるパラメータは、所定のドライバモジュール３０についての利用可能な制御ポイントを示し得る。所定のパラメータセットは、製造中にドライバモジュール３０に割り当てられてもよいし、又は、照明器具１０の設置中に又は通信モジュール３２をドライバモジュール３０に関連付けるときに通信モジュール３２によって設定されてもよい。パラメータセットは、例えばパルス幅変調（ＰＷＭ）調光周波数、最高光レベル、及び色温度等の種々のパラメータを含む。パラメータセットは、これらのパラメータの各々について許容可能な範囲を示す。各パラメータは、設計者の要求又は特定の用途に応じて、通信モジュール３２又はリモート制御システムによって動作中等にパラメータセットにおける識別された範囲内に設定されてもよい。
【００７５】
一例として、例示的なパラメータセットについての最高光レベルは、ドライバモジュール３０及び関連するＬＥＤアレイ２０の能力の５０％〜１００％のどこからでも設定され得ることを示す。照明器具１０を使用する照明システムのエンドユーザ又は所有者が適切な命令を開始する場合、最高光レベルは、適切なパラメータフィールドで８０％に設定されてもよい。したがって、ＬＥＤアレイ２０の最大能力の８０％を超えて照明レベルを増加させるコマンドを通信モジュール３２がドライバモジュール３０に提供しても、ドライバモジュール３０は、８０％を超えるようにＬＥＤアレイ２０を駆動しないことになるであろう。これらのパラメータは、ドライバモジュール３０又は通信モジュール３２内で不揮発性メモリに格納されてもよい。
【００７６】
ある実施形態では、ドライバモジュール３０は、交流（ＡＣ）入力信号（ＡＣ  入力）を処理し、通信モジュール３２及びおそらくＬＥＤアレイ２０に電力供給するのに十分な適切な整流された又は直流（ＤＣ）信号を提供するのに十分な電子機器を含む。したがって、通信モジュール３２は、当該通信モジュール３２内に存在する電子機器に電力供給する個別のＡＣ−ＤＣ変換回路を必要とせず、電力バス４０を通じてドライバモジュール３０からＤＣ電力を単に受けることができ、電力バス４０は、以下で述べるように、通信バス３８から分離され得るか、通信バス３８と統合され得る。
【００７７】
一実施形態では、標準的な通信インタフェースの一局面は、標準的な電力供給システムの定義である。例えば、電力バス４０は、例えば５ボルト、１２ボルト、又は２４ボルト等の低電圧レベルに設定されてもよい。ドライバモジュール３０は、ＡＣ入力信号を処理して、規定された低電圧レベルを提供し、その電圧を、電力バス４０を通じて提供するように構成され、ひいては、通信モジュール３２又は付属デバイスは、通信モジュール３２の電子機器に電力供給するためにＤＣ電力信号に接続するか又はＡＣ信号をＤＣ電力信号に処理することを気にかけることなく、所望の低電圧レベルがドライバモジュール３０によって電力バス４０を通じて提供されることを見越して設計され得る。
【００７８】
ＬＥＤアレイ２０、ドライバモジュール３０、及び通信モジュール３２の例示的な実施形態の説明は次の通りである。述べたように、ＬＥＤアレイ２０は、例えば図１５及び１６に図示されたＬＥＤ４２等の複数のＬＥＤを含む。図１５を参照すると、単一ＬＥＤチップ４４が、はんだ又は導電性エポキシを使用して反射性カップ４６上に取り付けられ、それにより、ＬＥＤチップ４４のカソード（又はアノード）についてのオーミックコンタクトが反射性カップ４６の底に電気的に接続される。反射性カップ４６は、ＬＥＤ４２の第１のリード線４８に接続されるか又は第１のリード線４８と一体成形される。１つ又は複数のボンドワイヤ５０は、ＬＥＤチップ４４のアノード（又はカソード）についてのオーミックコンタクトを第２のリード線５２に接続する。
【００７９】
反射性カップ４６は、ＬＥＤチップ４４を封入する封入材料５４で充填されてもよい。封入材料５４は、透明であってもよいし、又は、以下でより詳細に述べる例えば蛍光体等の波長変換材料を含んでもよい。アセンブリ全体が、透明の保護樹脂５６内に封入され、透明の保護樹脂５６は、ＬＥＤチップ４４から放出される光を制御するため、レンズ形状に成形されてもよい。
【００８０】
ＬＥＤ４２のための代替のパッケージが図１６に図示され、ＬＥＤチップ４４が基板５８上に取り付けられる。具体的には、ＬＥＤチップ４４のアノード（又はカソード）についてのオーミックコンタクトは、基板５８の表面上の第１のコンタクトパッド６０に直接取り付けられる。ＬＥＤチップ４４のカソード（又はアノード）についてのオーミックコンタクトは、同様に基板５８の表面上にある第２のコンタクトパッド６２にボンドワイヤ６４を使用して接続される。ＬＥＤチップ４４は、反射体構造６５のキャビティ内に存在し、反射体構造６５は、反射性材料から形成され、ＬＥＤチップ４４から放出される光を、反射体構造６５によって形成される開口を通して反射するように機能する。反射体構造６５によって形成されるキャビティは、ＬＥＤチップ４４を封入する封入材料５４で充填されてもよい。封入材料５４は、透明であってもよいし、又は、例えば蛍光体等の波長変換材料を含んでもよい。
【００８１】
図１５及び１６の実施形態のいずれかにおいて、封入材料５４が透明である場合、ＬＥＤチップ４４によって放出される光は、実質的な色シフトが全く無い状態で、封入材料５４及び保護樹脂５６を通過する。したがって、ＬＥＤチップ４４から放出される光は、事実上ＬＥＤ４２から放出される光である。封入材料５４が波長変換材料を含む場合、第１の波長範囲内のＬＥＤチップ４４によって放出される光の実質的に全て又は一部分は、波長変換材料によって吸収される場合があり、波長変換材料は、応答して、第２の波長範囲内の光を放出することになる。波長変換材料の濃度及び型は、ＬＥＤチップ４４によって放出される光のどれだけが波長変換材料によって吸収されるかを、また、波長変換の程度を決定することになる。ＬＥＤチップ４４によって放出される光の一部が、吸収されることなく波長変換材料を通過する実施形態では、波長変換材料を通過する光は、波長変換材料によって放出される光と混合することになる。そのため、波長変換材料が使用されると、ＬＥＤ４２から放出される光は、ＬＥＤチップ４４から放出される実際の光から色がシフトされる。
【００８２】
例えば、ＬＥＤアレイ２０は、ＢＳＹ又はＢＳＧ  ＬＥＤ４２のグループ並びに赤色ＬＥＤのグループを含み得る。ＢＳＹ  ＬＥＤ４２は、青味がかった光を放出するＬＥＤチップ４４を含み、波長変換材料は、青色光を吸収し、黄味がかった光を放出する黄色蛍光体である。青味がかった光の一部が蛍光体を通過する場合でも、ＢＳＹ  ＬＥＤ４２全体から放出される光の得られる混合は、黄味がかった光である。ＢＳＹ  ＬＥＤ４２から放出される黄味がかった光は、１９３１ＣＩＥ色度図上の黒体放射軌跡（ＢＢＬ）上に乗る色点を有し、ＢＢＬは白色光の種々の色温度に対応する。
【００８３】
同様に、ＢＳＧ  ＬＥＤ４２は、青味がかった光を放出するＬＥＤチップ４４を含む。しかしながら、波長変換材料は、青色光を吸収し、緑味がかった光を放出する緑色蛍光体である。青味がかった光の一部が蛍光体を通過する場合でも、ＢＳＧ  ＬＥＤ４２全体から放出される光の得られる混合は、緑味がかった光である。ＢＳＧ  ＬＥＤ４２から放出される緑味がかった光は、１９３１ＣＩＥ色度図上のＢＢＬ上に乗る色点を有し、ＢＢＬは白色光の種々の色温度に対応する。
【００８４】
赤色ＬＥＤ４２は、一般的に、ＢＳＹ又はＢＳＧ  ＬＥＤ４２の黄味がかった光又は緑味がかった光と反対のＢＢＬの側の色点で赤味がかった光を放出する。したがって、赤色ＬＥＤ４２からの赤味がかった光は、ＢＳＹ又はＢＳＧ  ＬＥＤ４２から放出される黄味がかった光又は緑味がかった光と混合して、所望の色温度を有し、ＢＢＬの所望の近傍内に収まる白色光を生成する。実際には、赤色ＬＥＤ４２からの赤味がかった光は、ＢＳＹ又はＢＳＧ  ＬＥＤ４２からの黄味がかった光又は緑味がかった光を、ＢＢＬ上の又はＢＢＬの近くの所望の色点に引き寄せる。特に、赤色ＬＥＤ４２は、生来的に赤味がかった光を放出するＬＥＤチップ４４を有する場合があり、波長変換材料は使用されない。あるいは、ＬＥＤチップ４４は、波長変換材料に結合されてもよく、波長変換材料から放出される、得られる光及び波長変換材料によって吸収されることなくＬＥＤチップ４４から放出されるあらゆる光は、混合して、所望の赤味がかった光を形成する。
【００８５】
ＢＳＹ又はＢＳＧ  ＬＥＤ４２のいずれかを形成するのに使用される青色ＬＥＤチップ４４は、窒化ガリウム（ＧａＮ）、窒化インジウムガリウム（ＩｎＧａＮ）、シリコンカーバイド（ＳｉＣ）、セレン化亜鉛（ＺｎＳｅ）、又は同様な材料系から形成され得る。赤色ＬＥＤチップ４４は、窒化アルミニウムインジウムガリウム（ＡｌＩｎＧａＰ）、ガリウムリン（ＧａＰ）、アルミニウムガリウムヒ素（ＡｌＧａＡｓ）、又は同様な材料系から形成され得る。例示的な黄色蛍光体は、セリウムをドープしたイットリウムアルミニウムガーネット（ＹＡＧ：Ｃｅ）、黄色ＢＯＳＥ（Ｂａ、Ｏ、Ｓｒ、Ｓｉ、Ｅｕ）蛍光体等を含む。例示的な緑色蛍光体は、緑色ＢＯＳＥ蛍光体、ルテチウムアルミニウムガーネット（ＬｕＡｇ）、セリウムをドープしたＬｕＡＧ（ＬｕＡｇ：Ｃｅ）、ニュージャージ州０８５４０、プリンストン、２０１ワシントンロードのＬｉｇｈｔｓｃａｐｅ  Ｍａｔｅｒｉａｌｓ，Ｉｎｃ．からのＭａｕｉ  Ｍ５３５等を含む。上記ＬＥＤアーキテクチャ、蛍光体、及び材料系は、例示に過ぎず、本明細書に開示される概念に適用可能であるアーキテクチャ、蛍光体、及び材料系の網羅的リストを提供することを意図されない。
【００８６】
述べたように、ＬＥＤアレイ２０は、赤色ＬＥＤ及びＢＳＹ又はＢＳＧ  ＬＥＤ４２の混合を含んでもよい。ＬＥＤアレイ２０を駆動するためのドライバモジュール３０は、本開示の一実施形態に従って図１７に図示される。ＬＥＤアレイ２０は、直列接続されたＬＥＤ４２の２つ以上のストリングに電気的に分割されてもよい。示すように、３つのＬＥＤストリングＳ１、Ｓ２、及びＳ３が存在する。明確にするため、参照符号「４２」は、以下のテキストにおいてＬＥＤ４２の色を示す下付き文字を含むことになり、「Ｒ」は赤色に対応し、「ＢＳＹ」は青色にシフトされた黄色に対応し、「ＢＳＧ」は青色にシフトされた緑色に対応し、「ＢＳＸ」は、ＢＳＧ又はＢＳＹ  ＬＥＤ４２のいずれかに対応する。ＬＥＤストリングＳ１は、幾つかの赤色ＬＥＤ４２Ｒを含み、ＬＥＤストリングＳ２は、幾つかのＢＳＹ又はＢＳＧ  ＬＥＤ４２ＢＳＸのいずれかを含み、ＬＥＤストリングＳ３は、幾つかのＢＳＹ又はＢＳＧ  ＬＥＤ４２ＢＳＸのいずれかを含む。ドライバモジュール３０は、それぞれのＬＥＤストリングＳ１、Ｓ２、及びＳ３に供給される電流を制御する。ＬＥＤ４２を駆動するのに使用される電流は、一般的に、パルス幅変調（ＰＷＭ）され、パルス状電流のデューティサイクルが、ＬＥＤ４２から放出される光の強度を制御する。
【００８７】
第２のＬＥＤストリングＳ２におけるＢＳＹ又はＢＳＧ  ＬＥＤ４２ＢＳＸは、第３のＬＥＤストリングＳ３におけるＢＳＹ又はＢＳＧ  ＬＥＤ４２ＢＳＸよりわずかに青味がかった色相（より黄味がかっていない色相又はより緑味がかっていない色相）を有するように選択され得る。したがって、第２及び第３のストリングＳ２及びＳ３を通して流れる電流は、第２及び第３のＬＥＤストリングＳ２及びＳ３のＢＳＹ又はＢＳＧ  ＬＥＤ４２ＢＳＸによって効果的に放出される黄味がかった光又は緑味がかった光を制御するように調節され得る。第２及び第３のＬＥＤストリングＳ２及びＳ３の異なる色相のＢＳＹ又はＢＳＧ  ＬＥＤ４２ＢＳＸから放出される黄味がかった光又は緑味がかった光の相対的強度を制御することによって、第２及び第３のＬＥＤストリングＳ２及びＳ３からの黄味がかった光又は緑味がかった光の組合せの色相が、所望の方式で制御され得る。第１のＬＥＤストリングＳ１の赤色ＬＥＤ４２Ｒを通して提供される電流と第２及び第３のＬＥＤストリングＳ２及びＳ３のＢＳＹ又はＢＳＧ  ＬＥＤ４２ＢＳＸを通して提供される電流との比は、赤色ＬＥＤ４２Ｒから放出される赤味がかった光及び種々のＢＳＹ又はＢＳＧ  ＬＥＤ４２ＢＳＸから放出される黄味がかった光又は緑味がかった光の組合せの相対的強度を効果的に制御するように調整され得る。したがって、ＢＳＹ又はＢＳＧ  ＬＥＤ４２ＢＳＸからの黄味がかった光又は緑味がかった光の強度及び色点は、赤色ＬＥＤ４２Ｒから放出される赤味がかった光の強度を基準にして設定され得る。得られる黄味がかった光又は緑味がかった光は、赤味がかった光と混合して、所望の色温度を有し、ＢＢＬの所望の近傍内に収まる白色光を生成する。
【００８８】
特に、ＬＥＤストリングＳｘの数は、１から多数まで変わってもよく、ＬＥＤの色の異なる組合せが、異なるストリングにおいて使用されてもよい。各ＬＥＤストリングＳｘは、例えば赤色、緑色、及び青色等の、同じ色、同じ色の変形、又は実質的に異なる色のＬＥＤ４２を有してもよい。一実施形態では、単一ＬＥＤストリングを使用してもよく、そのストリング内のＬＥＤは、全て色が実質的に同一であるか、実質的に同じ色が変動するか、又は異なる色を含む。別の実施形態では、赤色、緑色、及び青色ＬＥＤを有する３つのＬＥＤストリングＳｘを使用してもよく、各ＬＥＤストリングＳｘは単一の色に専用である。更に別の実施形態では、少なくとも２つのＬＥＤストリングＳｘを使用してもよく、異なる色のＢＳＹ  ＬＥＤがＬＥＤストリングＳｘのうちの一方で使用され、赤色ＬＥＤがＬＥＤストリングＳｘのうちの他方で使用される。
【００８９】
図１７に示すドライバモジュール３０は、一般的に、整流器及び力率補正（ＰＦＣ回路６６と、変換回路６８と、制御回路７０とを含む。整流器及び力率補正回路６６は、ＡＣ電力信号（ＡＣ入力）を受け、ＡＣ電力信号を整流し、ＡＣ電力信号の力率を補正するように構成されている。得られる信号は、変換回路６８に提供され、変換回路６８は、整流されたＡＣ電力信号をＤＣ電力信号に変換する。変換回路６８によって提供されるＤＣ電力信号は、ＤＣ−ＤＣ変換回路によって１つ又は複数の所望のＤＣ電圧に昇圧又は降圧されてもよい。内部的に、ＤＣ電力信号は、ドライバモジュール３０内に設けられる制御回路７０及び任意の他の回路に電力を供給するのに使用されてもよい。
【００９０】
ＤＣ電力信号はまた、標準的な通信インタフェースの一部であり得る１つ又は複数の電力ポートに接続される電力バス４０に提供される。電力バス４０に提供されるＤＣ電力信号は、電力バスに接続され、ドライバモジュール３０から分離している１つ又は複数の外部デバイスに電力を提供するのに使用されてもよい。これらの外部デバイスは、通信モジュール３２と、以下で更に論じられる任意の数の付属デバイスとを含んでもよい。したがって、これらの外部デバイスは、電力についてドライバモジュール３０に依存してもよく、それに応じて、効率的かつ費用効果的に設計され得る。ドライバモジュール３０における整流器及びＰＦＣ回路６６と変換回路６８とは、ドライバモジュール３０の内部回路及びＬＥＤアレイ２０に電力を供給するだけでなく、これらの外部デバイスにも電力を供給することを要求されることを予想してロバスト設計される。こうした設計は、電源についての必要性をなくさない場合、電源設計を大幅に簡略化し、これらの外部デバイスについてのコストを低減する。
【００９１】
図示されるように、ＤＣ電力信号は、ケーブル配線２８によってＬＥＤアレイ２０に接続されることになる別のポートに提供されてもよい。この実施形態では、ＤＣ電力信号の供給ラインは、最終的に、ＬＥＤアレイ２０におけるＬＥＤストリングＳ１、Ｓ２、及びＳ３の各々の第１端に接続される。制御回路７０は、ケーブル配線２８によってＬＥＤストリングＳ１、Ｓ２、及びＳ３の各々の第２端に接続される。任意の数の固定又は動的パラメータに基づいて、制御回路７０は、それぞれのＬＥＤストリングＳ１、Ｓ２、及びＳ３を通って流れるパルス幅変調される電流を個々に制御してもよく、それにより、ＬＥＤストリングＳ１、Ｓ２、及びＳ３から放出される、得られる白色光は、所望の色温度を有し、ＢＢＬの所望の近傍内に収まる。ＬＥＤストリングＳ１、Ｓ２、及びＳ３の各々に提供される電流に影響を及ぼし得る多くの変数の幾つかは、ＡＣ電力信号のマグニチュード、得られる白色光、ドライバモジュール３０又はＬＥＤアレイ２０の周囲温度を含む。特に、この実施形態でＬＥＤアレイ２０を駆動するのに使用されるアーキテクチャは例示に過ぎない。その理由は、ＬＥＤストリングＳ１、Ｓ２、及びＳ３に提示される駆動電圧及び電流を制御するための他のアーキテクチャを当業者が認識することになるからである。
【００９２】
ある事例では、調光デバイスはＡＣ電力信号を制御する。整流器及びＰＦＣ回路６６は、ＡＣ電力信号に関連する相対的な調光量を検出し、対応する調光信号を制御回路７０に提供するように構成されてもよい。調光信号に基づいて、制御回路７０は、ＬＥＤストリングＳ１、Ｓ２、及びＳ３の各々に提供される電流を調整して、所望の色温度を維持しながら、ＬＥＤストリングＳ１、Ｓ２、及びＳ３から放出される、得られる白色光の強度を効果的に減少させることになる。調光命令は、代替的に、通信モジュール３２から制御回路７０に通信バス３８を介したコマンドの形態で送出されてもよい。
【００９３】
ＬＥＤ４２から放出される光の強度又は色は、周囲温度によって影響を受け得る。サーミスタＳＴ又は他の温度検知デバイスに関連付けられる場合、制御回路７０は、温度の負の影響を補償しようとして、周囲温度に基づいてＬＥＤストリングＳ１、Ｓ２、及びＳ３の各々に提供される電流を制御できる。ＬＥＤ４２から放出される光の強度又は色はまた、経時的に変化し得る。ＬＥＤ光センサＳＬに関連付けられる場合、制御回路７０は、ＬＥＤストリングＳ１、Ｓ２、及びＳ３によって生成されている、得られる白色光の色を測定し、ＬＥＤストリングＳ１、Ｓ２、及びＳ３の各々に提供される電流を調整して、得られる白色光が所望の色温度又は他の所望の計量を維持することを保証できる。制御回路７０はまた、占有及び周囲光情報について占有及び周囲光センサＳＯ及びＳＡの出力をモニターしてもよい。
【００９４】
制御回路７０は、中央処理ユニット（ＣＰＵ）と、例えば上述した標準プロトコル等の定義されたプロトコルを使用して適切な通信インタフェース（Ｉ／Ｆ）７４を通る通信バス３８を通じて、制御回路７０が通信モジュール３２又は他のデバイスと双方向に通信することを可能にするのに十分なメモリ７２とを含んでもよい。制御回路７０は、通信モジュール３２又は他のデバイスからの命令を受信し、受信された命令を実行する適切な動作を行ってもよい。命令は、ＬＥＤアレイ２０のＬＥＤ４２がどのように駆動されるかを制御することから、通信バス３８を介して通信モジュール３２又は他のデバイスに対して、制御回路７０によって収集された、例えば温度、占有、光出力、又は周囲光情報等の動作データを戻すことに及び得る。図２１に関連して以下で更に述べるように、通信モジュール３２の機能は、ドライバモジュール３０に統合されてもよいし、その逆も同様であってもよい。
【００９５】
図１８を参照すると、通信モジュール３２の一実施形態のブロック図が図示される。通信モジュール３２は、ＣＰＵ７６と、本明細書で述べる動作を促進するため、必須のソフトウェア命令及びデータを含む関連するメモリ７８とを含む。ＣＰＵ７６は、通信インタフェース８０に関連付けられてもよく、通信インタフェース８０は、通信バス３８を介して直接的又は間接的にドライバモジュール３０に接続される。ＣＰＵ７６はまた、有線通信ポート８２、無線通信ポート８４、又は双方に連結されて、他の照明器具１０及びリモート制御エンティティとの有線又は無線通信を容易にしてもよい。
【００９６】
通信モジュール３２の能力は、実施形態ごとに大きく変わってもよい。例えば、通信モジュール３２は、ドライバモジュール３０と他の照明器具１０又はリモート制御エンティティとの間の単純なブリッジとして動作してもよい。こうした実施形態では、ＣＰＵ７６は、他の照明器具１０又はリモート制御エンティティから受信されるデータ及び命令をドライバモジュール３０に主に渡すことになるか、その逆も同様である。ＣＰＵ７６は、ドライバモジュール３０と通信モジュール３２との間の通信、並びに、通信モジュール３２とリモート制御エンティティとの間の通信を促進するのに使用されているプロトコルに基づいて必要に応じて命令を翻訳してもよい。他の実施形態では、ＣＰＵ７６は、照明器具１０の間でインテリジェンスを調整し、データを共有するとき、並びに、ドライバモジュール３０の、完全でない場合、かなりの制御を提供するときに重要な役割を果たす。通信モジュール３２は、それ自体でドライバモジュール３０を制御できてもよいが、ＣＰＵ７６はまた、他の照明器具１０又はリモート制御エンティティからデータ及び命令を受信し、この情報を使用して、ドライバモジュール３０を制御するように構成されてもよい。通信モジュール３２はまた、関連するドライバモジュール３０からのセンサデータに基づく他の照明器具１０及びリモート制御エンティティに対する命令並びに他の照明器具１０及びリモート制御エンティティから受信されるセンサデータ及び命令を提供してもよい。
【００９７】
ＣＰＵ７６、メモリ７８、通信インタフェース８０、並びに、有線及び／又は無線通信ポート８２及び８４のための電力は、電力ポートを介して電力バス４０を通じて提供されてもよい。先に述べたように、電力バス４０は、ＤＣ電力信号を生成するドライバモジュール３０からその電力を受けてもよい。したがって、通信モジュール３２は、ＡＣ電力に接続されるか又は整流器及び変換回路を含む必要がなくてもよい。電力ポート及び通信ポートは、別個であってもよいし、又は、標準的な通信インタフェースと統合されてもよい。電力ポート及び通信ポートは、明確にするため別々に示される。通信バス３８は多くの形態をとり得る。一実施形態では、通信バス３８は、２線シリアルバスであり、コネクタ又はケーブル配線構成は、通信バス３８及び電力バス４０が、４つの線、すなわち、データ、クロック、電力、及びグラウンドを使用して設けられるように構成されてもよい。
【００９８】
他の実施形態では、通信バス３８及び電力バス４０は、効果的に組み合わされて、図１９に示すように、双方向通信を支援するだけでなく、ＤＣ電力も提供する通信バス３８Ｐを提供してもよい。４線システムでは、２つの線はデータ及びクロック信号のために使用されてもよく、別の２つの線は、電力及びグラウンドのために使用されてもよい。通信バス３８Ｐ（又は通信バス３８）の可用性によって、付属モジュールは、通信バス３８Ｐと接続されることが可能である。図１９に示すように、ドライバモジュール３０、通信モジュール３２、及び付属センサモジュール８６は全て、通信バス３８Ｐに接続され、それらの間の通信を促進するため標準プロトコルを使用するように構成される。付属センサモジュール８６は、占有、周囲光、光出力、又は温度等を検知し、対応するセンサデータを通信モジュール３２又はドライバモジュール３０に提供するように特別に構成されてもよい。付属センサモジュール８６は、異なる照明用途又は要件に基づいてドライバモジュール３０並びに通信モジュールについての異なる型の補助制御を提供するのに使用されてもよい。
【００９９】
任意の数の機能又は制御技法が付属センサモジュール８６によって使用され得るが、幾つかの例が図２０に示される。図示された付属センサモジュールは、占有モジュール８６Ｏ、周囲光モジュール８６Ａ、温度モジュール８６Ｔ、及び緊急時モジュール８６Ｅを含む。占有モジュール８６Ｏは、占有センサによって構成され、照明器具１０が取り付けられる部屋が占有されているのかに関する情報を提供するように機能してもよい。部屋が最初に占有されると、通信モジュール３２は、照明器具１０が効果的にターンオンされるようにＬＥＤアレイ２０を駆動するようドライバモジュール３０に指令し、同じゾーンにおける他の照明器具１０について、同じことを行う命令を提供してもよい。
【０１００】
周囲光モジュール８６Ａは、周囲光センサを含んでもよく、周囲光センサは、周囲光を測定し、周囲光の特性を確定し、次に、こうした情報を通信モジュール３２又はドライバモジュール３０に提供することが可能である。結果として、周囲光の量又は特性に基づく方法でＬＥＤアレイ２０を駆動するように、通信モジュール３２がドライバモジュール３０に指令することになるか、又は、ドライバモジュール３０が独立して機能することになる。例えば、大量の周囲光が存在する場合、ドライバモジュール３０は、ＬＥＤアレイ２０を、その最高光出力の２０％に対応するレベルに駆動するだけでもよい。周囲光がほとんど又は全く存在しない場合、ドライバモジュール３０は、ＬＥＤアレイ２０を最大能力で又は最大能力の近くで駆動してもよい。より精巧な実施形態では、周囲光モジュール８６Ａ、ドライバモジュール３０、又は通信モジュール３２は、周囲光の品質を分析し、ドライバモジュール３０に、周囲光の品質に基づく方法でＬＥＤアレイ２０を駆動させてもよい。例えば、周囲光の中に比較的大量の赤味がかった光が存在する場合、周囲光モジュール８６Ａは、効率が低い赤色ＬＥＤ４２Ｒが通常より低いレベルで駆動されるように、ＬＥＤアレイ２０を駆動するようにドライバモジュール３０に指令して、照明器具１０の全体効率を改善してもよい。通信モジュール３２は、他の照明器具１０又はリモート制御エンティティと周囲光データを共有してもよいし、更に、１つ又は複数の照明器具１０からの周囲光データを処理し、それに基づいて他の照明器具１０に命令を提供してもよい。
【０１０１】
温度モジュール８６Ｔは、部屋、ＬＥＤアレイ２０、又は、モジュールのいずれかに関連する電子機器の周囲温度を測定することが可能なセンサを含んでもよい。周囲温度データは、ドライバモジュール３０に適切な方式でＬＥＤアレイ２０を駆動させるのに使用されてもよい。最後に示された付属センサモジュールは、緊急時モジュール８６Ｅである。緊急時モジュール８６Ｅは、用途型モジュールを示し、全体的な照明器具１０が、緊急時モジュール８６Ｅに関連付けられると、緊急時照明器具として動作するよう変換され得る。緊急時モジュール８６Ｅは、ドライバモジュール３０と通信し、ＡＣ入力信号（ＡＣ入力）の状態、又はドライバモジュール３０の動作状態等を判定し、次に、ドライバモジュール３０を適切な方式で制御するか、又は、動作状態に関する情報を通信モジュール３２に提供することができる。例えば、ＡＣ入力信号（ＡＣ入力）の電源異常が存在する場合、緊急時モジュール８６Ｅは、電池バックアップ電源（図示せず）に切り換え、緊急時照明条件のための適切なレベルでＬＥＤアレイ２０を駆動するようにドライバモジュール３０に指令してもよい。緊急時モジュール８６Ｅはまた、ＡＣ入力信号（ＡＣ入力）、ドライバモジュール３０、又はＬＥＤアレイ２０についての種々の計量を回収し、この情報を通信モジュール３２に渡してもよい。通信モジュール３２は、その後、その情報を渡してもよいし、又は他の照明器具１０又はリモート制御エンティティについての命令を生成してもよい。
【０１０２】
通信バス３８Ｐに接続される種々のモジュールについて、一実施形態は、モジュールの各々に一意のＩＤを割り当て、それにより、他のモジュールの１つ又は複数が、それらを一意に識別できる。識別子はまた、モジュールの機能又は型に対応してもよい。したがって、ドライバモジュール３０はまた、通信バス３８Ｐ上に存在する種々の付属センサモジュール８６及び通信モジュール３２を識別し、これらのモジュールによって提供される機能を認識することができる。したがって、ドライバモジュール３０又は通信モジュール３２は、種々のモジュールによって受信されるコマンドに優先順位を付け、モジュール間の競合を管理するできる。
【０１０３】
図２１を参照すると、上述したドライバモジュール３０及び通信モジュール３２の機能が統合されるある実施形態が提供される。本質的に、制御回路７０は、通信モジュール３２の機能を含むように拡張される。したがって、上述したように、制御回路７０は、種々の有線又は無線通信ポート８２’及び８４’に連結されて、他の照明器具１０及びリモート制御エンティティとの通信を容易にしてもよい。こうした実施形態は、一般的に、製造するのに費用がかからないが、個別の通信モジュール３２及びドライバモジュール３０を使用する上記実施形態と同程度の柔軟性を提供しない場合がある。
【０１０４】
図２２に示すように、独立型センサモジュール８６’が照明システム内に設けられてもよい。独立型センサモジュール８６’は、例えば図示される周囲光センサＳＡ及び占有センサＳＯ等の１つ又は複数のセンサを含み、これらのセンサを持たない照明器具１０に近接して配置されてもよい。したがって、これらのセンサを持たない照明器具１０の通信モジュール３２は、独立型センサモジュール８６’と通信して、周囲光、占有、又は他の利用可能なセンサデータを取得し、次に、上述したように機能してもよい。したがって、照明システムの或るゾーン又はエリア内の照明器具１０の一部又は全ては、センサ又は一定の型のセンサを持つ必要はない。例えば、ある部屋内の照明器具１０の一部又は全ては、周囲光センサＳＡを有してもよい。しかしながら、その部屋に少なくとも占有センサＳＯを有する１つ又は複数の独立型センサモジュール８６’が利用可能である場合、照明器具１０は全く占有センサＳＯを必要としない場合がある。
【０１０５】
独立型センサモジュール８６’の電子機器は、通信モジュール３２と同様に見えてもよい。例えば、通信モジュール３２は、ＣＰＵ７６’と、本明細書で述べる動作を促進するため、必須のソフトウェア命令及びデータを含む関連するメモリ７８’とを含む。ＣＰＵ７６’はまた、有線通信ポート８２、無線通信ポート８４、又は双方に関連付けられて、他の照明器具１０又はリモート制御エンティティとの有線又は無線通信を容易にしてもよい。独立型センサモジュール８６’はまた、センサデータだけに加えて、制御命令を、照明システムの他の照明器具１０に提供するように構成されてもよい。種々の型の制御が、それ自体のセンサデータ並びに他の照明器具１０及び独立型センサモジュール８６’から収集されるセンサデータに基づいて提供されてもよい。
【０１０６】
図２３を参照すると、例示的なコミッショニングツール３６が図示されている。コミッショニングツール３６は、ＣＰＵ８８と、上述した機能を促進するのに十分なメモリ９０とを含んでもよい。ＣＰＵ８８は、キーパッド９４及びディスプレイ９６に関連付けられてもよく、キーパッド９４及びディスプレイ９６は、組み合わせて機能して、ユーザインタフェースを提供する。キーパッドは、従来の英数字キーパッド及び／又は特別に割り当てられた機能を有する一連のボタンであってもよい。ディスプレイ９６は、別個のハードウェアを基にしたキーパッド９４が必要とされないタッチスクリーンディスプレイであってもよい。ステータスインジケータ９８は、機能のステータス、ある活動等に関するユーザフィードバックを提供するのに使用されてもよい。ＣＰＵ８８は、照明器具１０、他の制御エンティティ、独立型センサモジュール８６’等のいずれかとの有線又は無線通信を促進する例えば有線通信インタフェース１００及び無線通信インタフェース１０２等の１つ又は複数の通信インタフェースに連結される。ＬＥＤドライバ１０４はまた、通信インタフェースとして機能して、周囲光センサＳＡ又は他の光受信器を装備する照明器具１０、センサ、及びスイッチとコミッショニングツール３６が通信することを可能にしてもよい。通信のために使用される周囲光は、可視及び／又は非可視光スペクトル内に存在し得る。例えば、通信は赤外線であってもよい。
【０１０７】
コミッショニングツール３６における電子機器の全ては、例えば電池等の適切な電力源から電力を供給されてもよい。コミッショニングツール３６は、照明器具１０、センサ、及びスイッチをプログラムすると共に、任意の設定の調整、設定のロード、センサデータの受信、命令の提供等を行うのに使用されてもよい。本質的に、コミッショニングツール３６は、照明器具１０及び独立型センサ及びスイッチの各々についての可搬型ユーザインタフェースとして機能してもよく、並びに、リモート制御エンティティであって、種々のデータ処理及び制御が当該リモート制御エンティティを介して提供され得るリモート制御エンティティとして機能してもよい。通常、コミッショニングツール３６が使用されて、照明器具のセットアップを開始し、ネットワークに対して調整を行い、照明ネットワークから情報を受信することになる。コミッショニングツール３６は、照明ネットワークが別のリモート制御エンティティに対する接続を促進する他のインタフェースを全く持たないときに特に有用である。
【０１０８】
照明器具１０及び任意の独立型センサ及びスイッチが設置されると、アドレス又はＩＤがデバイスに予めプログラムされていない場合、コミッショニングツール３６が最初に使用されて、アドレス又はＩＤを照明器具１０及び独立型センサ及びスイッチに割り当ててもよい。コミッショニングツール３６はまた、種々の照明器具１０及び独立型センサ及びスイッチを、特定ゾーンについての照明エンティティを示すことになる種々のグループに割り当てるのに使用されてもよい。コミッショニングツール３６はまた、概して、グループ割り当てを変更すると共に、グループ又は照明システムから照明器具１０又は独立型センサ又はスイッチを除外するのに使用されてもよい。コミッショニングツール３６はまた、特定の照明器具１０又は独立型センサ又はスイッチに特定のゾーン又は全体的な照明システムのためにこの機能を提供するように指令できてもよい。コミッショニングツール３６を使用する例示的なコミッショニングプロセスは、以下で更に示される。
【０１０９】
アクセス制御のために、コミッショニングツール３６は、特定のエンティティとの通信を確立し、それ自体を認証できることになる。コミッショニングツール３６が、特定のグループ又は全体的な照明システム内の照明器具１０又は独立型センサ又はスイッチによってそれ自体を認証すると、コミッショニングツール３６は、そのグループ又は照明システムの他のメンバによって自動的に認証されてもよい。更に、種々の照明器具１０又は独立型センサ又はスイッチは、他の照明器具１０と独立型センサ又はスイッチとコミッショニングツール３６との間の通信を容易にできてもよい。あるいは、コミッショニングツール３６は、非常に接近しているときに、照明器具１０又は独立型センサ又はスイッチと通信するだけであるように構成されてもよい。これは、物理的プラグイン接続を通して、あるいは、低電力赤外線又は無線周波数通信リンクを通して達成されてもよい。直接の又は短距離の通信技法を使用することによって、コミッショニングツール３６は、特定の照明器具１０又は独立型センサ又はスイッチに非常に接近して配置でき、制限された通信範囲内の１つ又は複数のエンティティとだけ通信できる。
【０１１０】
独立型センサ又はスイッチの内部ロジック又はプログラミングは、コミッショニングツール３６又は任意の他のリモート制御エンティティからダウンロードされてもよいし、コミッショニングツール３６又は任意の他のリモート制御エンティティによって修正されてもよいし、又は、置換されてもよい。したがって、照明設計者及びメインテナンス技術者は、彼らの意図する照明目標を最もよく達成する方法で機能するように全体的な照明ネットワークを構成するように装備される。したがって、照明器具１０及び独立型センサ又はスイッチの全ての又は種々のグループは、ある用途の場合、互いに同期して、また、他の用途において互いから独立して動作するように構成されてもよい。コミッショニングツール３６は、例えばスマートフォン又はタブレットと同様なフォームファクタを有する手持ち式デバイス等の種々の形態をとり得る。通信インタフェース１００上の種々のポートは、外部センサ、ディスプレイ、キーパッド等を設置する共に、パーソナルコンピュータ又はコンピュータネットワークに対するインタフェースを容易にするのに使用されてもよい。コミッショニングツール３６はまた、上述したアーキテクチャを有するデバイスであってもよく、例えばノートブックＰＣ、タブレット、又はスマートフォン等の可搬型コンピューティングデバイスに接続されてもよい。その組合せは、コミッショニングツール機能を実行する可能性がある。
【０１１１】
先に示したように、種々の照明器具１０並びに独立型センサ又はスイッチは、センサデータ、命令、及び他の情報を共有する。多くの事例では、こうした情報は、意図される宛先に達する前に１つ又は複数の中間照明器具１０又は独立型センサモジュール８６’を通してルーティングされる必要があり得る。したがって、これらの照明器具１０及び独立型センサ又はスイッチは、全体的な照明システム内でルーティングノードとして機能してもよい。以下は、アドレスを割り当て、ルーティングテーブルを構成し、これらのルーティングテーブルにアクセスして、照明システムの種々のエンティティの間で情報交換を促進するユニークでかつ効率的な技法を述べる。これらの技法は、上述したような照明システムを、それらの要件の点でより信頼性がありかつ予測可能にする。
【０１１２】
図２４を参照すると、例示的な独立型スイッチモジュール１１０が提供される。スイッチモジュール１１０は、ＣＰＵ１１２と、スイッチの動作を促進するのに十分なメモリ１１４とを含んでもよい。スイッチ回路１１６は、スイッチが、オン位置又はオフ位置並びに調光位置であるべきかを判定することが可能である。オン／オフ／調光位置に基づいて、スイッチ回路１１６は、対応する情報をＣＰＵ１１２に提供することになり、ＣＰＵ１１２は、その情報を処理し、コマンド又は対応するステータス情報を照明ネットワークにおける１つ又は複数のノードに送信するか否かを判定することが可能である。スイッチモジュール１１０は、有線通信インタフェース１２０又は無線通信インタフェース１２２を通して照明ネットワークにおける他のノードと通信してもよい。有線通信インタフェース１２０の場合、接続型は、既存のＡＣラインを通じて信号を通すことから、おそらくシリアルバス通信を支援することになるであろう別個のインタフェースケーブル配線、又は独占的インタフェースに及び得る。無線通信インタフェース１２２は、ネットワークとの無線での通信を容易にし、また、実質上、照明ネットワークによって提供されるメッシュネットワークにおける別のノードであってもよい。スイッチモジュール１１０はまた、ＣＰＵ１１２に周囲光状態及び／又は占有情報を提供できる周囲光センサＳＡ及び占有センサＳＯを含んでもよく、ＣＰＵ１１２は、周囲光状態及び／又は占有情報を処理して、照明ネットワークにおける他のノードが機能するようにどのように指令するかを制御してもよく、又は、照明ネットワークにおける制御ノードに周囲光及び／又は占有情報を単に渡してもよい。スイッチモジュール１１０はまた、例えばＬＥＤ等の光源１１８を含み、ステータス表示を提供してもよいし、又は、コミッショニングツール３６又は他のデバイスとの近接場可視光又は非可視光ベース通信を容易にしてもよい。周囲光センサＳＡはまた、コミッショニングツール３６又は他のデバイスから可視光又は非可視光ベース通信を受信してもよい。特に、スイッチモジュール１１０は、図２４に図示される機能に対して更なる又は少ない機能を含んでもよい。
［例示的な照明システムにおけるネットワークデバイス］
以下は、本開示の例示的な無線通信技法を使用する特定のシステムの説明である。システムにおけるデバイスは、種々の構成のスイッチ、センサ、及び照明器具１０を含んでもよい。システムの通信トポロジは、ＩＥＥＥ８０２．１５．４規格に基づくＲＦメッシュネットワークであってもよい。したがって、ネットワーク上の種々のノードは、２．４ＧＨｚ帯における１つ又は複数のチャネル上で通信してもよい。この構成におけるデータレートは、通常、２００ｋｂｐｓであるが、実際のスループットはメッセージングオーバヘッド及びトラフィックボリュームに著しく依存する。
【０１１３】
ネットワークが形成されると、ほとんどの通信は、タンデムに動作する、例えばスイッチ、センサ、及び照明器具等のデバイスを含む、グループ内で起こる。この特定のシステムがグループ化に重きを置くことによって、ＲＦトラフィックは、システムが稼働すると、比較的最小になるべきである。その結果、ほとんどの用途について、ＲＦメッシュネットワークは、知覚的に瞬時の応答を提供することになり、それにより、遅延がユーザに気付かれない。実際には、これは、照明器具１０が、通常、それらのグループ内のスイッチ、センサ、又は他の制御動作に対して１００ｍｓｅｃ以内で応答し得ることを意味する。
【０１１４】
以下は、図示されたシステムのスイッチ、センサ、及び照明器具１０の特定のコンポーネント及び構成を述べる。図２５に図示されるように、スマート器具１３０は、ＬＥＤアレイ２０、周囲光センサＳＡ、及び占有センサＳＯに統合的に関連付けられるドライバモジュール３０を含むコンポーネントである。以下で述べる他のモジュール式コンポーネントとの通信は、先に述べたように、Ｉ２Ｃシリアルバス等を介して容易にされる。この構成では、ドライバモジュール３０は、モジュール又はモジュールに接続されるコンポーネントにＤＣ電力を提供することが可能である。
【０１１５】
図２６及び２７に図示されるように、屋内ＲＦ通信モジュールｉＲＦＭ３２’及び屋外ＲＦ通信モジュール３２”ｏＲＦＭは、通信モジュール３２の変形である。ｉＲＦＭ３２’及びｏＲＦＭ３２”は、例えばスマート器具１３０等の種々の照明コンポーネントについて、メッシュネットワークに接続してもよいし、メッシュネットワークに対する無線接続を提供してもよい。ｉＲＦＭ３２’及びｏＲＦＭ３２”は、標準的なコネクタを介して、接続されたスマート器具１３０又は他のコンポーネントから電力を受けると共に、それと通信してもよい。ｉＲＦＭ３２’及びｏＲＦＭ３２”は、無線通信能力を有する他のデバイスに対する無線接続を支援する。図２８は、照明器具１０の変形を生成するため、スマート器具１３０に直接接続されたｉＲＦＭ３２’を図示している。ＤＣ電力はスマート器具１３０によってｉＲＦＭ３２’に提供される。ｉＲＦＭ３２’及びスマート器具１３０は、Ｉ２Ｃシリアルバスを介して互いに通信する。
【０１１６】
図２９に図示されるように、器具センサモジュール（ＦＳＭ）１３２は、図２８のｉＲＦＭ３２’及びスマート器具１３０に接続されて、照明器具１０に更なる検知能力を付加してもよい。ＦＳＭ１３２は、付属モジュール８６（図２０）の型であり、スマート器具１３０から電力を取得し、ｉＲＦＭ３２’及びスマート器具１３０にプラグインするためのパススルーコネクタを提供するように構成される。周囲光センサＳＡ、占有センサＳＯ、又は他のセンサ型が出力変化を生成すると、ＦＳＭ１３２は、その変化を、ローカルＩ２Ｃバスを介して、取り付けられたスマート器具１３０、及び存在する場合、ｉＲＦＭ３２’の双方に通信する。ｉＲＦＭ３２’は、接続される場合、そのシステムにおける照明デバイスの関連するグループにＦＳＭセンサ更新を無線通信する。
【０１１７】
図３０に図示されるように、ＡＣ駆動式か又は電池駆動式である屋内又は屋外無線センサモジュール１３４もまた設けられてもよい。無線センサ１３４は、無線通信インタフェースを有し、また、１つ又は複数の周囲光又は占有センサＳＡ、ＳＯを使用して、周囲光状態、又は部屋占有等をモニターするように構成される。電池寿命を最大にするため、無線センサの通信及び処理回路は、その時間の９９％を超えてターンオフされたままにされてもよい。センサからの出力が変化すると、通信及び処理回路は、ターンオンし、関連するグループ内の照明デバイスにセンサ更新を送信する。無線センサ１３４は、他の照明器具１０、スマート器具１３０等から物理的に離れて配置されることを意図される。無線センサ１３４は、必ずしも照明要素ではないがセンサが必要又は所望される位置に配置されてもよい。
【０１１８】
図３１に図示されるように、無線中継モジュール１３６が使用されて、レガシー（照明）器具１３８の無線制御が、器具１３８のオン／オフ制御及び調光を提供することを可能にしてもよい。無線通信回路が無線制御信号を受信すると、中継器は、レガシー器具１３８に供給されるＡＣ電力を制御してもよいし、かつ／又は、制御信号（０Ｖ〜１０Ｖ）は、調光レベルを制御するために提供されてもよい。無線中継モジュール１３６はまた、周囲光及び占有センサＳＡ、ＳＯを含み、出力変化を、関連するグループ内の他のデバイスに無線で報告してもよい。
【０１１９】
図３２に図示されるように、無線オン／オフ／調光スイッチ（ＷＳ）１４０として構成されるスイッチモジュール１１０のバージョンが設けられる。ＷＳ１４０は、無線通信ネットワーク上に存在し、上述したように、周囲光センサＳＡ、オン／オフ制御及び調光回路を含んでもよい。周囲光センサＳＡが作動すると、ＷＳ１４０は、そのグループ内のデバイスに更新を送信する。ＲＦ設計は、電池電力について低電力動作を支援するが、ＡＣ電力源に配線で接続されてもよい。
［例示的なネットワークコミッショニングプロシージャ］
コミッショニングを行うことは、一般的に、１）ネットワークを形成するステップと、２）ネットワークデバイスを複数のグループにグループ化するためにデータを収集するステップと、３）グループ化プロセスを実行するステップと、４）各デバイスについてグループを割り当てるステップと、５）グループ割り当てを改訂するステップとを含む。
【０１２０】
この例では、手持ち式コミッショニングツール３６が使用されて、コミッショニングプロセスを開始し制御する。未初期化システムの場合、ユーザは、コミッショニングツール３６から「スタート・コミッショニング」プロセスをアサートして、ネットワーク形成を始める。これは、単に、コミッショニングツール３６を例えば照明器具１０等のルーティングノードの近くに移動させ、次に、「スタート・ネットワーク形成」メッセージを送信するコミッショニングツール３６上のワンボタンコマンドを開始させることを必要とし得る。ルーティングノードは、調整器として機能することが可能であり、また、１つのノードから別のノードに情報を送ることができる例えば照明器具１０等のネットワーク上の任意のデバイスであってもよい。
【０１２１】
ルーティングノードが調整器になるために、ルーティングノードは、メッセージ等に関連する受信信号強度インジケータ（ＲＳＳＩ）をモニターし、ＲＳＳＩが定義された閾値を超えたと判定してもよい。他のルーティングノードは、そのメッセージを受信してもよいが、ＲＳＳＩは定義された閾値未満であることになる。例えば電池駆動式無線センサ１３４、無線スイッチ１４０等のようなスリーパノードは、スリープすることになるか又はスタート・ネットワーク形成メッセージを無視することになる。
【０１２２】
この実施形態では、近接するルーティングノードがスタート・ネットワーク形成メッセージを受付け、それ自体を調整器としてアサートすると仮定する。調整器は、ジョイン・マイネットワーク（ＪＭＮ）メッセージを他の非調整器ルーティングノードにブロードキャストし、その後、システム内の非調整器ノードがネットワークに参加することを可能にする。調整器は、参加を許可し、２４、１６、８、又はその程度のビットであり得る「短い」ネットワークアドレスを、ネットワークに参加した非調整器ルーティングノードに割り当ててもよい。短縮アドレスは、デバイスのための対応するＭＡＣアドレスより短い点で「短く」、ＭＡＣアドレスの代わりに使用されて、短縮アドレスが割り当てられると、ネットワーク全体にわたる通信を促進することになる。ネットワーク形成のこの第１ステージでは、調整器は、ルーティングノードの全てを含むネットワークを効果的に確立する。
【０１２３】
具体的には、調整器は、全てではないが複数の利用可能な通信チャネル上でＪＭＮメッセージを送信するタスクが課される。そのＪＭＮメッセージにおいて、調整器は、非調整器ルーティングノードが応答すべきである選択チャネルを示してもよい。参加プロセス中に、調整器は、ネットワークに参加する非調整器ルーティングノードに短縮アドレスを提供することになる。調整器はまた、デフォルトの短縮アドレスを有することになるか、又は、それ自体に短縮アドレスを割り当てることになる。述べたように、これらの短縮アドレスは、通常のネットワーク動作中の通信のために使用されることになる。調整器はまた、１つのルーティングノードから別のルーティングノードに情報をルーティングするときに使用するためにそれ自体のルーティングテーブルを構築することになる。
【０１２４】
協調方式で、非調整器ルーティングノードは、最初にＪＭＮメッセージを待つことになる。ブロードキャストされたＪＭＮメッセージが受信されると、非調整器ルーティングノードは、調整器によって識別される選択チャネルに応答することになる。ルーティングノードはまた、調整器によって割り当てられた短縮アドレスを受信して、短縮アドレスを格納し、当該ルーティングノード自体のルーティングテーブルを構築することになる。種々のルーティングノードのための一意のＭＡＣアドレスはまた、このプロセス中に交換され得る。調整器は、応答したノードを追跡することになり、また、各ノードにネットワークを構成する他のノード及びそれぞれの短縮アドレスを知らせて、ネットワークのルーティングコアを効果的に形成してもよい。
【０１２５】
全てのルーティングノードが参加するために十分な時間を許容した後、調整器は、上述した投光プロセスを開始及び制御して、種々のルーティングノードを異なるグループにグループ化するのを助けることになる。したがって、調整器は、それ自体、投光モードに入り、その後、投光モードに入るように各ルーティングノードに順次要求することになる。例示的な投光は、予め定義されたＰＷＭ周波数で５０％デューティサイクルの光出力を提供することを伴うことになるであろう。投光信号のためのＰＷＭ周波数に対する代替として、オン−オフシーケンシングが使用され得る。
【０１２６】
投光中、ルーティングノードは、「投光器」とみなされ、ルーティングノードに、それ自体を識別し、そのルーティングノードが現時点の投光器であることを示すＲＦメッセージのストリームを送信することになる。他のルーティングノードは、所定の投光器からの投光信号をモニターし、投光信号のマグニチュードを計算し、所定の投光器について投光信号のマグニチュードを格納することによって、投光受信器（又は、「光キャッチャ」）として機能する。例えば電池駆動式無線センサ１３４、無線スイッチ１４０等のようなスリーパノードは、投光信号を受信し、それらの無線受信器をターンオンして、投光器のアイデンティティを示すＲＦメッセージを聞き得る。投光プロセス中に、スリーパノードは、ウェイクアップし、ネットワークに参加するよう要求するようにトリガーされ得る。調整器ノードは、スリーパノードの参加要求を許可しながら、スリーパノードに短縮アドレスを割り当てることになる。投光が全てのデバイスについて終わった後、調整器は、ネットワーク情報が完全であるというメッセージをコミッショニングツール３６に送信することになる。
【０１２７】
したがって、調整器は、投光要求メッセージをルーティングノードに順次送信し、スリーパノードから参加要求を受付け、参加するスリーパノードに短縮アドレスを割り当てることになる。調整器はまた、他の投光器が投光しているときに収集される投光受信データを保存することになる。調整器はまた、コミッショニングツール３６又は他のデバイスによって要求されるまで投光受信データを保持することになる。非調整器投光ノードは、要求されると投光を実行すると共に、他の投光器からの投光中に投光受信データを収集し保存することになる。やはり、投光受信データは、コミッショニングツール３６又は他のデバイスによって要求されるまで格納される。通常、スリープしているスリーパノードの場合、スリーパノードは、完全にパワーオンし、投光信号の存在を検知するとすぐにジョイン・ネットワーク（ＪＮ）要求メッセージを提示することになる。スリーパノードは、コミッショニングツール３６から短縮アドレスを受信することになると共に、投光受信データを収集し保存することになる。投光受信データは、コミッショニングツール３６又は別のデバイスによって要求されるまで保存される。他の実施形態では、投光受信データは、収集されると、例えば調整器等の指定ノードに、又は、コミッショニングツール３６に送信されてもよい。
【０１２８】
投光受信データが、要求されるまで格納されると仮定すると、以下のプロセスが使用されてもよい。投光受信データを収集するため、コミッショニングツール３６は、各ノードに各ノードの投光受信データがあるか尋ねる。無線メッシュネットワークが既に形成されているため、コミッショニングツール３６は、任意のルーティングノードと通信して、ネットワークに対するエントリポイントを確立してもよい。各ノードは、その投光データに応答する。
【０１２９】
具体的には、コミッショニングツール３６は、投光受信データについての要求を送出してもよい。調整器と非調整器との双方のルーティングノードは、投光受信データに応答することになる。ある実施形態では、スリーパノードは、それら自体の投光受信データを、例えば非調整器ルーティングノード及び調整器等の非スリーパノードと共有してもよい。これが事実である場合、スリーパノードのための投光受信データは、コミッショニングツール３６に提供されてもよい。スリーパノードがそれらの投光受信データを非スリーパノードと共有しない場合、スリーパノードは、アウェイクである場合、又は、自動的に、又は、投光又は光信号によって最終的にアウェイクされると、それら自体の投光受信データに応答してもよい。
【０１３０】
投光受信データを収集した後、コミッショニングツール３６は、グループ化プロセスを進める。コミッショニングツール３６それ自体又はおそらく取り付けられたノートブックコンピュータは、投光受信データに基づいて最適なノードグループ化を決定するためのグループ化アルゴリズムを実行する。コミッショニングツール３６（又は、取り付けられたＰＣ）がグループ化アルゴリズムを実行すると、コミッショニングツール３６は、グループ割り当て及びグループアドレスをネットワーク内の各ルーティングノードに通信し、（グループアドレスを含む）グループ割り当てデータは、各ルーティングノードに送信され、そのルーティングノードのグループ内の全てのノードを含む。
【０１３１】
全てのスリーピングノードは、少なくとも１つのルーティングノードと共にグループ化される。スリーピングノードは、それらのグループ割り当てを２つの方法のいずれかによって受信してもよい。第１に、各スリーピングノードは、定期的にウェイクアップして、そのセンサデータを発信し、ネットワークからシステムステータス更新を要求する。スリーパノードのメッセージに応答して、関連するルーティングノードは、応答し、グループ割り当てデータを介してそのグループ割り当てをスリーパノードに提供してもよい。グループアドレスをスリーパノードに割り当てるための第２の方法は、そのグループ内にスリーパノードを有するルーティングノードが、投光を実行して、スリーパノードをアウェイクさせることを要求する。アウェイクされたスリーパノードは、その後、そのセンサデータを発信し、ネットワークからシステムステータス更新を要求する。スリーパノードのメッセージに応答して、関連するルーティングノードは、応答し、スリーパノードにそのグループ割り当てデータを提供する。
【０１３２】
必然的に、一部のグループ割り当ては修正される必要があることになる。コミッショニングツール３６は、グループ割り当てをチェック及び変更する方法を提供する。コミッショニングツール３６は、異なるグループに割り当てられる必要がある照明器具１０、無線センサ１３４、無線中継モジュール１３６、又は無線スイッチ１４０等に組み込まれる周囲光センサＳＡにユーザが向け得るＬＥＤ（又は他の可視光又は非可視光）出力を含み得る。コミッショニングツール３６は、ＬＥＤを使用して、投光信号を提供すると共に、ＲＦメッセージを送信及び受信し、それにより、グループ割り当て変更を行ってもよい。
【０１３３】
１つのグループから別のグループへ例えばスマート器具１３０等のノードを再割り当てするための例示的なプロセスは次の通りである。最初に、ユーザは、再割り当てされるスマート器具１３０にコミッショニングツール３６を向け、１つのグループから別のグループへノードを再割り当てすることに関連するユーザ入力を提供することになる。コミッショニングツール３６は、そのＬＥＤ出力を介して、対応する投光信号を開始すると共に、スマート器具１３０の短縮アドレスを要求するＲＦメッセージを送信することになる。スマート器具１３０は、投光信号を受信し、ＲＦメッセージを待つことになる。スマート器具１３０は、スマート器具１３０のための短縮アドレス及びグループアドレスを含むＲＦ確認メッセージを提供することになる。
【０１３４】
次に、ユーザは、スマート器具１３０が移される先の新しいグループにおけるノードにコミッショニングツール３６を向けることになる。ユーザは、ボタンを押すか又は入力を提供し、コミッショニングツール３６にスマート器具１３０を新しいグループに移すように指令することになる。これに応じて、コミッショニングツール３６は、投光信号を開始すると共に、ノードが新しいグループに移されることを示す対応するＲＦメッセージを送信することになる。ＲＦメッセージは、スマート器具１３０の短縮アドレスを含むことになる。投光信号を受信している新しいグループにおけるノードはまた、コミッショニングツール３６からＲＦメッセージを受信することになる。
【０１３５】
受信するとすぐに、新しいグループにおけるノードは、確認をコミッショニングツール３６に送信すると共に、適切な短縮アドレスを使用してスマート器具１３０にメッセージを送信して、新しいグループのためのアドレスを提供することになる。スマート器具１３０は、そのグループアドレスを更新し、移動が完了したことを示すメッセージをコミッショニングツール３６に送信することになる。新しいグループにおける他のノードに関連する情報はまた、メッシュネットワークを介してスマート器具１３０に提供されてもよい。新しいグループにおけるノードから新しいグループアドレスを受信した後、スマート器具１３０はまた、確認をコミッショニングツール３６に返信すると共に、そのスマート器具１３０がグループを変更していることを示すメッセージを、古いグループにおける１つ又は複数のノードに送信してもよい。この時点で、スマート器具１３０は、あらゆるセンサレベルをモニターし、メッシュネットワークを介して新しいグループにおけるノードに、利用可能なあらゆるセンサデータを提供してもよい。例は、１つのグループから別のグループにスマート器具１３０を再割り当てしたが、この技法は、ネットワークにおける任意の型のノードに適用される。
【０１３６】
ネットワークが再初期化を必要とする場合、ユーザは、コミッショニングツール３６を使用して、ネットワークノードに、ネットワークノードの予めコミッショニングされた設定に復帰するよう指令してもよい。おそらく、このプロセスを開始することは、意図しない取り消しコマンドを防止するため、マルチステップシーケンスを必要とすることになる。コミッショニングが終了し、グループ化補正が行われると、システムは、いつでも動作できる状態になる。一般的に、スイッチ及びセンサがシステムに入力を提供する。照明器具１０は、これに応じて、これらの入力をそれらのエネルギー節約設定及び機能の枠組み内で解釈する。
【０１３７】
ネットワーク内での異なる型のデバイスの動作が以下で述べられる。無線中継モジュール１３６（図３１）は、そのグループからの入力データをモニターする。これは、他のスイッチ、リモートセンサ、及びそれ自体の内部センサからのデータを含む。スイッチ及びリモートセンサからのデータは、無線ネットワーク通信を介して届く。内部センサからのデータは、内部で収集及び格納される。無線中継モジュール１３６は、内部ロジックを独立して実行し、内部ロジックは、種々の入力及び設定を解釈し、これに応じて、０〜１０Ｖ調光制御及び中継オン／オフ制御を出力する。無線中継モジュール１３６は、メッシュネットワーク内でメッセージルーティングを実行するその無線通信回路に依存する。ルーティングは、バックグラウンド活動として発生し、光制御動作に影響を全く与えない。
【０１３８】
無線中継モジュール１３６は、そのグループ内のスリープしているスリーパノードについてのメッセージを保持してもよい。ノードが、その後、アウェイクし、更新を要求すると、無線中継モジュール１３６は、保持されたメッセージをアウェイクしたスリーパノードに送信する。特に、無線中継モジュール１３６は、その内部の周囲光センサデータを処理し、投光信号を探索する。ネットワークが通常動作モードにある状態で、唯一予想される投光信号は、コミッショニングツール３６からの信号であることになる。無線中継モジュール１３６は、コミッショニングツールの投光信号を受信すると、要求される無線コマンドを実行することになる。
【０１３９】
ほとんどの点で、スマート器具１３０は、無線中継モジュール１３６と同様に動作する。１つの主要な違いは、スマート器具１３０が、一般的に、通信モジュール３２に接続されて、照明器具を形成することである。２つのモジュールは、Ｉ２Ｃバスを介して互いに通信してもよい。モジュールのうちのいずれかは、センサデータを処理及び格納するのに使用されてもよい。しかしながら、通信は、通信モジュール３２によって提供される。
【０１４０】
無線センサ１３４は、そのグループに周囲光及び占有センサデータを提供する。無線スイッチ１４０は、ＲＦメッセージを介してオン／オフ及び調光情報を提供する。無線センサ１３４は、定期的に、ウェイクアップし、センサをモニターし、センサ更新メッセージをそれらのグループに送信する。無線スイッチ１４０は、オン、オフ、及び調光状態変化を示すＲＦメッセージを提供する。これにより、グループメンバは、グループ内の無線センサ１３４及び無線スイッチ１４０をモニターし、メッセージ内に提供される情報を処理し、それに応じて反応することができる。グループ内のルーティングノードは、無線センサ１３４のためのメッセージを有する場合、ウェイキング間隔中にこれらのメッセージを通信する。
［自動調整器選択及びグループ化開始］
先の例は、調整器として機能する例えば照明器具１０等のルーティングノードを選択することによって、ネットワーク形成を開始するコミッショニングツール３６に依存した。調整器は、その後、短縮アドレスを種々のネットワーク要素に割り当て、コミッショニングツール３６が、投光プロセスを通してグループ割り当てを行うのを補助することになる。次の実施形態の場合、ルーティングノードが、自動的に互いを発見し共に働いて、コミッショニングツール３６又は他のエンティティからの外部補助なしで調整器を識別する変形が述べられる。調整器は、ネットワーク内で通常の通信に関して使用するために短縮アドレスを自動的に割り当てると共に、先に述べた投光を使用してグループ化プロセスを自動的に開始して制御することになる。
【０１４１】
この実施形態における調整器の識別は、反復的プロセスであり、種々のルーティングノードは、本質的に、通常６４ビットであるルーティングノード自体のＭＡＣアドレスを交換し、より小さい（又はより大きい）ＭＡＣアドレスを有するルーティングノードが、少なくとも暫くの間、調整器であるはずであると決定することになる。より小さいＭＡＣアドレスを有するルーティングノード（調整器）は、より大きいＭＡＣアドレスを有するルーティングノードに一意の短縮アドレスを割り当てることになる。調整器及び他のルーティングノードは、それらのネットワークに参加するための例えばＪＭＮ要求等の要求を定期的に発信することになる。調整器として割り当てられた第１のルーティングノードが、より小さいＭＡＣアドレスを有する第２のルーティングノードとＭＡＣアドレスを交換する場合、第１のルーティングノードは、その調整器の役割をより小さいＭＡＣアドレスを有する第２のルーティングノードに譲渡することになる。第２のルーティングノードは、短縮アドレスを第１のルーティングノードに迅速に割り当てることになる。わずかな反復後に、ネットワーク内の最も小さい（又は最も大きい）ＭＡＣアドレスを有するルーティングノードは、調整器として設定され、ネットワーク内の各ルーティングノードに短縮アドレスを割り当てていることになる。やはり、調整器割り当てプロセスは、最小ＭＡＣアドレスを有するルーティングノードと対照的に、最大ＭＡＣアドレスを有するルーティングノードを同じくらい容易に見出し得る。同様に、他の一意の識別基準が交換されて、同様のプロセスで調整器を識別し得る。更に、短縮アドレスはオプションであり、通常動作中にルーティングプロセスを加速するだけのために使用される。代替の実施形態は、短縮アドレスの使用を放棄し、従来のメッシュネットワークで行われるように、ルーティングのためにＭＡＣアドレス又は他のアドレスに依存する。
【０１４２】
スリーパノード又は他の非ルーティングノードは、定期的にウェイクアップし、それらの短縮アドレスを直接調整器から又は関連するルーティングノードを介して調整器から得ることになる。例えば全体的な制御、スイッチ及びセンサ情報の交換、ルーティングテーブルのセットアップ、ネットワークを通したメッセージのルーティング、投光制御、及びグループ化等のような全ての他の機能は、上述したように扱われる可能性がある。更に、コミッショニングツール３６は、上述したように、設定の微調整、要素の再グループ化等を行うのに依然として使用されてもよい。
【０１４３】
少数の例示的な通信フローが、ネットワークについて調整器を選択するための種々のシナリオを図示するために以下で述べられる。これらのフローでは、４つの異なるルーティングノードＡ〜Ｄが述べられる。種々のフローにおいて、６４ビットＭＡＣアドレスが、これらのノードのために提供される。簡単にするため、使用されるＭＡＣアドレスは、ＥＥＥＥ  ＥＥＥＥ  ＥＥＥＥ  ＥＥＥＥ（例における最大ＭＡＣアドレス）；ＡＡＡＡ  ＡＡＡＡ  ＡＡＡＡ  ＡＡＡＡ；８８８８  ８８８８  ８８８８  ８８８８；及び１１１１  １１１１  １１１１  １１１１（例における最小ＭＡＣアドレス）である。簡潔さ及び読み易さのために、これらのＭＡＣアドレスは、以下でまた関連する通信フローにおいて、［Ｅ−Ｅ］、 ［Ａ−Ａ］、［８−８］、［１−１］としてそれぞれ参照される。
【０１４４】
図３３の通信フローを参照して、ルーティングノードＡが［Ａ−Ａ］のＭＡＣアドレスを有し、ルーティングノードＢが［Ｅ−Ｅ］のＭＡＣアドレスを有すると仮定する。したがって、ルーティングノードＢは、ルーティングノードＡより大きいＭＡＣアドレスを有する。この例、またこの例に続く例では、調整器の役割が最小ＭＡＣアドレスを有するルーティングノードに割り当てられるべきであると仮定する。最初に、ルーティングノードＡは、そのデフォルト設定に設定され、この時点では１要素ネットワークであるルーティングノードＡのネットワークに他のルーティングノードが参加するよう要求するＪＭＮ（Ｊｏｉｎ  Ｍｙ  Ｎｅｔｗｏｒｋ）メッセージを定期的にブロードキャストするようプログラムされている。したがって、ルーティングノードＡの初期ネットワークは、ルーティングノードＡを含むだけであることになる。本質的に、ルーティングノードＡは、デフォルトで、ルーティングノードＡが調整器であると考えることになり得る。
【０１４５】
引き続き図３３を参照して、ルーティングノードＡが、そのＭＡＣアドレス（ＭＡＣ−Ａ）を含むＪＭＮメッセージをブロードキャストする（ステップ６００）と仮定する。ルーティングノードＢは、ＪＭＮメッセージを待ち、ルーティングノードＡのためのＭＡＣアドレス（ＭＡＣ−Ａ）を格納し（ステップ６０２）、その後、ルーティングノードＡのＭＡＣアドレス（ＭＡＣ−Ａ）をそれ自体のＭＡＣアドレス（ＭＡＣ−Ｂ）と比較する（ステップ６０４）ことによってルーティングノードＡのＪＭＮメッセージに応答することになる。ルーティングノードＢは、ルーティングノードＡのＭＡＣアドレス［Ａ−Ａ］がルーティングノードＢのＭＡＣアドレス［Ｅ−Ｅ］より小さいことを認識し、その関連するネットワークのための調整器をルーティングノードＡのＭＡＣアドレスに設定する（ステップ６０６）ことになる。この時点で、ルーティングノードＢは、ＭＡＣアドレス［Ａ−Ａ］に関連するルーティングノードＡが、ルーティングノードＡが属するネットワークの調整器であると仮定する。
【０１４６】
ＪＭＮメッセージに応答して、ルーティングノードＢはまた、そのＭＡＣアドレス（ＭＡＣ−Ｂ）を有するＪＭＮ応答をルーティングノードＡに返送する（ステップ６０８）ことになる。ルーティングノードＡは、そのＭＡＣアドレス（ＭＡＣ−Ａ）をルーティングノードＢのＭＡＣアドレス（ＭＡＣ−Ｂ）と比較し（ステップ６１０）、また、ルーティングノードＡがより小さいＭＡＣアドレスを有し、ひいては、ネットワークの調整器のままであるべきであることを認識することになる。したがって、ルーティングノードＡは、ルーティングノードＢのＭＡＣアドレス（ＭＡＣ−Ｂ）のための短縮アドレス（ＢＡ）を生成し（ステップ６１２）、短縮アドレスをルーティングノードＢに送信する（ステップ６１４）ことになる。ルーティングノードＢは、その後、ルーティングノードＡによって割り当てられた短縮アドレス（ＢＡ）を保存し（ステップ６１６）、調整器になる別のルーティングノードによってその後変更されない場合、ネットワーク内の通信及びルーティングについて短縮アドレスを使用することになる。
【０１４７】
上記例では、より小さいＭＡＣアドレスを有するルーティングノード（Ａ）がＪＭＮメッセージを発信し、より大きいＭＡＣアドレスを有するルーティングノード（Ｂ）がＪＭＮメッセージ発信者のネットワークに参加した。図３４に図示された次の例では、ＪＭＮメッセージを受信するルーティングノード（Ｂ）は、より小さいＭＡＣアドレスを有するため、調整器になる。この例ではまた図３４を参照して、ルーティングノードＡは、より小さいＭＡＣアドレス［８−８］を有するルーティングノードＢより大きいＭＡＣアドレス［Ａ−Ａ］に関連する。ある時点で、ルーティングノードＡが、ルーティングノードＡのＭＡＣアドレス（ＭＡＣ−Ａ）を含むＪＭＮメッセージをブロードキャストすると仮定する（ステップ７００）。ブロードキャストされたメッセージは、ルーティングノードＢによって受信され、ルーティングノードＢは、ルーティングノードＡのためのＭＡＣアドレス（ＭＡＣ−Ａ）を格納する（ステップ７０２）ことに進み、その後、ルーティングノードＡのＭＡＣアドレス（ＭＡＣ−Ａ）をルーティングノードＢのＭＡＣアドレス（ＭＡＣ−Ｂ）と比較する（ステップ７０４）。図３３に図示された例と対照的に、ルーティングノードＢは、そのＭＡＣアドレス（ＭＡＣ−Ｂ）がルーティングノードＡのＭＡＣアドレス（ＭＡＣ−Ａ）より小さいため、それ自体を調整器として設定すべき（ステップ７０６）であると認識することになる。ルーティングノードＢは、調整器であるため、ルーティングノードＡのＭＡＣアドレス（ＭＡＣ−Ａ）に関連する短縮アドレス（ＡＢ）を生成する（ステップ７０８）ことになる。次に、ルーティングノードＢは、ルーティングノードＢのＭＡＣアドレス（ＭＡＣ−Ｂ）を含むＪＭＮ応答メッセージをルーティングノードＡに送信し（ステップ７１０）、ルーティングノードＡに短縮アドレス（ＡＢ）を提供するメッセージで直ちに追従する（ステップ７１２）ことになる。ルーティングノードＡは、その後、ルーティングノードＡがもはや調整器でないことを認識し、調整器をルーティングノードＢのＭＡＣアドレス（ＭＡＣ−Ｂ）に設定する（ステップ７１４）ことになり、ルーティングノードＡは、ルーティングノードＡが属するネットワークについてルーティングノードＢを調整器として事実上認識する。ルーティングノードＡはまた、ネットワークを通じた通信のためにルーティングノードＡが使用することになる短縮アドレス等の短縮アドレス（ＡＢ）を保存することになる。
【０１４８】
ここで図３５Ａ〜３５Ｃに図示された通信を見ると、複数のルーティングノード（Ｂ及びＣ）がルーティングノードＡから初期ＪＭＮメッセージを受信するより複雑なシナリオが図示される。例はまた、第４のルーティングノードＤを示し、第４のルーティングノードＤは、最初にルーティングノードＡのＪＭＮメッセージを受信するのではなく、最終的に、ネットワークに参加し、ネットワークの調整器を認識し、短縮アドレスを調整器から受信する。この例は、調整器が、ルーティングノードＡからルーティングノードＢに、そして、ルーティングノードＣに移行することを示す。ルーティングノードＡ、Ｂ、Ｃ、及びＤのためのＭＡＣアドレスは次の通りであると仮定する：
ＭＡＣ−Ａ  ［Ａ−Ａ］；
ＭＡＣ−Ｂ  ［８−８］；
ＭＡＣ−Ｃ  ［１−１］；及び、
ＭＡＣ−Ｄ  ［Ｅ−Ｅ］
そのため、ルーティングノードＣは最小ＭＡＣアドレスを有し、ルーティングノードＤは最大ＭＡＣアドレスを有する。
【０１４９】
最初に、ルーティングノードＡが、そのＭＡＣアドレス（ＭＡＣ−Ａ）を有するＪＭＮメッセージをブロードキャストする（ステップ８００）と仮定する。ルーティングノードＢ及びルーティングノードＣがＪＭＮメッセージを受信し、ルーティングノードＤがＪＭＮメッセージを受信しないと仮定する。更に、ルーティングノードＢが、ＪＭＮメッセージに応答するより高速のルーティングノードであると仮定する。したがって、ルーティングノードＢは、ルーティングノードＡのためのＭＡＣアドレス（ＭＡＣ−Ａ）を格納し（ステップ８０２）、ルーティングノードＡのＭＡＣアドレス（ＭＡＣ−Ａ）をそれ自体のＭＡＣアドレス（ＭＡＣ−Ｂ）と比較する（ステップ８０４）ことによってＪＭＮメッセージを処理することになる。先の例の場合と同様に、ルーティングノードＢは、ルーティングノードＢのＭＡＣアドレス（ＭＡＣ−Ｂ）がルーティングノードＡのＭＡＣアドレス（ＭＡＣ−Ａ）より小さいため、それ自体を調整器として設定する（ステップ８０６）ことになる。ルーティングノードＢは、ルーティングノードＡのＭＡＣアドレス（ＭＡＣ−Ａ）のための短縮アドレス（ＡＢ）を生成し（ステップ８０８）、ルーティングノードＢのＭＡＣアドレス（ＭＡＣ−Ｂ）を含む適切なＪＭＮ応答をルーティングノードＡに送信する（ステップ８１０）ことになる。ルーティングノードＢはまた、ルーティングノードＡのための短縮アドレス（ＡＢ）をルーティングノードＡに別のメッセージで送信する（ステップ８１２）ことになる。別個のメッセージが、ＪＭＮ応答について使用され、短縮アドレスを提供するが、この情報が単一メッセージで提供され得ることを当業者は認識するであろう。やはり、より大きいＭＡＣアドレスを有するルーティングノードＡは、調整器をルーティングノードＢのＭＡＣアドレス（ＭＡＣ−Ｂ）に設定する（ステップ８１４）ことになり、少なくとも暫くの間、ルーティングノードＢが調整器になることを示す。ルーティングノードＡはまた、ルーティングノードＢによって割り当てられた短縮アドレス（ＡＢ）を格納することになる。
【０１５０】
実質的に同時に、ルーティングノードＣはまた、ルーティングノードＡによって提供されたＪＭＮメッセージを処理する（ステップ８００）ことになる。これに応じて、ルーティングノードＣは、ルーティングノードＡのＭＡＣアドレス（ＭＡＣ−Ａ）を格納し（ステップ８１８）、ルーティングノードＡのＭＡＣアドレス（ＭＡＣ−Ａ）をルーティングノードＣのＭＡＣアドレス（ＭＡＣ−Ｃ）と比較する（ステップ８２０）ことになる。ルーティングノードＣはまた、そのＭＡＣアドレス（ＭＡＣ−Ｃ）がルーティングノードＡのＭＡＣアドレス（ＭＡＣ−Ａ）より小さいことを認識し、それ自体を調整器として設定する（ステップ８２２）ことになる。調整器として、ルーティングノードＣは、ルーティングノードＡのＭＡＣアドレス（ＭＡＣ−Ａ）のための短縮アドレス（ＡＣ）を生成する（ステップ８２４）ことになる。ルーティングノードＣは、その後、そのＭＡＣアドレス（ＭＡＣ−Ｃ）を含むＪＭＮ応答メッセージ（ステップ８２６）及びルーティングノードＡのための短縮アドレス（ＡＣ）を提供する別のメッセージ（ステップ８２８）をルーティングノードＡに送信することになる。ルーティングノードＡは、ルーティングノードＣが調整器であるべきであるとルーティングノードＣが考えていることを認識し、ルーティングノードＣのＭＡＣアドレスがルーティングノードＢのＭＡＣアドレスより小さいため、識別された調整器をルーティングノードＣのＭＡＣアドレス（ＭＡＣ−Ｃ）に再設定する（ステップ８３０）ことになる。ルーティングノードＡはまた、その短縮アドレスを、ルーティングノードＣによって割り当てられた短縮アドレス（ＡＣ）で更新する（ステップ８３２）ことになる。したがって、ルーティングノードＢは、ルーティングノードＡの視点から調整器としてアップルーティングされた。ある例では、ルーティングノードＢがより小さいＭＡＣアドレスを有していると思われる場合、ルーティングノードＡは、ルーティングノードＢが調整器であることを維持しており、ルーティングノードＣからのメッセージを無視していることになると思われる。この例のこの部分は、複数のルーティングノードが、この反復的調整器識別プロセス中にそれらが調整器であると考え得ることを強調する。
【０１５１】
このとき、ルーティングノードＢは、ルーティングノードＢが調整器であると考え続ける場合があり、また、他のルーティングノードに定期的にＪＭＮメッセージをブロードキャストすることになる。この事例では、ルーティングノードＢは、ルーティングノードＡとルーティングノードＣとの双方によって受信されるルーティングノードＢのＭＡＣアドレス（ＭＡＣ−Ｂ）を含むＪＭＮメッセージをブロードキャストする（ステップ８３４）。ルーティングノードＡは、現時点で割り当てられた調整器、ルーティングノードＣがルーティングノードＢのＭＡＣアドレスより小さいＭＡＣアドレスを有することをルーティングノードＡが認識するため、ルーティングノードＢによって送信されるＪＭＮメッセージを事実上無視することになる。しかしながら、ルーティングノードＣは、ルーティングノードＣがルーティングノードＢより小さいＭＡＣアドレス（ＭＡＣ−Ｃ）を有するため、異なるように応答することになる。したがって、ルーティングノードＣは、ルーティングノードＢのＭＡＣアドレス（ＭＡＣ−Ｂ）を格納し（ステップ８３８）、ルーティングノードＢのＭＡＣアドレス（ＭＡＣ−Ｂ）をルーティングノードＣのＭＡＣアドレス（ＭＡＣ−Ｃ）と比較する（ステップ８４０）ことになる。ルーティングノードＣは、その後、ルーティングノードＣがより小さいＭＡＣアドレスを有するため、調整器のままであるべきことを認識（ステップ８４２）し、その後、ルーティングノードＢのＭＡＣアドレス（ＭＡＣ−Ｂ）のための短縮アドレス（ＢＣ）を生成する（ステップ８４４）ことになる。ルーティングノードＣは、その後、そのＭＡＣアドレス（ＭＡＣ−Ｃ）を含むＪＭＮ応答（ステップ８４６）及びルーティングノードＣのための短縮アドレス（ＢＣ）を含む短縮アドレスメッセージ（ステップ８４８）をルーティングノードＢに送信することになる。これに応じて、ルーティングノードＢは、ルーティングノードＣのＭＡＣアドレス（ＭＡＣ−Ｃ）を使用して調整器をルーティングノードＣに再設定し（ステップ８５０）、ＢＣをその短縮アドレスとして格納する（ステップ８５２）ことになる。この時間中、ルーティングノードＤが調整器として利用可能になり（ステップ８５４）、ルーティングノードＣがＪＭＮメッセージを定期的にブロードキャストし始めると仮定する。したがって、ルーティングノードＣは、ルーティングノードＡ、ルーティングノードＢ、及びルーティングノードＤによって受信されるそのＭＡＣアドレス（ＭＡＣ−Ｃ）を含むＪＭＮメッセージを送信する（ステップ８５６）ことになる。ルーティングノードＡ及びＢは、ＪＭＮメッセージが、認識された調整器、ルーティングノードＣによって送信されることを認識しているため、ＪＭＮメッセージを事実上無視する（ステップ８５８及び８６０）ことになる。ルーティングノードＤが、ネットワークの通信範囲内の新しい参加者であるため、ルーティングノードＤはＪＭＮメッセージを処理することになる。したがって、ルーティングノードＤは、ルーティングノードＣのＭＡＣアドレス（ＭＡＣ−Ｃ）を格納し（ステップ８６２）、ルーティングノードＣのＭＡＣアドレス（ＭＡＣ−Ｃ）をルーティングノードＤのＭＡＣアドレス（ＭＡＣ−Ｄ）と比較する（ステップ８６４）ことになる。ルーティングノードＤは、ルーティングノードＤがルーティングノードＣより大きいＭＡＣアドレスを有することを認識することになるため、ルーティングノードＣが調整器であるべきことを認識し、調整器をルーティングノードＣのＭＡＣアドレス（ＭＡＣ−Ｃ）に設定する（ステップ８６６）ことになる。したがって、ルーティングノードＤは、ルーティングノードＣが調整器であるため、ルーティングノードＣのための短縮アドレスを割り当てないことになる。ルーティングノードＤは、ルーティングノードＣに対するルーティングノードＤのＭＡＣアドレス（ＭＡＣ−Ｄ）を含むＪＭＮ応答メッセージを提供することによってＭＮメッセージに応答する（ステップ８６８）だけになる。ルーティングノードＣは、そのＭＡＣアドレス（ＭＡＣ−Ｃ）をルーティングノードＤのＭＡＣアドレス（ＭＡＣ−Ｄ）と比較する（ステップ８７０）ことになる。ルーティングノードＣがより小さいＭＡＣアドレスを有し、調整器のままであるべきであるため、ルーティングノードＣは、ルーティングノードＤのＭＡＣアドレス（ＭＡＣ−Ｄ）のための短縮アドレス（ＤＣ）を生成し（ステップ８７２）、ルーティングノードＤのための短縮アドレス（ＤＣ）を含むメッセージをルーティングノードＤに送信する（ステップ８７４）ことになる。ルーティングノードＤは、その後の通信に関して使用するための短縮アドレス（ＤＣ）を格納する（ステップ８７６）ことになる。
【０１５２】
プロセス中のある時点で、ルーティングノードＣが、他のルーティングノードに知られているデフォルトの短縮アドレスを持たない場合、ルーティングノードＣは、それ自体に短縮アドレスを割り当てる（ステップ８７８）ことになる。ルーティングノードＣは、それ自体に短縮アドレスを割り当て、任意の所望の方式で、他のルーティングノードにその短縮アドレスを提供してもよい。調整器のためのデフォルトの短縮アドレスを有することの利益は、全ての他のルーティングノードが、短縮アドレスを割り当てられても割り当てられなくても、短縮アドレスを使用して、メッセージを、従来のメッシュネットワークルーティング技法を使用して調整器にネットワークを通してルーティングすることである。
【０１５３】
この時点で、調停用のルーティングノードＣは、非ルーティング（スリーパ）ノードをネットワークに参加させ、それらのノードに短縮アドレスを割り当てる（ステップ８８０）と共に、上述したグループ化プロセスを開始し（ステップ８８２）、割り当てられた短縮アドレスを使用して種々の制御、ルーティング等を実行する（ステップ８８４）ことができる。その後、ネットワークに付加されるノードは、ルーティングノードＣのＭＡＣアドレスより小さいＭＡＣアドレスを有する場合があり、こうした状況では、より小さいＭＡＣアドレスを有する新しく付加されたルーティングノードは、調整器として引き継ぎ、ネットワーク内の全てのルーティングノード及び非ルーティングノードに短縮アドレスを再割り当てしてもよい。更に、コミッショニングツール３６は、自動的に識別された調整器に相互作用して、グループ化割り当て等を修正してもよい。調整器はまた、ネットワーク管理者が所望するように、コミッショニングツール３６によって変更又は再割り当てされてもよい。
［複数のマスター照明器具構成］
図３６を参照すると、例示的な照明器具１０が、関連するＬＥＤアレイ２０を有するドライバモジュール３０、通信モジュール３２、器具センサモジュール１３２、及びゲートウェイ１４２を有するものとして図示される。ドライバモジュール３０、通信モジュール３２、器具センサモジュール１３２、及びゲートウェイ１４２は、例えばＩ２Ｃバス等の２線以上のシリアルインタフェースを通じて互いに通信して、デバイスの各々が、所望に応じて例えばデータ及び制御情報等の情報を交換するように構成されてもよい。上述したように、通信モジュール３２は、無線ネットワーク内の他のノードとの無線通信を容易にし、本質的に、全体的に照明器具１０のための、具体的には、ゲートウェイ１４２、ドライバモジュール３０、及び器具センサモジュール１３２のための通信インタフェースとして動作してもよい。ゲートウェイ１４２は、おそらく異なる無線通信インタフェースを使用して、例えばリモートコントローラ等のネットワークの外のエンティティとの、又は、リモートネットワークへの無線通信を容易にしてもよい。例えば、通信モジュール３２は、２．４ＧＨｚ帯における１つ又は複数のチャネル上でＩＥＥＥ８０２．１５．４を使用して照明ネットワークにおける他のノードとの無線通信を容易にする一方、ゲートウェイ１４２は、例えばセルラー又は他のＩＥＥＥ規格等の異なる通信規格を使用して、異なる帯域での通信を容易にしてもよい。したがって、照明器具１０のうちの１つは、ゲートウェイ１４２を備えてもよく、ゲートウェイ１４２は、全体的に照明ネットワークについてのアクセスポイント又はノードとして動作することになる。ゲートウェイ１４２は、ＣＰＵ１４４、無線通信インタフェース１４６、及びシリアル通信インタフェース１４８を有するように示される。無線通信インタフェース１４６は、外部ネットワーク又はデバイスとの無線通信を支援する一方、シリアル通信インタフェース１４８は、２線シリアルインタフェースを通じた通信を促進する。
【０１５４】
同様に、例示的な（オン／オフ／調光）スイッチ１４０’が示され、スイッチ１４０’は、周囲光センサＳＡ、及び、この実施形態では、照明器具１０の２線シリアルインタフェースと調和することが可能なケーブルを有する。したがって、スイッチ１４０’は、照明器具１０から遠隔に配置され、更に、２線シリアルインタフェースを介して統合されてもよい。オン、オフ、及び調光制御は、２線シリアルインタフェースを介して通信モジュール３２又はドライバモジュール３０に提供されてもよく、通信モジュール３２又はドライバモジュール３０のいずれかが、これらのコマンドを内部で処理すると共に、照明器具１０と同じグループ内に存在する他の照明器具等の他のノードにそのコマンドを提供することになる。器具センサモジュール１３２は、周囲光及び占有センサＳＡ及びＳＯを共に有してもよく、周囲光及び占有測定値は、通信モジュール３２又はドライバモジュール３０のいずれかと共有されてもよく、双方のいずれかは、コマンドを処理し、これに応じて内部で反応すると共に、グループの他のメンバと情報を共有してもよい。やはり、ドライバモジュール３０はまた、例えば図示される周囲光センサＳＡ等の種々のセンサを含んでもよい。
【０１５５】
照明器具１０についての全体の制御は、通信モジュール３２によって提供されてもよく、内部のまた直接付随した全ての制御情報は、通信モジュール３２に送信され、通信モジュール３２は、その内部ロジックに従って情報を処理し、関連するドライバモジュール３０を相応して制御すると共に、そのグループ内の他のノードに、又は、ネットワークに制御情報を全体的に送信することになる。逆に、ドライバモジュール３０が、この機能を提供してもよく、センサ及びスイッチ情報は、ドライバモジュール３０に提供され、その内部ロジックによって処理されて、ＬＥＤアレイを制御する。ドライバモジュール３０はまた、この制御情報又はデータ及びセンサ情報を、通信モジュール３２を介してネットワークの他のメンバと共有してもよい。このシナリオの更なる修正は、オン／オフ／調光スイッチ１４０’が通信モジュール３２と無線通信することが可能であり、そのセンサ入力を共有すると共に、情報をネットワーク上の他のデバイスに送信するということであろう。
【０１５６】
述べたように、種々のシリアルインタフェース技術が使用されてもよい。以下の例では、Ｉ２Ｃインタフェースが、非特徴的方式で使用される。この実施形態では、照明器具１０の主要な制御は、ドライバモジュール３０内に設けられる。Ｉ２Ｃインタフェースが使用される場合、ドライバモジュール３０はスレーブデバイスとして構成される一方、通信モジュール３２、器具センサモジュール１３２、ゲートウェイ１４２、及びオン／オフ／調光スイッチ１４０’を含む、Ｉ２Ｃインタフェースを通じて通信する他のエンティティは全て、マスターデバイスとして構成される。この構成は、Ｉ２Ｃを基にしたバス構造の先の実装態様に対して直観に反している。ドライバモジュール３０がスレーブデバイスとして動作する状態で、他のマスターデバイスは、転送を開始することに先立って、待つ又はドライバモジュール３０に報知する必要なく、いつでも転送を開始し、ひいては、データをドライバモジュール３０へ送信又はドライバモジュール３０から要求できる。したがって、ドライバモジュール３０は、スイッチ変化、センサ変化、又は通信変化を探索して、Ｉ２Ｃインタフェースに取り付けられる他のデバイスを定期的に又は絶えずポーリングする必要がない。代わりに、マスターデバイスは、ドライバモジュール３０に対してスイッチ変化、センサ変化、又は通信変化を自動的に教えるように構成され、ドライバモジュール３０は、この情報を容易に受信し、その情報を相応して処理するように構成される。マスターデバイスはまた、ドライバモジュール３０から情報を要求してもよく、ドライバモジュール３０は、手近に情報を有し、その情報を要求元のマスターデバイスに戻してもよういし、あるいは、通信モジュール３２を介して別のネットワークから又は照明器具１０内の又は照明器具１０に関連する別のデバイスから情報を取り出してもよい。
【０１５７】
一例として、器具センサモジュール１３２の周囲光センサＳＡ又は占有センサＳＯが変化を検出する場合、器具センサモジュール１３２は、１つ又は複数のセンサ変化を示す情報のドライバモジュール３０への転送を開始するように構成される。ドライバモジュール３０はその情報を処理し、ＬＥＤアレイ２０が、それ自体の内部ロジックに基づいて、ターンオンされる必要があるか、ターンオフされる必要があるか、又は光出力が変化される必要があるか否かを判定することになる。ドライバモジュール３０はまた、センサ情報を含む制御コマンド又はメッセージを生成してもよく、制御コマンド又はメッセージは、全体的に通信モジュール３２を介してドライバモジュール３０の関連するグループ又はネットワーク内の他のノードに送信される。制御コマンドの場合、受信側デバイスは指示通りに応答してもよい。センサ情報の場合、受信側デバイスは、センサ情報を処理し、センサ情報に基づいてそれ自体をどのように制御するかを決定してもよい。同様な操作はオン／オフ／調光スイッチ１４０’によって提供され、オン／オフ又は調光調整が検出され、オン／オフ／調光スイッチ１４０’は、スイッチステータス又はステータス変化のドライバモジュール３０への転送を開始し、ドライバモジュール３０は、やはり、その情報を処理して、必要に応じてＬＥＤアレイ２０を制御し、任意の必要な命令を、通信モジュール３２を介してネットワーク上の他のノードに提供することになる。
【０１５８】
コマンド又は例えばセンサ情報等の共有データはまた、通信モジュール３２を介して照明器具１０に届いてもよい。したがって、通信モジュール３２は、全体的に、関連するグループ又はネットワーク内の別のノードからコマンド又は共有データを受信し、ドライバモジュール３０への転送を開始することになり、ドライバモジュール３０は、それ自体の内部ロジックに基づいてコマンドを処理するか又は共有データを解釈し、ＬＥＤアレイ２０を適切な方式で制御することになる。ステータス情報、データ、及びコマンドをドライバモジュール３０に単に提供することに加えて、これらのデバイスのいずれもが、ドライバモジュール３０が維持する情報を要求してもよい。例えば、投光プロセスにおいて、通信モジュール３２は、コミッショニングツール３６から投光データについての要求を受信してもよい。通信モジュール３２は、情報についての要求をドライバモジュール３０に教え、ドライバモジュール３０は、その情報を通信モジュール３２に戻すことになる。通信モジュール３２は、その後、ネットワーク内の他のルーティングノードを通して直接的又は間接的に、コミッショニングツール３６に戻るようにその情報をルーティングすることになる。
【０１５９】
図示されたマスター・スレーブ構成は非常に有益であるが、本明細書で開示する概念を実施する必要はない。この型の構成の利益は、照明器具１０内の他のデバイスが、それらのデータ及びステータス情報が収集され、ドライバモジュール３０上に維持される場合、他のデバイスの存在を知る必要がないことである。他のノードは、通信モジュール３２又はゲートウェイ１４２に対して要求を行う必要があるだけであり、通信モジュール３２又はゲートウェイ１４２は、ドライバモジュール３０から情報を取得して、相応して応答することになる。特に、ドライバモジュール３０は、照明器具１０についての全ての型のステータス又は性能情報を維持又は収集し、その情報を、通信モジュール３２を介してネットワーク上の照明器具１０内の任意のデバイスにとって、又は、ゲートウェイ１４２を介してリモートエンティティにとって利用可能にしてもよい。更に、所定の照明器具１０のためのマスターデバイス及びスレーブデバイスは、照明器具１０のハウジング内に維持される必要はない。
【０１６０】
ある実施形態では、通信モジュール３２の機能は、ドライバモジュール３０に統合されてもよいし、又は、その逆も同様である。例えば、統合されたモジュールは、組込み式の又は密に関連付けられた無線周波数送受信機を有するマイクロコントローラを有し、マイクロコントローラは、ドライバモジュール３０及び通信モジュール３２の必須の処理の全てを提供することになるであろう。送受信機は、照明ネットワークの他の要素（器具、センサ、スイッチ等）並びにコミッショニングツール３６及び他のリモートエンティティとのＲＦ通信を促進するであろう。したがって、統合されたモジュールはまた、ゲートウェイ１４２の機能を提供し得る。統合されたモジュールはまた、例えば周囲光センサＳＡ、占有センサＳＯ等のような種々のセンサを含み得る。任意のＡＣ−ＤＣ変換が、マイクロコントローラ及び送受信機と同じＰＣＢ上に提供され得るか、又は、リモートモジュール又はＰＣＢによって提供されてもよい。
【０１６１】
広範な研究が、全体的に無線ネットワークを改善することに関して、過去数十年間に実施されてきた。しかしながら、この研究の多くは、電力要件を減少させること、又は、スループットを増加させることに焦点を当ててきた。照明システムの場合、これらの優先度は、応答時間を高めること及びコストを低減することにシフトされるべきである。第１の実施形態では、例えば照明器具１０並びに独立型センサ及びスイッチ等の照明ノードは、数字１から始まる一意のアドレスを割り当てられてもよい。更に、所定の照明システム内の照明ノードの最大数は、例えば２５６等の規定された数を境界とされる。以下の例では、照明ネットワーク内に６つの照明ノードが存在し、各ノードが順次、１〜６でアドレス指定されると仮定する。こうした照明ネットワークの表示は図３７に提供される。
【０１６２】
ルーティングテーブルが使用されて、現時点の位置から宛先に達するために必要な、ルーティング経路に沿う次のホップまたおそらくホップの数を識別する。関連技術の技法に従って構築された照明ノード１のための例示的なルーティングテーブルがすぐ下に提供される（表Ａ）。この例の場合、データのパケットが照明ノード１から照明ノード６にルーティングされる必要があると仮定する。以下のルーティングテーブルでは、情報の３つの列、すなわち、宛先アドレス、次のホップアドレス、及び現時点の位置から宛先までのホップの数が必要とされる。動作中、照明ノードは、ルーティングされるデータのパケットについて宛先アドレスを識別し、ルーティングテーブル内の宛先アドレスフィールドを探索して、一致を見出す。ルーティングされるパケットについての宛先アドレスが数字６である場合、照明ノード１は、宛先アドレスフィールド内のエントリを探索して、照明ノード６のためのエントリを見出すことになる。宛先アドレス６のための対応する次のホップアドレス（５）が識別され、データのパケットが次のホップアドレス（５）にルーティングされ、プロセスは、データのパケットがその意図する宛先に達するまで各照明ノードで繰り返す。
【０１６３】
【表３】
2017505974.tif 000005
本開示の場合、ルーティングテーブルのサイズは、約３分の１だけ減少し、ひいては、必要とされるシステムメモリの量並びに次のホップアドレスを識別するために必要な処理の量を節約できる。以下のテーブル（テーブルＢ）に示すように、宛先アドレスの列は除去される。代わりに、ルーティングテーブルは、行が宛先アドレスに対応するように再編成されている。換言すれば、ルーティングテーブル内の第１のエントリは宛先アドレス１に対応し、ルーティングテーブルの第２の行は宛先アドレス２に対応し、ルーティングテーブル内の第３の行は宛先アドレス３に対応する等である。したがって、また、やはり、以下のルーティングテーブルが照明ノード１に対応し、ルーティング決定が次の通りに確定されると仮定する。データのパケットのための宛先が確定される。宛先アドレスがルーティングテーブル内の位置に直接対応するため、照明ノード１は、照明ノード６に対応する宛先アドレス６にデータのパケットをルーティングするための次のホップアドレスを識別するために、ルーティングテーブル内の６番目のエントリにアクセスする必要があるだけである。特に、ルーティングテーブルは、好ましくは、宛先アドレスに対応するよう順序付けられる。しかしながら、宛先アドレスは、ルーティングテーブル内の位置に一致する必要はない。オフセット等を使用して、１で始まるアドレスに関連しない照明ノードを使用する照明ネットワーク又はゾーンを補償してもよい。この実施形態によって、ルーティングテーブルのサイズが削減され、ルーティングテーブル内で宛先アドレスを種々のエントリと比較するために必要とされる処理の量が低減される。本質的に、テーブル内の位置が宛先アドレスに対応するため、一致する宛先アドレスを見出すためにテーブルを通してスキャンする必要性はない。
【０１６４】
【表４】
2017505974.tif 000006
図３８を参照すると、照明ノードのためのアドレスは、照明ノードが存在する照明ゾーンに基づいて割り当てられてもよい。例えば、３つの照明ゾーン、すなわち、グループ１、グループ２、及びグループ３が存在する。照明ノード１〜６はグループ１内にあり、照明ノード７〜９及び１１はグループ２内にあり、照明ノード１０、１２、及び１３はグループ３内にある。テーブルＣは、照明ノード９のためのルーティングテーブルに対応し、従来のルーティングテーブルアーキテクチャが使用される。図３８についての構成を分析することによって、グループ１内の全てのノードを含む多数の照明ノードが、１つのグループから別のグループにデータをルーティングするときに、照明ノード８を通ってルーティングすることになる。照明ノード９が、以下のテーブルＤ及びテーブルＥに対応する２つの個別のセクションを有することがより効率的であることを本出願人は発見した。
【０１６５】
【表５】
2017505974.tif 000007
【０１６６】
【表６】
2017505974.tif 000008
照明ノード９のためのルーティングテーブルの第１のセクションは、３つのフィールド（又は列）、すなわち、宛先グループ、次のホップアドレス、及びホップの数を含む。これは、グループセクションと称される。次のホップアドレスを確定するとき、照明ノード９は、宛先アドレスが存在するグループを識別し、そのテーブルを使用して、そのグループ宛先のための次のホップアドレスを確定することになる。そのため、宛先アドレスがグループ３の１０、１２、又は１３に対応する場合、ルーティングテーブルは、次のホップアドレスを１０として識別することになる。宛先アドレスがグループ１に対応する１〜６である場合、宛先アドレス８であるグループ１のための次のホップアドレスが選択され、データのパケットをルーティングするために使用される。特に、宛先アドレスが同じグループ内に存在する場合、ルーティングテーブルの第２のセクションが探索される。第２のセクションは、従来のルーティングテーブルの構成をとってもよく、以下のテーブルＥに示すような宛先アドレスが使用される。
【０１６７】
【表７】
2017505974.tif 000009
あるいは、全体の宛先アドレスフィールドは、ルーティングテーブルの第２のセクションから省略されてもよい。図３７に関連して述べる技法を使用して、ルーティングテーブルの第２のセクション内の次のホップアドレスは、ルーティングテーブル内で宛先アドレスに対応する位置に位置決めされてもよい。そのため、ルーティングテーブルの第２のセクションが使用されると、ルーティングテーブル内の次のホップアドレスの位置決めは、実際の宛先アドレスに対応することになる。
【０１６８】
図３９を参照すると、更に別のルーティングテーブル構成が図示される。図３９に示された照明ネットワークの基本構成は、図３８の基本構成と同じである。唯一の違いは、それぞれの照明ノードのためのアドレスが、非常に凝縮されたルーティングテーブルの作成を促進するため再割り当てされたことである。照明ノード９のための例示的なルーティングテーブルは以下（テーブルＦ）に示される。
【０１６９】
【表８】
2017505974.tif 000010
図示されるように、ルーティングテーブルは２つのフィールドを有するだけであり、実際の宛先アドレス又は実際の宛先アドレスが存在するグループに基づいて次のホップアドレスを確定する代わりに、次のホップアドレスを選択するためのルーティング基準が定義される。ルーティング基準は、宛先アドレス、また、ある事例では、実際の宛先アドレスが収まる範囲に基づいている。例えば、また、やはり、照明ノード９を使用すると、９より小さい任意の宛先アドレスのための次のホップアドレスは宛先アドレス７である。１０より大きい任意の宛先アドレスのための次のホップアドレスは宛先アドレス１１である。最後に、宛先アドレスが１０である場合、次のホップは宛先アドレス１０である。この実施形態は、ルーティングテーブルに目を向けて、全体的に、個々のゾーン（又はグループ）及び全体のシステム内の種々の照明ノードにアドレスを割り当てる概念を図示している。ルーティングテーブルを念頭に置いて、アドレスは、ルーティングテーブル内のエントリの数を大幅に減少させるように種々の照明ノードに割り当てられてもよく、少なくとも幾つかの次のホップアドレスの選択は、宛先アドレスが収まる範囲に基づいている。ルーティングするときのこれらの改善は、事実上任意のネットワーキングスキームで使用されてもよく、照明用途だけに限定されない。
【０１７０】
上述した実施形態は反射板型照明器具１０に焦点を当てたが、本明細書に開示される概念は、あらゆる型の照明器具に適用される。例えば、図４０に図示される凹型照明器具１０’はまた、上述した概念の全てを組み込んでもよい。図示されるように、照明器具１０’は、主ハウジング１２’、レンズ１４’、及び電子機器ハウジング２６’を含む。上述した種々のモジュールは、電子機器ハウジング２６’内に収容されてもよいし、補助プレナム定格格納容器の外側又はその中で、電子機器ハウジング２６’に取り付けられてもよい。これらの構成は、特定の用途に基づいて変動することになる。しかしながら、モジュールのうちのいずれかが容易に置換され、新しいモジュールが付加されることを可能にするモジュール式システムの概念は、本開示及び続く請求項の範囲内であると考えられる。
【０１７１】
本開示は、ネットワーク内での照明器具の制御が照明器具の間で分散され得る照明ネットワークに関する。照明器具は、異なる照明ゾーンに関連するグループに分割されてもよい。照明器具の少なくとも幾つかは、例えば占有センサ、周囲光センサ等のような１つ又は複数のセンサを有するか又はそれに関連することになる。全体的な照明ネットワーク又は種々の照明ゾーン内で、照明器具は、センサからのセンサデータを共有してもよい。各照明器具は、それ自体のセンサ、リモート独立型センサ、又は照明器具によって提供されるセンサデータを処理し、また、照明器具自体の内部ロジックに従ってセンサデータを処理して、照明器具の動作を制御してもよい。照明器具はまた、他の照明器具、制御ノード、光スイッチ、及びコミッショニングツールから制御入力を受信してもよい。制御入力は、内部ロジックに従ってセンサデータと共に処理されて、照明器具の制御を更に高めてもよい。
【０１７２】
したがって、本開示の照明ネットワークの制御は、各照明器具が本質的に照明ネットワークから独立して動作するように分散化される。しかしながら、照明器具の各々における内部ロジックは、照明器具がグループとして協調して動作するように構成される。協調して動作しながら、各照明器具は、特定の照明用途についての目標に応じて異なる方法で動作してもよい。照明器具はまた、提示される任意のユーザ入力に応答してもよい。
【０１７３】
一実施形態では、光センサと、半導体光源と、関連する回路とを有する照明器具が提供される。回路は、複数の照明器具のうちの所定の照明器具が投光モードに入ることを決定するように構成される。光センサを介して、回路は、所定の照明器具によって提供される第１の投光信号をモニターし、第１の投光信号の受信に基づいて所定の照明器具についてグループ化データの生成を行うことになる。グループ化データは、照明器具を複数の照明器具のうちの１つ又は複数と共にグループ化するために少なくとも部分的に使用されてもよい。照明器具を複数の照明器具のうちの１つ又は複数と共にグループ化するために、回路は、複数の照明器具をどのようにグループ化するかを決定することになるグループ化データを、リモートエンティティに送信し、照明器具が属するグループを識別する情報を受信してもよい。あるいは、回路は、複数の照明器具をどのようにグループ化するのかを決定することになるグループ化データを複数の照明器具のうちの１つに送信してもよい。
【０１７４】
照明器具を複数の照明器具のうちの１つ又は複数と共にグループ化するために、回路は、グループ化データを、複数の照明器具のうちの１つ又は複数から受信される他のグループ化データと共に処理して、照明器具が属する複数の照明器具のグループを決定してもよい。第１の投光信号が検出される場合、グループ化データは投光信号の相対的信号強度を示してもよい。
【０１７５】
別の実施形態では、回路は、投光モードを入り、次に、半導体光源を駆動して、複数の照明器具によってモニターされる第２の投光信号を提供するように構成されてもよい。投光信号を提供する前に、回路は、複数の照明器具に対して、第２の投光信号をモニターし始める命令を送信してもよい。
【０１７６】
回路は、更に、複数の照明器具のうちの少なくとも１つからリモートセンサデータを受信し、リモートセンサデータに基づいて半導体光源を駆動するように構成されてもよい。したがって、回路は、光センサ又は照明器具の別のローカルセンサからローカルセンサデータを決定し、リモートセンサデータとローカルセンサデータとの双方に基づいて半導体光源を駆動してもよい。回路はまた、ローカルセンサデータを複数の照明器具のうちの少なくとも１つに送信してもよい。
【０１７７】
回路はまた、照明器具が割り当てられた複数の照明器具のグループを識別し、グループのために意図される命令に応じて半導体光源を駆動してもよい。各照明器具は、ただ１つのグループに割り当てられてもよいし、又は、少なくとも１つの照明器具を共有する重複するグループの場合、複数のグループに割り当てられてもよい。
【０１７８】
回路は、半導体光源を駆動するように構成されるドライバモジュール、及び、複数の照明器具と通信し、ドライバモジュールを制御するように構成される通信モジュールに分割されてもよい。ドライバモジュール及び通信モジュールは、通信バスを通じて互いに通信する。
【０１７９】
更に別の実施形態では、関連する光センサを有する複数の照明器具を備える照明ネットワークが提供される。モニターモード中に、複数の照明器具の各々は、複数の照明器具のうちの所定の照明器具が投光モードに入っていることを決定し、光センサを介して、所定の照明器具によって提供される投光信号をモニターし、第１の投光信号の受信に基づいて所定の照明器具についてグループ化データの生成を行うように構成される。受信モード中に、各照明器具は、関連する半導体光源を駆動して、複数の照明器具のうちの他の照明器具がモニターするために投光信号を提供することになる。複数の照明器具の各々は、グループ化データに基づいて複数のグループのうちの少なくとも１つに自動的に割当てられてもよい。
【０１８０】
複数の照明器具のうちの任意の２つに関連するグループ化データは、２つのうちの第１によって提供され、２つのうちの第２によって受信された投光信号の相対的マグニチュードを示してもよい。更に、複数の照明器具の各々は、複数の照明器具のうちの他の照明器具について収集されるグループ化データを交換し、グループ化データに基づいて複数のグループのうちの１つにそれ自体を自動的に割り当てるように構成され、それにより、複数のグループの各々は、特定のグループにおける他の照明器具から投光信号を検出できた照明器具を含む。あるいは、複数の照明器具の各々は、複数の照明器具のうちの他の照明器具について収集されるグループ化データを交換し、グループ化データに基づいて複数のグループのうちの１つにそれ自体を自動的に割り当てるように構成され、それにより、複数のグループの各々は、特定のグループにおける他の照明器具から投光信号を、設定閾値を超えたマグニチュードで検出できた照明器具を含む。
【０１８１】
複数の照明器具の各々によって収集されるグループ化データは、リモートエンティティに送信されてもよく、リモートエンティティは、複数の照明器具をグループ化データに基づいてグループに割り当てる。複数の照明器具の各々によって収集されるグループ化データはまた、複数の照明器具のうちの１つに送信されてもよく、１つの照明器具は、複数の照明器具をグループ化データに基づいてグループに割り当てる。
【０１８２】
又、各照明器具は、その光センサ又は別の関連するセンサからのセンサデータを、複数の照明器具のうちの他の照明器具と共有し、それ自体の内部ロジックを考慮して、センサデータに基づいて光出力を制御するように構成されてもよい。内部ロジックは、複数の照明器具の各々が、協調方式で光を提供しながら互いから独立して動作するように構成されてもよい。
【０１８３】
更に別の実施形態では、センサ及び半導体光源を有する照明器具のグループを備える照明ネットワークが提供される。照明器具のグループにおける各照明器具は、照明器具のグループのうちの少なくとも１つと協調して、光出力レベルを決定し、半導体光源を駆動して、光出力を提供するように構成されてもよい。照明器具のグループの少なくとも幾つかは異なる光出力レベルを同時に提供することになる。照明器具のグループの異なるサブグループは、異なる光出力レベル又は照明器具のグループの間で徐々に変わっていく異なる光出力レベル又は出力レベルを提供してもよい。各照明器具についての光出力レベルは、少なくとも部分的に周囲光に基づいて決定されてもよい。周囲光の量は、照明器具の光センサを介して検出されてもよい。特に、各照明器具についての光出力レベルは、照明器具のグループの別の照明器具のセンサを介して検出される周囲光の量に少なくとも部分的に基づいて決定されてもよい。
【０１８４】
照明器具のグループを含む複数の照明器具の各々は、複数の照明器具のうちの所定の照明器具が投光モードに入ることを決定し、光センサを介して、所定の照明器具によって提供される投光信号をモニターし、第１の投光信号の受信に基づいて所定の照明器具についてグループ化データの生成を行うように構成されてもよい。複数の照明器具の各々は、関連する半導体光源を駆動して、複数の照明器具のうちの他の照明器具がモニターするために投光信号を提供してもよい。複数の照明器具の各々は、グループ化データに基づいて、複数のグループのうちの少なくとも１つに自動的に割り当てられてもよい。
【０１８５】
本開示は、ネットワークにおける照明器具の制御が照明器具の間で分散され得る照明ネットワークに関する。照明器具は、異なる照明ゾーンに関連するグループに分割されてもよい。照明器具のうちの少なくとも幾つかは、例えば占有センサ、周囲光センサ等のような１つ又は複数のセンサを有するか又はそれに関連することになる。全体的な照明ネットワーク又は種々の照明ゾーン内で、照明器具は、センサからのセンサデータを共有してもよい。各照明器具は、それ自体のセンサ、リモート独立型センサ、又は照明器具によって提供されるセンサデータを処理し、また、照明器具自体の内部ロジックに従ってセンサデータを処理して、照明器具の動作を制御してもよい。照明器具はまた、インターネット又は他の同様なネットワークを介して他の照明器具、制御ノード、光スイッチ、コミッショニングツール、ゲートウェイ、及びリモートデバイスから制御入力を受信してもよい。制御入力は、内部ロジックに従ってセンサデータと共に処理されて、照明器具の制御を更に高めてもよい。
【０１８６】
したがって、本開示の照明ネットワークの制御は、各照明器具が本質的に照明ネットワークから独立して動作するように分散化されてもよい。しかしながら、照明器具の各々における内部ロジックは、照明器具がグループとして協調して動作するように構成される。協調して動作しながら、各照明器具は、特定の照明用途についての目標に応じて異なる光出力レベルを提供すること等、異なる方法で動作してもよい。照明器具はまた、提示される任意のユーザ入力に応答してもよい。
【０１８７】
一実施形態では、各照明器具は、半導体光源及び動作を制御する回路を含む。具体的には、回路は、少なくとも１つの照明器具からリモートセンサデータを受信し、リモートセンサデータに基づいて半導体光源を駆動するように構成される。照明器具は、例えば周囲光センサ、又は占有センサ等のローカルセンサを含んでもよい。ローカルセンサによって、回路は、更に、ローカルセンサからのローカルセンサデータを確定し、リモートセンサデータとローカルセンサデータとの双方に基づいて半導体光源を駆動するように構成される。ローカルセンサデータはまた、他の照明器具に送信されてもよく、他の照明器具は、ローカルセンサデータを使用して、これらの照明器具を制御するのを助けてもよい。照明器具を制御することに加えて、センサ活動は、使用パターンを細部にわたって示すことができる。幾つかの例は、どのエリアが長期間にわたって部屋内で使用されているかを示す部屋内の占有センサパターン、又は、昼光がどれだけ効率的に窓から取り込まれ、部屋に分配されているかを示す周囲光センサであろう。
【０１８８】
したがって、これらの照明器具は、それらのセンサデータを、照明ネットワークにおける他の照明器具と共有し、それら自体の内部ロジックの観点からローカル及びリモートセンサデータに基づいてそれらの光出力を制御してもよい。内部ロジックは、照明器具の各々が、光又は機能を協調方式で提供しながら、互いから独立して動作するように構成される。
【０１８９】
例えば、スイッチは、特定ゾーンにおける照明器具の全てをターンオンするのに使用されてもよい。しかしながら、種々の照明器具によって提供される光の量は、照明ゾーンの異なるエリアに存在する周囲光の量に基づいて照明器具毎に変動し得る。窓に近い照明器具は、内壁の近くにある照明器具に比べて少ない光又は異なる色の光又は異なる色温度の光を提供し得る。
【０１９０】
本開示は、ネットワークにおける照明器具の制御が照明器具の間で分散され得る照明ネットワークに関する。照明器具は、異なる照明ゾーンに関連するグループに分割されてもよい。照明器具の少なくとも幾つかは、例えば占有センサ、周囲光センサ等のような１つ又は複数のセンサを有するか又はそれに関連することになる。全体的な照明ネットワーク又は種々の照明ゾーン内で、照明器具は、それらのセンサからのセンサデータを共有してもよい。各照明器具は、それ自体のセンサ、リモート独立型センサ、又は照明器具によって提供されるセンサデータを処理し、また、照明器具自体の内部ロジックに従ってセンサデータを処理して、照明器具の動作を制御してもよい。照明器具はまた、他の照明器具、制御ノード、光スイッチ、及びコミッショニングツールから制御入力を受信してもよい。制御入力は、内部ロジックに従ってセンサデータと共に処理されて、照明器具の制御を更に高めてもよい。
【０１９１】
したがって、本開示の照明ネットワークの制御は、各照明器具が本質的に照明ネットワークから独立して動作するように分散化されてもよい。しかしながら、照明器具の各々における内部ロジックは、照明器具がグループとして協調して動作し得るように構成される。協調して動作しながら、各照明器具は、特定の照明用途についての目標に応じて異なる光出力レベルを提供すること等、異なる方法で動作してもよい。照明器具はまた、提示される任意のユーザ入力に応答してもよい。
【０１９２】
このような照明システムでは、照明器具は、照明器具の間で情報を通信し、多くの事例では、１つの照明器具から別の照明器具へデータパケットの形態で情報をルーティングする必要がある。したがって、照明器具は、データパケットを生成し、データパケットを別の照明器具にルーティングし、別の照明器具は、データパケット内の情報を処理するか又はデータパケットを別の照明器具にルーティングしてもよい。
【０１９３】
第１の実施形態では、各照明器具は、光源及び動作を制御する回路を含む。光出力を提供するため、回路は、光源を駆動して光出力を提供するように構成される。データパケットをルーティングするため、回路は、複数の宛先アドレスの各々について次のホップアドレスを有するルーティングテーブルを使用する。各々の次のホップアドレスは、複数の宛先アドレスのうちの対応する１つに基づいてルーティングテーブル内に位置決めされる。したがって、複数の宛先アドレスは、ルーティングテーブルにアクセスするために使用される必要はない。
【０１９４】
回路は、最初に、データパケットの宛先アドレスに基づいてルーティングテーブル内の位置を確定してもよい。次に、宛先アドレスのための次のホップアドレスが、ルーティングテーブルにおける位置に基づいてアクセスされ、その後、データパケットが、次のホップアドレスに向かってルーティングされる。本質的に、複数の宛先アドレスの各々について次のホップアドレスは、複数の宛先アドレスの番号順に対応する順序でルーティングテーブル内に配置されてもよい。宛先アドレスのための次のホップアドレスにアクセスするため、回路は、インデックスとして宛先アドレスを使用して、ルーティングテーブルから宛先アドレスのための次のホップアドレスを識別してもよい。ルーティングテーブルは、各々の次のホップアドレスについてホップの数を含んでもよい。複数のノードの数は、ルーティングテーブル内の位置の数に対応し得る。１つのシナリオでは、各宛先アドレスの値は、ルーティングテーブル内の対応する次のホップアドレスを含む位置に直接対応する。
【０１９５】
第２の実施形態では、ルーティングテーブルは、少なくとも第１のセクションと第２のセクションとに分割される。第１のセクションは、照明器具が属さない、複数の照明器具のグループの各々について次のホップアドレスを含む。第２のセクションは、照明器具が属する照明器具のグループに関連する複数の宛先アドレスの各々に対応する次のホップアドレスを備える。
【０１９６】
一実装態様では、第２のセクションは、対応する次のホップアドレスに関連する複数の宛先アドレスの各々を含む。次のホップアドレスは、対応する宛先アドレスに直接基づいてアクセスされる。別の実装態様では、各々の次のホップアドレスは、複数の宛先アドレスのうちの対応する１つに基づいてルーティングテーブル内に配置され、それにより、複数の宛先アドレスは、ルーティングテーブルにアクセスするために使用されない。
【０１９７】
データパケットが、照明器具が属さない複数の照明器具のグループのうちの１つについて意図される場合、回路は、第１のセクションにアクセスし、照明器具が属さない複数の照明器具のグループのうちの１つに基づいて次のホップアドレスを確定することになる。データパケットが、照明器具が属する照明器具のグループについて意図される場合、回路は、第２のセクションにアクセスして、データパケットのための次のホップアドレスを確定することになる。次のホップアドレスが識別されると、回路は、データパケットを次のホップアドレスに向かってルーティングすることになる。
【０１９８】
第３の実施形態では、ルーティグ基準を備える照明器具が提供され、その照明器具は、宛先アドレスの少なくとも２つの範囲の各々について次のホップアドレスを有する。宛先アドレスの少なくとも２つの範囲のうちの１つに向かってデータパケットをルーティングするとき、回路は、最初に、データパケットのための宛先アドレスを確定することになる。次に、回路は、宛先アドレスが収まる宛先アドレスの少なくとも２つの範囲のうちの１つに基づいてルーティング基準から次のホップアドレスを選択し、次のホップアドレスに向かってデータパケットをルーティングすることになる。ルーティング基準はまた、少なくとも１つの宛先アドレスのための次のホップアドレスを含んでもよい。次のホップアドレスが、アドレスの範囲ではなく、宛先アドレスに直接関連する場合、回路は、データパケットのための宛先アドレスを確定し、少なくとも１つの宛先アドレスに基づいてルーティング基準から次のホップアドレスを選択し、データパケットを次のホップアドレスに向かってルーティングすることになる。
【０１９９】
本開示は、ネットワークにおける照明器具の制御が照明器具の間で分散され得る照明ネットワークに関する。照明器具は、異なる照明ゾーンに関連するグループに分割されてもよい。照明器具のうちの少なくとも幾つかは、例えば占有センサ、周囲光センサ等のような１つ又は複数のセンサを有するか又はそれに関連付けられることになる。全体的な照明ネットワーク又は種々の照明ゾーン内で、照明器具は、センサからのセンサデータを共有してもよい。各照明器具は、それ自体のセンサ、リモート独立型センサ、又は照明器具によって提供されるセンサデータを処理し、また、照明器具自体の内部ロジックに従ってセンサデータを処理して、照明器具の動作を制御してもよい。照明器具はまた、他の照明器具、制御ノード、光スイッチ、及びコミッショニングツールから制御入力を受信してもよい。制御入力は、内部ロジックに従ってセンサデータと共に処理されて、照明器具の制御を更に高めてもよい。
【０２００】
したがって、本開示の照明ネットワークの制御は、各照明器具が本質的に照明ネットワークから独立して動作するように分散化されてもよい。しかしながら、照明器具の各々における内部ロジックは、照明器具がグループとして協調して動作するように構成される。協調して動作しながら、各照明器具は、特定の照明用途についての目標に応じて異なる光出力レベルを提供すること等、異なる方法で動作してもよい。照明器具はまた、提示される任意のユーザ入力に応答してもよい。
【０２０１】
一実施形態では、照明器具が照明ネットワークに設置されると、有線又は無線通信手段を通して種々の照明器具をセットアップし、構成し、制御するのに手持ち式デバイスが使用されてもよい。所望の協調方式で動作するように種々の照明器具の内部ロジックを構成し、照明器具を定義された照明ゾーンに関連するグループに割り当て、照明器具を他のグループに再割り当てすること等に手持ち式デバイスが使用されてもよい。グループ化のため、手持ち式デバイスは、種々の照明器具からグループ化データを受信し、グループ化データに基づいて照明器具をグループ化するように構成されてもよい。グループが確定されると、手持ち式デバイスは、照明器具が割り当てられた１つ又は複数のグループの各照明器具に知らせてもよい。
【０２０２】
本開示は、ドライバモジュールと、少なくとも１つの他のモジュールであって、例えばセンサ機能、照明ネットワーク通信機能、ゲートウェイ機能等のような照明器具機能を提供する、少なくとも１つの他のモジュールとを含む照明器具に関する。ドライバモジュールは、通信バスを通じてマスター／スレーブスキームで他のモジュールと通信する。ドライバモジュールは、スレーブ通信デバイスとして構成され、他のモジュールは、マスター通信デバイスとして構成される。したがって、他のモジュールは、ドライバモジュールとの通信を開始して、情報を、ドライバモジュールに送信するか、又はドライバモジュールから取り出してもよい。
【０２０３】
一実施形態では、ドライバモジュール及び通信モジュールを含む照明器具が提供される。ドライバモジュールは、関連する光源を駆動し、スレーブ通信デバイスとして通信バスを通じて通信を促進するように構成される。通信モジュールは、照明ネットワークにおける他の要素との無線通信を促進し、通信バスを通じてドライバモジュールと、マスター通信デバイスとして通信するように構成される。照明器具はまた、付属モジュールを含んでもよく、付属モジュールは、照明器具のために照明器具機能を提供すると共に、通信バスを通じたドライバモジュールとの、マスター通信デバイスとしての通信を促進するように構成される。マスター通信デバイスでありながら、付属モジュールと通信モジュールとの双方は、ドライバモジュールとの通信を開始してもよい。ドライバモジュールは、ＡＣ電力を受け、ＤＣ電力を通信モジュール及び付属モジュールに提供するように構成されてもよい。通信バスは、例えばＩ２Ｃバス等のシリアル通信バスであってもよい。
【０２０４】
ドライバモジュールとの通信は、ドライバモジュールから情報を要求すること及び情報をドライバモジュールに転送することを含んでもよい。付属モジュールは、１）照明器具機能が占有を検出することである占有センサ、２）照明器具機能が周囲光を検出することである周囲光センサ、及び３）照明器具機能が、リモートデバイス及び照明ネットワークの外のネットワークのうちの少なくとも一方に対して無線通信ゲートウェイを提供することである通信ゲートウェイを有するように構成されてもよい。
【０２０５】
１つのシナリオにおいて、通信モジュールは、照明ネットワークの他の要素のうちの１つから第１の情報を無線で受信し、マスター通信デバイスとして、ドライバモジュールに対する第１の情報の転送を開始するように構成され、ドライバモジュールは、第１の情報に基づいて光源を制御することになる。更に、付属モジュールは、センサを含み、センサの出力に関係する第２の情報を確定するように構成されてもよい。マスター通信デバイスとして、付属モジュールは、ドライバモジュールへの第２の情報の転送を開始してもよく、ドライバモジュールは、第２の情報に基づいて光源を制御することになる。
【０２０６】
通信モジュールは、照明ネットワークの他の要素のうちの１つから情報を無線で受信し、マスター通信デバイスとして、ドライバモジュールへの情報の転送を開始するように構成され、ドライバモジュールは、この情報に基づいて光源を制御することになる。
【０２０７】
ドライバモジュールは、通信バスを介してリモートスイッチと通信するように更に構成されてもよく、リモートスイッチはまた、ドライバモジュールへのスイッチ情報の転送を開始するように構成されるマスター通信デバイスとして構成され、ドライバモジュールは、スイッチ情報に基づいて光源を制御することになる。
【０２０８】
本開示は、照明ネットワークにおいて使用するための照明器具に関し、照明器具及び他の要素は、有線又は無線通信技法を介して互いに通信できる。照明ネットワークが形成されるか又は修正されると、照明器具は、互いに通信することができ、また、コミッショニングプロセス中に調整器として動作する単一の照明器具を自動的に確定してもよい。本質的に、照明器具は、例えばＭＡＣアドレス等の当該照明器具の通信アドレスを交換することができ、最小（又は最高）の通常通信アドレスを有する照明器具が調整器になる。調整器はまた、照明ネットワークが形成されると通信のために使用する短縮アドレスを、長いＭＡＣアドレス又は同様のアドレスの代わりに割り当てるように構成されてもよい。短縮アドレスは、ルーティングオーバヘッドを減少させ、ひいては、制御情報、センサデータ等を含むメッセージのルーティングをより効率的にすることができる。
【０２０９】
１つの例示的な実施形態では、第１のアドレスを有し、任意の数の要素を有する照明ネットワークにおいて使用されることを意図される照明器具が提供される。照明器具は、一般的に、光源、通信インタフェース、及び照明器具を制御するための回路を含む。光源を制御することに加え、回路は、第１のリモート照明器具から、第１のリモート照明器具のための第２のアドレスを含む第１の「ジョイン・マイネットワーク」メッセージを受信するように構成される。回路は、第１のアドレスを第２のアドレスと比較することになる。第１のアドレスが第２のアドレスとの予め定義された関係を有していない場合、回路は、第１のリモート照明器具を照明ネットワークのための調整器として認識してもよい。第１のアドレスが第２のアドレスとの予め定義された関係を有している場合、回路は、それ自体の照明器具を照明ネットワークのための調整器として設定してもよい。予め定義された関係は、単に、第１のアドレスが第２のアドレスより大きいか、小さいかであってもよい。しかしながら、本明細書で開示される概念は、これらの２つの関係に限定されない。
【０２１０】
短縮アドレスが使用される場合、第１のアドレスが第２のアドレスとの予め規定された関係を有する場合、回路は、第１のリモート照明器具のための短縮アドレスを生成して、その短縮アドレスを第１のリモート照明器具に送信してもよい。この場合、照明器具は、少なくとも一時的に、それ自体を第１のリモート照明器具のための調整器とみなすことになる。やはり、第１の短縮アドレスは第１のアドレスより短い。例えば、第１のアドレスは６４ビットＭＡＣアドレスであってもよく、短縮アドレスは、８、１６、又は２４ビットアドレス等であってもよい。回路は、第１の短縮アドレスを第１のリモート照明器具に送信することになる。第１のアドレスが第２のアドレスとの予め定義された関係を有していない場合、回路は、照明器具が照明ネットワーク内で通信するために使用する第１の短縮アドレスを受信するために待機してもよい。ここで、第１の短縮アドレスは第１のアドレスより短い。
【０２１１】
照明器具は、コミッショニングプロセス中に異なる照明器具から「ジョイン・マイネットワーク」メッセージを受信してもよい。照明器具は、第１の交換中に１つのリモート照明器具に対して当該照明器具が調整器であると最初に考え、その後、別のリモート照明器具との第２の交換中にその調整器の役割を放棄してもよい。例えば、回路は、第２のリモート照明器具から、第２のリモート照明器具のための第３のアドレスを含む第２の「ジョイン・マイネットワーク」メッセージを受信し、第１のアドレスを第３のアドレスと比較するように構成されてもよい。第１のアドレスが第３のアドレスと予め定義された関係を有していない場合、回路は、第１のリモート照明器具を照明ネットワークのための調整器として認識してもよい。第１のアドレスが第３のアドレスと予め定義された関係を有している場合、回路は、少なくとも一時的に、それ自体の照明器具を照明ネットワークのための調整器として設定してもよい。
【０２１２】
照明器具が主にメッシュネットワークのためのルーティングノードであるとき、最終的に調整器になる照明器具のための回路は、照明ネットワークにおいて、センサモジュール、スイッチモジュール、ある照明器具等を含み得る非ルーティング要素の各々に短縮アドレスを割り当ててもよい。
【０２１３】
調整器のための回路は、ルーティングのため及び非ルーティングのための双方の種々の要素に対する命令の送出を行って、グループ化プロセスを開始してもよく、要素は、互いに協調して、要素の複数のグループを形成する。グループ化プロセスは、投光処理を使用してもよく、１つの要素が投光信号を放出するとき、要素のうちの他の複数が、投光信号をモニターして、要素の複数のグループを決定するために使用される投光データを確定する。例えば調整器等の１つ又は複数の要素は、要素のうちの他の複数の要素から投光データを収集すると共に、要素のうちの他の複数の要素に、要素のうちの複数の要素の各々が割り当てられるグループを識別する情報を送信してもよい。調整器は、実際にグループを決定してもよいし、又は、例えばコミッショニングツール又は他の制御システム等のリモートエンティティを使用して、グループを決定してもよい。あるいは、要素のうちの幾つかは、データの全てを交換し、あるグループに関してそれら要素自体を独立して識別してもよい。
【０２１４】
本開示は、照明ネットワークにおいて使用するための照明器具に関し、照明器具及び他の要素は、有線又は無線通信技法を介して互いに通信することができる。照明ネットワークが形成又は修正されると、照明ネットワークを形成するための調整器として動作する照明器具が選択される。例えば、ユーザは、コミッショニングツールを使用して、特定の照明器具を調整器として選択してもよい。調整器は、照明ネットワークの他の要素に向けて１つ又は複数の「ジョイン・マイネットワーク」メッセージを送信することになる。「ジョイン・マイネットワーク」メッセージを受信する要素は、応答して、調整器に当該要素の存在を知らせ、当該要素を照明ネットワークに参加させてもよい。
【０２１５】
ある実施形態では、調整器は、短縮アドレスを、それ自体に割り当てるか、また照明ネットワークにおける他の要素に割り当てることになる。要素が既にＭＡＣアドレス又は同様なアドレスを有するが、短縮アドレスが割り当てられると、ルーティングネットワークの要素は、通常の通信のために短縮アドレスを使用することになる。短縮アドレスは、ルーティングオーバヘッドを減少させ、ひいては、制御情報、センサデータ等を含むメッセージのルーティングをより効率的にすることができる。
【０２１６】
照明ネットワークは、種々の要素から形成されるメッシュネットワークであってもよく、幾つかの要素はルーティングノードとして動作し、、他の要素は非ルーティングノードとして動作する。例えば、選択実施形態では、照明器具の一部又は全てがルーティングノードであってもよい一方で、スイッチ、独立型センサ等が非ルーティングノードであってもよい。しかしながら、特定の型の要素がルーティング要素として構成され得るか、非ルーティング要素として構成され得るかに関する制限は存在しない。
【０２１７】
調整器は、ルーティングのため及び非ルーティングのための双方の種々の要素に対する命令の送出を行って、グループ化プロセスを開始してもよく、要素は、互いに協調して、要素の複数のグループを形成する。グループ化プロセスは、投光処理を使用してもよく、１つの要素が投光信号を放出するとき、要素のうちの他の複数の要素が、投光信号をモニターして、要素の複数のグループを決定する。例えば調整器等の１つ又は複数の要素は、要素のうちの他の複数の要素から投光データを収集すると共に、要素のうちの他の複数の要素に、要素のうちの複数の要素の各々が割り当てられるグループを識別する情報を送信してもよい。調整器は、実際にグループを決定してもよいし、又は、調整器は、例えばコミッショニングツール又は他の制御システム等のリモートエンティティを使用して、グループを決定してもよい。あるいは、要素のうちの幾つかは、データの全てを交換し、あるグループに関して当該要素自体を独立して識別してもよい。
【０２１８】
本開示の概念はまた、パワー・オーバ・イーサネット（ＰｏＥ）環境において適用されてもよい。ＰｏＥによって、単一ケーブルが電力とデータ通信との双方を運ぶことができる。参照によりその全体が本明細書に援用されるＩＥＥＥ８０２．３ａｆ及び８０２．３ａｔ規格は、広く受入れられてきたＰｏＥ規格を規定する。ＣＩＳＣＯは、ＩＥＥＥ８０２．３ａｆ／ａｔ規格が開発される前に開発された代替のＰｏＥ規格について基準を規定した。いずれかの規格によって、２つのデバイスは、単一ケーブルを通じて互いに通信してもよく、１つのデバイスはケーブルを通じて他のデバイスに電力を提供する。電力を提供するデバイスは給電側機器（ＰＳＥ）と称される一方、電力を受けるデバイスは受電側デバイス（ＰＤ）と称される。したがって、ＰＳＥは、単一ケーブルを通じてＰＤ電力を供給するように動作し、ＰＤは、そのケーブルを通じてＰＳＥから受ける電力を消費する。
【０２１９】
図４１は、「スペアペア」電力供給構成についてＰＳＥ及びＰＤのためのそれぞれのインタフェースを図示している。代替の「ファントム」電力供給構成は以下で更に述べられる。ＰＳＥ  ＰｏＥインタフェース１５０は、ＰＳＥの一部を形成し、また、例えばＣＡＴ−５又はＣＡＴ−６イーサネットケーブル等の適切なケーブルによってＰＤに接続される、通信インタフェースと電力送出インタフェースとの双方として機能することになる。イーサネットケーブルは、一般的に、８本線を有し、８本線は、線の４つのツイストペアとして構成される。同様に、ＰＤは、ＰＤ  ＰｏＥインタフェース１５２を有する。
【０２２０】
ＰＳＥ  ＰｏＥインタフェース１５０は、電源１５４を有して示され、電源１５４は、イーサネットジャックのピン４及び５に接続された正側供給出力、並びに、検出及び制御回路１５６を介してピン７及び８に接続された負側供給出力を有する。したがって、電源１５４によって生じる電圧は、ピン４／５とピン７／８との間に提供され、イーサネットケーブルを通じてＰＤによって提供されるイーサネットジャックの対応するピンに送出されてもよい。
【０２２１】
ＰＳＥ  ＰｏＥインタフェース１５０は、送信（ＴＸ）変圧器１５８及び受信（ＲＸ）変圧器１６０を有する。イーサネットケーブルを通じてＰＳＥによって送信されるデータは、ＰＳＥの必須の制御及び通信回路（図示せず）によって送信変圧器１５８の左１次側に提示され、送信変圧器１５８の右２次側に接続され、ＰＳＥのイーサネットジャックのピン１及び２を介して差動方式でイーサネットケーブルに送出される。ＰＤから受信されるデータは、イーサネットジャックのピン３及び６を介して差動方式で受信され、受信変圧器１６０の右１次側に提示され、受信変圧器１６０の左２次側に接続され、必須の通信回路（図示せず）に送出される。
【０２２２】
ＰＤ側で、ＰＳＥによって送信され、ＰＤのイーサネットジャックのピン１及び２を介して受信されるデータは、受信変圧器１６２の左１次側によって差動方式で受信され、受信変圧器１６２の右２次側に接続され、ＰＤの必須通信回路（図示せず）に送出される。イーサネットケーブルを通じてＰＤによって送信されるデータは、ＰＤの必須通信回路（図示せず）によって送信変圧器１６４の右１次側に提示され、送信変圧器１６４の左２次側に接続され、ＰＤのイーサネットジャックのピン３及び６を介して差動方式でイーサネットケーブルに送出される。
【０２２３】
ピン４／５とピン７／８との間に提示される電圧は、ＤＣ−ＤＣ電源（ＰＳ）１６６に効果的に提示され、ＤＣ−ＤＣ電源１６６は、検出回路１６８によって制御され、検出回路１６８の方向に基づいて、ＤＣ出力電圧であるＶＯＵＴを提供することが可能である。特に、検出回路１６８は、ＤＣ出力電圧ＶＯＵＴのレベルを制御するだけでなく、ＤＣ出力電圧ＶＯＵＴを発生するのかも制御する。
【０２２４】
ＰＳＥの検出及び制御回路１５６並びにＰＤの検出回路１６８は、互いに効果的に通信し、それにより、ＰＳＥは、ＰＤがＰｏＥデバイスであることを検出し、規定されたＩＥＥＥ８０２．３ａｆ  ＰｏＥ電力クラスのうちの１つに入るものとしてＰＤを分類することができる。検出中に、ＰＳＥの検出及び制御回路１５６は、２つの異なる電圧レベルでピン４／５及び７／８を介してＰＤに提供されている電流を測定する。これらの２つの電圧レベルは、それぞれ、例えば２．８Ｖ及び５．６Ｖ等の比較的低い到達レベルである。これらの異なる電圧レベルが生じると、ＰＤの検出回路１６８は、規格で規定された入力抵抗を提供することになる。これらの電流に基づいて、ＰＤについての差動入力抵抗が、ＰＳＥの検出及び制御回路１５６によって決定される。差動入力抵抗が適切な範囲内に収まる場合、検出及び制御回路１５６は、ＰＤが適切なＰｏＥデバイスであると判定することになる。そうでなければ、検出及び制御回路１５６は、ＰＤがＰｏＥデバイスでないと判定することになる。
【０２２５】
分類のために、ＰＳＥの検出及び制御回路１５６は、中間電圧を提供し、結果として得られる電流を測定することになる。ＰＤは、この中間電圧を予想していることになり、また、その入力インピーダンスを、その特定の電力分類を示すレベルに修正することになる。他の実施形態において、分類を補助するための情報が、データラインを通じて交換されてもよい。ＰＤが分類されると、ＰＳＥの検出及び制御回路１５６は、ピン４／５と７／８との間に標準的な４８Ｖ  ＰｏＥ供給電圧を発生することになる。ＰＤは、ピン４／５及び７／８を介してこの電圧を受けることになる。電圧は、ＤＣ−ＤＣ電源１６６に提供され、ＰＤの電子機器に電力供給する所望の出力電圧ＶＯＵＴに調節される。検出回路１６８は、出力電圧ＶＯＵＴのために特定の電圧レベルを制御するように構成されてもよい。
【０２２６】
上記実施形態において、データは、双方のデバイスのピン１及び２を接続するツイストペアを通じてＰＳＥからＰＤに送信される。データは、双方のデバイスのピン３及び６を接続するツイストペアを通じてＰＤからＰＳＥに送信される。この構成において、電力は、データを通信するために使用される線上に供給されない。正側供給電圧は、ピン４／５を接続するスペアツイストペアを通じて提供され、負側供給電圧は、ピン７／８を接続するスペアツイストペアを通じて提供される。したがって、この実施形態は、スペアペア電力供給と称される。以下の実施形態において、電力は、ファントム電力供給構成でデータを通信するために使用される線を通じて供給される。
【０２２７】
図４２を参照すると、図４１のＰＳＥ及びＰＤは、わずかに修正されている。具体的には、電源１５４からの正側供給電圧は、送信変圧器１５８の右２次巻線の中央タップに接続される。負側供給電圧は、受信変圧器１６０の右１次巻線の中央タップに接続される。したがって、正側供給電圧は、ＰＤに送信されるデータと共に、ピン１／２を接続するツイストペアを通じ提供され、負側供給電圧は、ＰＤから受信されるデータと共に、ピン３／６を接続するツイストペアを通じ提供される。
【０２２８】
ＰＤ  ＰｏＥインタフェース１５２において、ＤＣ−ＤＣ電源１６６は、受信変圧器１６２の左１次巻線の中央タップに接続され、検出回路１６８は、送信変圧器１６４の左２次巻線に接続される。したがって、正側供給電圧は、ＰＳＥから受信されるデータと共に、ピン１／２を接続するツイストペアを通じて受信され、負側供給電圧は、ＰＤから送信されるデータと共に、ピン３／６を接続するツイストペアを通じて受信される。ピン４／５の間及びピン７／８の間にそれぞれ延在するツイストペアは未使用である。ＰＤを検出及び分類するために使用されるハンドシェイキングは、上述したハンドシェイキングと同様である。
【０２２９】
ここで、図４３を見ると、ＰｏＥを使用するネットワーク照明環境は、第１の実施形態に従って図示される。この実施形態において、照明ネットワーク１７０は、電源（ＰＳ）１７４から電力を受けるＰｏＥスイッチ１７２に接続される。ＰｏＥスイッチ１７２は、ＰＳＥとして構成され、ＰＤとして構成される複数の照明器具１７６に接続される。したがって、ＰｏＥスイッチ１７２は、照明ネットワーク１７０と照明器具１７６との間のイーサネットを基にした通信を促進する。ＰｏＥスイッチ１７２が電源１７４から電力を受ける間、照明器具１７６は、イーサネット又は同様なケーブルを通じてＰｏＥスイッチ１７２から電力を受ける。データは、上述したように電力がそれを通してＰｏＥスイッチ１７２から照明器具１７６に提供される同じ配線を通じて、ＰｏＥスイッチ１７２と照明器具１７６との間で交換される。
【０２３０】
更に、種々の制御要素１７８が照明器具１７６に接続されてもよい。これらの制御要素１７８は、統合された又は別個の、占有センサ、周囲光センサ、温度センサ、無線アクセスポイント、緊急時照明器具、カメラ、サーモスタット、スピーカ、セキュリティセンサ、スモークアラーム、電話等を表してもよい。特に、ＰｏＥスイッチ１７２から電力を受けている照明器具１７６は、制御要素１７８の一部又は全てに電力を提供でき得る。ある実施形態において、制御要素１７８は、それら自体の電力源を有し、ひいては、対応する照明器具１７６から電力を受けなくてもよい。以下で更に述べるように、照明器具１７６及び制御要素１７８は、互いに通信でき、それにより、照明器具１７６は、制御要素１７８から提供される情報に応答すると共に、制御要素１７８を制御する情報を提供してもよい。照明器具１７６は、制御メッセージ又はデータを含む情報を、互いに、並びに、照明ネットワーク１７０の一部を形成する他の照明器具１７６を含む他のエンティティと交換してもよい。
【０２３１】
図４４は、ＰＤとして構成される例示的な照明器具１７６を図示する。照明器具１７６は、イーサネットジャック１８０を含み、イーサネットジャック１８０は、図４１に示されるものと同様に構成されるＰＤ  ＰｏＥインタフェース１８２に接続される。ＰＤ  ＰｏＥインタフェース１８２は、例えばＰｏＥスイッチ１７２等のＰｏＥデバイスからのイーサネットジャック１８０におけるデータ（ＲＸ）をコントローラ１８４に提供する。ＰＤ  ＰｏＥインタフェース１８２は、コントローラ１８４から送信されるデータ（ＴＸ）を、ＰｏＥデバイスに送出するためイーサネットジャック１８０に渡す。
【０２３２】
ＰＤ  ＰｏＥインタフェース１８２はまた、出力電圧ＶＯＵＴを、１つ又は複数のＤＣ−ＤＣ  ＬＥＤ給電部１８６並びに電源ユニット（ＰＳＵ）１８８に提供する。各ＤＣ−ＤＣ  ＬＥＤ給電部１８６は、ＬＥＤ１９０の１つ又は複数のストリングを駆動するように構成されてもよく、各ストリングは、先に述べたように、同じか又は異なる色のＬＥＤを有してもよい。ＤＣ−ＤＣ  ＬＥＤ給電部１８６は、コントローラ１８４から制御信号を受信してもよい。制御信号は、アナログ又はデジタルであってもよく、ＤＣ−ＤＣ  ＬＥＤ給電部１８６によってＬＥＤ１９０の各ストリングにわたって印加されるドライブ電圧をセットするために使用される。ＬＥＤ１９０の各ストリングを通る電流を制御することは、それぞれのＬＥＤ１９０の各ＬＥＤについて輝度レベルを効果的に設定することになる。
【０２３３】
ＰＳＵ１８８は、照明器具１７６の種々のコンポーネントのための、低電圧電源、電圧基準等として動作する。この例において、ＰＳＵ１８８は、コントローラ１８４のための供給電圧、及び、ＤＣ−ＤＣ  ＬＥＤ給電部１８６のための電圧基準又はバイアス電圧を提供する。ＰＳＵ１８８はまた、照明器具１７６内に統合されるか又は照明器具１７６に接続される制御要素１７８の一部又は全てに電力供給（ＰＷＲ）する供給電圧を提供してもよい。あるいは、電力は、ＰＤ  ＰｏＥインタフェース１８２から制御要素１７８に供給されてもよい。
【０２３４】
コントローラ１８４と種々の制御要素１７８との間の通信は、例えばＩ２Ｃシリアルバス等の独占的な又は業界標準の通信バス（ＣＯＭＭ）を通じて行われてもよい。コントローラ１８４と制御要素１７８との間のインタフェースはまた、イーサネットを基にしてもよい。やはり、制御要素１７８は、先に述べたように種々の形態をとってもよい。例えば、制御要素１７８は、占有センサ及び周囲光センサであってもよい。センサからの情報は、コントローラ１８４によって処理され、ＬＥＤ１９０の種々のストリングがどのように駆動されるかを制御するために使用されてもよい。コントローラ１８４は、先に述べたように、センサからの情報を、ＰＤ  ＰｏＥインタフェース１８２を介して他の照明器具１７６又は制御エンティティと共有すると共に、この情報に基づいてこれらの照明器具１７６又は制御エンティティに送信される制御情報を生成してもよい。
【０２３５】
図４５は、照明器具１７６がＰＤの代わりにＰＳＥとして構成される照明環境を図示している。更に、制御要素１７８は、ここでは、ＰＤとして構成される。したがって、各照明器具１７６は、個別のＡＣ又はＤＣ電源（ＰＳ）１９２から電力を受け、ＰｏＥインタフェースを介して、１つ又は複数の制御要素１７８に提供することになる。照明器具１７６は、有線又は無線技法を使用して照明ネットワーク１７０と通信してもよい。有線接続の場合、照明器具１７６は、照明ネットワーク１７０に接続されるイーサネットスイッチ１９４に接続されるイーサネットインタフェースを有してもよい。無線接続の場合、照明器具１７６は、上述したように、照明ネットワーク１７０、無線通信インタフェースを有する別の照明器具１７６、又は他のデバイスの無線アクセスポイント（図示せず）と通信することが可能である無線通信インタフェースを有してもよい。
【０２３６】
図４６を参照すると、ＰＳＥとして構成される照明器具１７６のための例示的なアーキテクチャが述べられる。この構成において、照明器具１７６は、ＡＣ源から電力供給され、また、外部ＤＣ源又は電源によって供給され得る。図４４の照明器具１７６と同様の方式で、ＤＣ−ＤＣ  ＬＥＤ給電部１８６は、ＬＥＤ１９０の１つ又は複数のストリングを通る電流を制御するのに使用される。ある実施形態において、複数のＤＣ−ＤＣ  ＬＥＤ給電部１８６が設けられてもよく、それぞれが、ＬＥＤ１９０の対応するストリングを通って提供される電流を独立して制御することが可能である。ＬＥＤ１９０の各ストリングに提供される電流は、コントローラ１８４によって制御され、コントローラ１８４は、その電力をＰＳＵ１８８から受ける。ＡＣ／ＤＣ変換器１９６は、ＡＣ信号を所望のＤＣ信号に変換することが可能である。この事例において、ＡＣ／ＤＣ変換器１９６の出力は、ＰｏＥ用途のための標準的な供給電圧に対応する約４８Ｖ  ＤＣである。この出力電圧は、ＤＣ−ＤＣ  ＬＥＤ給電部１８６、ＰＳＵ１８８、並びにＰＳＥ  ＰｏＥインタフェース１９８に提供される。
【０２３７】
ＰＳＥ  ＰｏＥインタフェース１９８は、図４２に図示され、図４２に関連して述べたインタフェースと同様である。照明器具１７６はまた、例えば有線通信インタフェース２０２及び無線通信インタフェース２０４等の１つ又は複数の他の通信インタフェースに関連付けられる。ＰＳＥ  ＰｏＥインタフェース１９８は、複数のＰｏＥポート２００を有し、それらのＰｏＥポート２００に対して、種々の制御要素１７８が、例えばイーサネットケーブル等の適切なケーブルを介して接続されてもよい。１つ又は複数の制御要素１７８は、ＰＤとして構成されるＰｏＥデバイスであってもよい。制御要素１７８は、例えば占有センサ、周囲光センサ、光スイッチ等のような上述した形態のうちの任意の形態をとってもよい。したがって、ＰＳＥ  ＰｏＥインタフェース１９８は、所望のＰｏＥ規格に従って、制御要素１７８との適切なＰｏＥハンドシェイキングを促進し、制御要素１７８に電力を提供し、制御要素１７８とのイーサネット通信を促進してもよい。
【０２３８】
コントローラ１８４は、照明器具１７６の動作を制御するだけでなく、ＰＳＥ  ＰｏＥインタフェース１９８のＰｏＥポート２００、有線通信インタフェース２０２、及び無線通信インタフェース２０４に接続されるデバイスのうちの任意のデバイスの間の通信を調整する。一実施形態において、有線通信インタフェース２０２は、非ＰｏＥイーサネットインタフェースである。したがって、ＰｏＥポート２００、有線通信インタフェース２０２、及び無線通信インタフェース２０４は、イーサネットハブ、イーサネットスイッチ、ルータ、又はその組合せを提供するために関連付けられてもよい。したがって、コントローラ１８４は、ＰｏＥポート２００に接続される任意の２つの制御要素１７８（又は他のデバイス）間での情報の交換を促進すると共に、ＰｏＥポート２００に接続される任意の制御要素１７８と、フレーム又はパケットレベルで有線又は無線通信インタフェース２０２、２０４に接続される任意の制御デバイス、照明器具１７６、又はネットワークとの間の情報の交換を促進してもよい。簡潔に言えば、コントローラ１８４は、ハブ、スイッチ、ルータ、又は同様な制御エンティティとして動作してもよく、照明器具１７６は、統合されたハブ、スイッチ、ルータ、又は、その中に統合された同様の制御エンティティを効果的に有することになる。
【０２３９】
ネットワーク間で又はネットワークデバイス間で情報を中継又はルーティングすることに加えて、コントローラ１８４はまた、情報を処理し、それ自体のために照明決定を行い、その照明ネットワーク１７０に関連する他の照明器具１７６のために照明決定を行ってもよい。これらの決定は、上述したように、取り付けられた制御要素１７８、他の照明器具１７６、リモート制御エンティティ等から取得される情報に部分的に又は単独で基づいてもよい。ハブ、スイッチ、及びルータという用語は、それらの通常の意味を持つことを意図される。
【０２４０】
例えば、２つの制御要素１７８が占有センサ及び周囲光センサとしてそれぞれ構成される場合、センサデータは、コントローラ１８４に提供されてもよく、また、ＬＥＤ１９０のストリングを制御するために使用されてもよく；有線又は無線通信インタフェース２０２、２０４を介して他の照明器具又は制御エンティティに伝えられてもよく；有線又は無線通信インタフェース２０２、２０４を介して他の照明器具１７６又は制御エンティティに送信されるコマンドを生成するために使用されてもよく；又はその任意の組合せのためであってもよい。更に、コントローラ１８４はまた、センサ情報あるいは他の照明器具１７６又はリモート制御エンティティからの他のデータを受信し、この情報又はデータを使用して、ＬＥＤ１９０のストリングをどのように制御するかを決定する、又は、他の照明器具１７６又はリモートエンティティに送信するコマンドを生成するのに役立ち得る。これらの機能の全ては、照明器具１７６の種々のインタフェースについて基本的なハブ、スイッチ、及びルータ機能の一番上に設けられてもよい。
【０２４１】
制御要素１７８は、ＰｏＥ  ＰＤデバイスとして構成されるとき、インターネットプロトコル（ＩＰ）アドレスに関連付けられてもよい。したがって、センサ等として構成される制御要素１７８は、ＩＰアドレスを有し、照明器具１７６のＰＳＥ  ＰｏＥインタフェース１９８のＰｏＥポート２００から電力を受けることになる。
【０２４２】
以下の議論は、照明ネットワークの種々のデバイスと相互作用し、また、種々のデバイスに関してパラメータを設定するために、コミッショニングツール３６をどのように使用するかについての特定の例を提供する。この例において、照明ネットワークは、任意の数の照明器具１０、スイッチモジュール１１０等を含んでもよい。一般的に、コミッショニングツール３６は、構成モードに入るように照明ネットワークの種々のデバイスに指令してもよい。構成モードにある間に、照明ネットワークのデバイスは、デバイスの通常動作であって、センサ、状態、及び制御情報を共有すること、並びに情報に基づいて動作を制御することを含む、デバイスの通常動作を停止することになる。代わりに、照明ネットワークのデバイスは、主に、コミッショニングツール３６と相互作用して、その幾つかが以下で更に論じられる種々のコミッショニング目標を達成することになる。コミッショニングが終了すると、照明ネットワークのデバイスは、通常動作に戻り、所望に応じて、センサ、状態、及び制御情報を共有すること、並びにこの情報に基づいて動作を制御することを再開することになる。
【０２４３】
動作を講じるコミッショニングツール３６についてのいずれの議論も、一般的に、ユーザからの入力に直接的又は間接的に応答してそうすることになる。コミッショニングツール３６は、以下のプロセスを通してユーザを進ませ、任意の必要なユーザ入力があるか尋ねるグラフィカルユーザインタフェースを提供してもよい。更に、以下のプロセスの幾つかは、ユーザがコミッショニングツール３６を操作して、照明器具１０を選択することを含む。このプロセスは、一般的に、ユーザがコミッショニングツール３６を、選択される照明器具１０に向けることを含み、それにより、コミッショニングツール３６のＬＥＤ１０４Ｌは、照明器具１０の周囲光センサＳＡ等によって受信可能な光を放出する。一般的な通信が、有線又は無線通信を使用して照明ネットワークのデバイス間で提供される。
【０２４４】
構成モードに入る、また構成モードから出るための例示的なプロセスは、図４７に図示されている。最初に、コミッショニングツール３６は、ユーザからの入力に基づいて構成モードに入ることになる（ステップ９００）。構成モードに入ることに応じて、コミッショニングツール３６は、照明ネットワークの種々のデバイスにオーバライドイネーブルメッセージを送信することになる（ステップ９０２）。オーバライドイネーブルメッセージを受信することに応答して、照明器具１０は、全ての通常ネットワークトラフィックを停止して、ネットワークトラフィックを減少させ、それにより、後続のメッセージをよりよく受信し得る。照明デバイスは、共有制御をディスエーブルしてもよく（ステップ９０４）、それは、種々のデバイスが、通常動作中に必要に応じて、センサ、ステータス、又は制御情報を共有すること又はそれに応答することを停止することになることを意味する。
【０２４５】
次に、コミッショニングツール３６は、構成モードに入るように照明ネットワークのデバイスに指令することになる（ステップ９０６）。エンター構成モードメッセージを受信することに応答して、照明器具１０は、フル輝度に移行してもよく（ステップ９０８）、スイッチモジュール１１０は、その通常スイッチモード動作をディスエーブルしてもよい（ステップ９１０）。フル輝度に移行することの代替法として、照明器具１０は、任意の他の型の視覚フィードバックをユーザに提供してもよい。フル輝度に移行することは、照明器具１０がどのようにユーザにフィードバックを提供し得るかの単なる一例である。スイッチモジュールについて、通常動作をディスエーブルすることは、通常、照明器具１０の１つ又は複数をターンオンさせる、ターンオフさせる、又は所望のレベルまで調光させることになるユーザ入力に単に応答しないことを意味し得る。この時点で、照明ネットワークのデバイスは、コミッショニングツール３６からのコミッショニング命令を待つことになる（ステップ９１２）。所望のコミッショニングを促進するため、コミッショニングツール３６は、コミッショニング命令を提供することになる（ステップ９１４）。ステップ９１２及び９１４は、その幾つかが以下で更に述べられる一般的なコミッショニングプロセスを表す。コミッショニングプロセスが終了すると、コミッショニングツール３６は、ユーザ入力に応答して構成モードから出ることになる（ステップ９１６）。コミッショニングツール３６は、照明ネットワークの種々のデバイスに通常モードに入る命令を送信する（ステップ９１８）ことになる。これに応じて、照明ネットワークの種々のデバイスは、通常動作を再開する（ステップ９２０）ことになる。この時点で、照明ネットワークの種々のデバイスは、通常そうするであろうように、センサ、ステータス、制御情報を共有することなく又はそれに応答することなく、独立して動作してもよい。コミッショニングツール３６は、その後、オーバライドディスエーブルメッセージを送信する（ステップ９２２）ことになり、それが、照明ネットワークの種々のデバイスに共有制御をイネーブルさせる（ステップ９２４）ことになる。この時点で、照明ネットワークの種々のデバイスは、センサ、ステータス、制御情報を共有しそれに応答できることになる。
【０２４６】
幾つかの例示的なコミッショニング手順を述べる前に、特定の照明器具１０又はスイッチモジュール１１０を選択することを含む種々のコミッショニング手順において必要とされる一般的な機能が述べられる。図４８は、特定の照明器具１０を選択するための例示的なプロセスを図示している。先に述べたように、このプロセスは、コミッショニングツール３６が、構成モードに入るように照明ネットワークの種々のデバイスに指令した後に行われる。最初に、コミッショニングツール３６は、ユーザ入力に基づいて照明器具選択モードに入ることになる（ステップ１０００）。コミッショニングツール３６は、コミッショニングツール３６のＬＥＤ１０４Ｌ（図２３）から放出される光線を、所望の照明器具１０の方を指すようにユーザに指令し、コミッショニングツール３６が所望の照明器具１０を指すと、選択入力を提供することになる（ステップ１００２）。ユーザ選択入力を受信する（ステップ１００４）と、コミッショニングツール３６は、ＬＥＤ１０４Ｌを、好ましくは人間的に知覚可能でない周波数でストロボ駆動することになる（ステップ１００６）。例えば、ＬＥＤ１０４Ｌは８０Ｈｚでストロボ駆動されてもよい。
【０２４７】
この時点で、コミッショニングツール３６は、投光信号をモニターするメッセージを照明ネットワークの種々のデバイスに送信することになる（ステップ１００８）。これに応じて、照明器具１０及び照明ネットワークは、コミッショニングツール３６から放出されている投光信号をモニターし始めることになる（ステップ１０１０）。照明器具１０の各々は、投光信号のレベルを測定し（ステップ１０１２）、受信した投光信号のレベルを含むメッセージをコミッショニングツール３６に返信することになる（ステップ１０１４）。コミッショニングツール３６は、種々の投光信号レベルを比較し（ステップ１０１６）、最も高い投光信号レベルを有する照明器具１０を被選択照明器具として選択することになる（ステップ１０１８）。特に、照明器具１０は、それらの投光信号レベルをコミッショニングツール３６に送信するとき、その識別情報又はアドレスを含むことになる。したがって、コミッショニングツール３６は、この識別情報又はアドレスを使用して、種々の投光信号レベルがそこから受信された照明器具１０を識別することができる。
【０２４８】
このプロセスの前に、コミッショニングツール３６は、照明ネットワークの種々のデバイスから、照明ネットワーク内の各デバイスの識別子又はアドレスを取り出していることになる。したがって、コミッショニングツール３６は、照明ネットワークの種々のデバイスのマップ又はリストを既に有していることになり、選択に基づいて、照明器具１０のうちのどの１つが選択されたかを把握することになる。最も高い投光信号レベルを有した照明器具１０が選択されると、コミッショニングツール３６は、選択の視覚的確認をユーザに提供してもよい（ステップ１０２０）。選択された照明器具１０は、当該照明器具１０が選択されたことを把握する必要はない。この情報は、コミッショニングツール３６内に維持され、また、必要に応じてコミッショニングツール３６によって使用されてもよい。
【０２４９】
１つ又は複数の照明器具１０をターンオンするか、ターンオフするか、又は、調光するために使用され得るスイッチモジュール１１０を選択するための例示的なプロセスは図４９に関連して述べられる。やはり、このプロセス中に、特定のグループ内の照明器具１０及び１つ又は複数の関連するスイッチモジュール１１０は、このプロセス中に構成モードにある。この例において、照明器具１０の特定のグループに関連する少なくとも２つのスイッチモジュール１１０が存在すると仮定する。
【０２５０】
最初に、コミッショニングツール３６は、スイッチモジュール選択モードに入り（ステップ１１００）、ユーザによって提供されることになるスイッチ選択入力をモニターするメッセージをスイッチモジュール１１０のために送出することになる（ステップ１１０２）。スイッチモジュール１１０の各々は、スイッチ選択入力をモニターし始めることになる（ステップ１１０４）。コミッショニングツール３６は、所望のスイッチモジュール１１０にスイッチ選択入力を提供するようにユーザに指令し（ステップ１１０６）、最終的には被選択スイッチモジュール１１０から受信されることになるスイッチ選択応答を待ち始めることになる（ステップ１１０８）。
【０２５１】
指令されると、ユーザは、選択されるスイッチモジュール１１０に行き、スイッチモジュール１１０で所望の入力を提供することになる。所望の入力は、スイッチ回路１１６のスイッチ、所望のキーパッド等を、所望の方法で又はある量の時間の間、押下することを含んでもよい。例えば、ロゴがキーパッドの特定のキー上に置かれてもよく、ユーザは、ロゴを有するキーを、５秒間押すように指令されることになる。被選択スイッチモジュール１１０は、スイッチ選択入力を受信し（ステップ１１１０）、スイッチ選択入力が受信されたことを示すメッセージをコミッショニングツール３６に返信することになる（ステップ１１１２）。スイッチモジュール１１０からコミッショニングツール３６に送信されるメッセージは、選択された特定のスイッチモジュール１１０のアイデンティティ又はアドレスを含むことになる。したがって、コミッショニングツール３６は、どのスイッチモジュール１１０が選択されたかを把握することになる。
【０２５２】
コミッショニングツール３６は、ユーザにフィードバックを提供する命令を被選択スイッチモジュール１１０に送信することになる（ステップ１１１４）。これに応じて、被選択スイッチモジュール１１０は、ユーザに選択フィードバックを提供することになる（ステップ１１１６）。選択フィードバックは、所望のスイッチモジュール１１０の選択が成功であったという視覚指示を提供するため、スイッチモジュール１１０に光源１１８のＬＥＤ１１８Ｌ（図２４）を点灯させる又はフラッシュさせることを含んでもよい。
【０２５３】
以下の議論において、構成モード、空モード、占有モード、制御グループ、及び占有グループという用語が使用される。これらの用語は、例示的なコミッショニング例を論じる前に述べられることになる特定の意味を有する。構成モードという用語は先に導入された。構成モードは、照明器具１０及びスイッチモジュール１１０が、通常のネットワーク動作中に送信される可能性がない特別なコマンドを受信するために置かれ得る状態を指す。構成モードにおいて受入れられることになるコマンドの例は、選択コマンド、グループ割り当て、調光／フルコマンド、及び占有設定割り当てである。
【０２５４】
一実施形態において、照明ネットワーク内のデバイスの全ては、制御グループ及び占有グループに関連付けられる。制御グループは、その制御グループ内の任意のスイッチモジュール１１０によって制御され得るデバイスの集合である。例えば、廊下であって、廊下の対向端に配置される６つの照明器具１０及び２つのスイッチモジュール１１０を有する、廊下は、双方のスイッチモジュール１１０が照明器具１０の６つ全てをターンオフできるか、ターンオンできるか、又は調光できるように同じ制御グループ内にある可能性があるであろう。制御グループは、少なくとも１つのスイッチモジュール１１０を含むとき、一般的に、空モードで稼働する。空モードは、照明器具１０が、スイッチモジュール１１０からのコマンドに応答して、長い期間にわたってオフであった後にターンオンし、２つの条件、すなわち、スイッチモジュール１１０からのコマンド又は占有タイムアウトに基づく非活動に応答してターンオフする場合である。占有タイムアウトは、照明器具１０が、ある期間後に、それらの関連する占有センサＳｏによって移動を全体として検出できないときに起こる。
【０２５５】
ある実施形態において、照明器具が、占有タイムアウトに応答してターンオフされた後に猶予期間が設定される。猶予期間中に占有が検出される場合、照明器具１０は、再びターンオンすることになる。猶予期間中に占有が検出されない場合、照明器具１０は、関連するスイッチモジュール１１０から適切なターンオンコマンドが受信されるまで、占有がたとえ検出されてもオフのままであることになる。
【０２５６】
制御グループは、スイッチモジュール１１０に関連付けられる必要はない。例えば、３つの照明器具１０を有し、スイッチモジュール１１０がないバスルームは、占有が検出されることに応答して３つの照明器具１０をターンオンさせ、占有がもはや検出されないとき、ある期間後にターンオフさせるように構成されてもよい。こうした動作モードは、上述した空モードと対照的に占有モードと称される。
【０２５７】
本質的に、制御グループは、照明器具１０がどのように制御されることになるかを決定する。占有グループは、一方では、占有事象を共有するデバイスの集合である。照明器具１０上の占有センサＳｏが占有を検出すると、照明器具１０は、その占有グループ内の他の照明器具１０に占有ステータス更新を送信することになる。占有事象を検出した照明器具１０並びに占有ステータス更新を受信した他の照明器具１０は、空モードにいるか、占有モードにいるかに応じて応答することになる。制御グループは、壁コントロールを含む一方、占有グループは、一般的に含まない。更に、占有グループ及び制御グループは、以下で更に詳細に述べるように重複してもよい。空モードで動作する器具は、占有グループ割り当てと制御グループ割り当てとの双方を有する。制御グループは、壁コントロールを必ず含むであろう。（壁コントロールがない状態で）占有モードで動作する器具は、占有グループ割り当てを必要とする。しかしながら、それらの器具の制御グループ割り当ては、使用されず／無視され、元のコミッショニング割り当てから不変であってもよい。占有モード器具は、通常、壁コントロールに応答するように構成されないが、所望される場合、そのように構成されてもよい。こうした場合、占有モード器具は、関連する壁コントロールと同じ制御グループ内にあるであろう。
【０２５８】
図５０Ａ及び５０Ｂを参照すると、１つ又は複数のスイッチモジュール１１０と１つ又は複数の照明器具１０とを含む制御グループを生成するための例示的なプロセスが図示されている。最初に、コミッショニングツール３６は、制御グループ内のスイッチモジュール１１０の各々についてスイッチモジュール選択を行うことになる。スイッチモジュール選択は、図４９に関連して先に詳細に述べられた。本質的に、第１のスイッチモジュール１１０は、スイッチモジュール選択プロセスを使用してコミッショニングツール３６を介して選択される（ステップ１２００）。第１のスイッチモジュール１１０が選択されると、コミッショニングツール３６は、選択フィードバックを提供するメッセージを被選択スイッチモジュール１１０に送信することになる（ステップ１２０２）。被選択スイッチモジュール１１０は、人間的に知覚可能な方式でＬＥＤ１１８Ｌをパルス駆動することによって応答してもよく、それにより、ユーザは、第１のスイッチモジュール１１０が選択されたという視覚フィードバックを有することになる（ステップ１２０４）。
【０２５９】
第１のスイッチモジュール１１０が選択されると、コミッショニングツール３６は、第１のスイッチモジュール１１０を選択解除するオプションをユーザに提供してもよい（ステップ１２０６）。選択解除されると、コミッショニングツール３６は、第１のスイッチモジュール１１０が選択解除されたという視覚フィードバックをユーザに提供するため、ＬＥＤ１１８Ｌをパルス駆動することを停止するよう第１のスイッチモジュール１１０に指令することになる（ステップは示されない）。現在の例について、第１のスイッチモジュール１１０が選択解除されていないと仮定する。
【０２６０】
第１のスイッチモジュール１１０が選択されると、コミッショニングツール３６は、別のスイッチモジュール１１０を提示する（ステップ１２０８）。制御グループに付加する更なるスイッチモジュール１１０を選択するため、上記プロセスは、それぞれの更なるスイッチモジュール１１０について繰り返される。選択されると、スイッチモジュール１１０は、スイッチグループに付加する更なるスイッチモジュール１１０が全く存在しないことをユーザが示すまで、そのＬＥＤ１１８Ｌをパルス駆動し続けることになる（ステップ１２０８）。一実施形態において、スイッチモジュール１１０は、グループ生成プロセスの残りの部分全体を通してそのＬＥＤシーケンスを継続することになる。あるいは、スイッチグループに付加する更なるスイッチモジュール１１０が全く存在しなくなると、コミッショニングツール３６は、被選択スイッチモジュール１１０に、それらの選択フィードバックを提供することを停止するメッセージを送信する（ステップ１２１０）。この例において、スイッチモジュール１１０は、それらのＬＥＤ１１８Ｌをパルス駆動することを停止する（ステップ１２１２）ことによって応答することになる。
【０２６１】
次に、コミッショニングツール３６は、照明器具選択を行うことになる。ユーザの制御下で、コミッショニングツール３６は、第１の照明器具１０の選択を行い（ステップ１２１４）、被選択照明器具１０に、その出力を規定されたレベルまで調光する命令を送信することになる（ステップ１２１６）。被選択照明器具１０は、選択されていることを示す視覚フィードバックを提供するため、その出力を規定されたレベルまで調光することになる（ステップ１２１８）。この実施形態又は本明細書で提供される他の実施形態のいずれかにおいて、個々の選択又はグループ選択のために提供される視覚フィードバックは、規定された光出力レベル、色、又は色温度に移行すること、並びに、ある回数で、あるレートで、又はその組合せでフラッシュすることを含んでもよい。
【０２６２】
コミッショニングツール３６はまた、被選択照明器具１０を選択解除するオプションを提供することになる（ステップ１２２０）。被選択照明器具１０が選択解除されると、コミッショニングツール３６は、照明器具１０のフル出力レベルに戻るように照明器具１０に指令することになる。この例について、被選択照明器具１０が選択解除されていないと仮定する。
【０２６３】
コミッショニングツール３６は、制御グループに付加する別の照明器具１０をユーザが選択したいのかを判定することになる（ステップ１２２２）。したがって、プロセスは、制御グループに付加されることになる各照明器具１０について繰り返される。照明器具１０の全てが制御グループについて選択されると（ステップ１２２２）、コミッショニングツール３６は、現在選択されているスイッチモジュール１１０及び照明器具１０に基づいて制御グループを決定することになる（ステップ１２２４）。各制御グループは、コミッショニングツール３６によって割り当てられる一意のグループ割り当て情報を有することになる。グループ割り当て情報は、被選択スイッチモジュール１１０及び照明器具１０に送信され（ステップ１２２６）、被選択スイッチモジュール１１０及び照明器具１０は、グループ割り当て情報を格納することになる（ステップ１２２８Ａ及び１２２８Ｂ）。
【０２６４】
この時点で、コミッショニングツール３６は、被選択スイッチモジュール１１０のオン状態に戻る命令を被選択スイッチモジュール１１０のために送信することになり（ステップ１２３２）、また、スイッチモジュール１１０は、オン状態に移行することになる（ステップ１２３０）。同様に、コミッショニングツール３６は、被選択照明器具１０の出力をフル出力レベルに設定する命令を被選択照明器具１０のために送信することになる（ステップ１２３４）。照明器具１０は、選択されることに関連する調光されたレベルからそのフル出力レベルに移行することによって応答することになる（ステップ１２３６）。
【０２６５】
新しい占有グループを生成することは、占有グループが関連するスイッチモジュール１１０を有していない場合があることを除いて、制御グループを生成することに類似する。以下の実施形態において、占有グループは、照明器具１０を、たとえこれらの照明器具１０が１つ又は複数のスイッチモジュール１１０を有する制御グループ内にあっても、含むことになるだけである。新しい占有グループを形成するための例示的なプロセスは、コミッショニングツール３６の視点から図５１に示される。
【０２６６】
最初に、コミッショニングツール３６は、先に述べたように、第１の照明器具１０のために照明器具選択を行うことになる（ステップ１３００）。コミッショニングツール３６は、規定された調光レベルまで調光するように被選択照明器具１０に指令することになる（ステップ１３０２）。コミッショニングツール３６は、その後、別の照明器具１０が選択されるべきであるかをユーザに尋ねることになる（ステップ１３０４）。別の照明器具１０が選択されるべきである場合、プロセスは、所望の各照明器具１０について繰り返される。所望の照明器具１０の全てが選択されると（ステップ１３０４）、コミッショニングツール３６は、被選択照明器具１０に基づいて占有グループを決定し（ステップ１３０６）、新しい占有グループについてグループ割り当て情報を生成することになる（ステップ１３０８）。コミッショニングツール３６は、グループ割り当て情報を被選択照明器具１０に送信し（ステップ１３１０）、照明器具１０のフル出力レベルに移行するように照明器具１０に指令することになる（ステップ１３１２）。最後に、コミッショニングツール３６は、新しい占有グループ内の照明器具１０にデフォルト占有設定を提供することになる（ステップ１３１４）。デフォルト占有設定は、占有センサＳｏに関連付けられる、種々の照明器具１０についての感度レベル、タイムアウト期間等に関連してもよい。この時点で、選択された照明器具１０は、グループ割り当て情報を有し、コミッショニングツール３６によって提供されたデフォルト占有設定に従って動作し始めることになる。したがって、照明器具１０は、同じ占有グループ内の他の照明器具１０から受信される占有更新に応答してもよい。
【０２６７】
図５２のフローチャートを参照すると、２つ以上の制御グループを単一の制御グループに統合するプロセスが、本開示の一実施形態に従って述べられる。制御グループの統合は、元の制御グループからの照明器具１０の全てが、元の制御グループからのスイッチモジュール１１０のうちのいずれかから制御されることを可能にすることになる。
【０２６８】
最初に、コミッショニングツール３６は、ユーザが、１つ又は複数の他の制御グループと統合したいと思う第１の制御グループのスイッチモジュール１１０についてスイッチモジュール選択を行うことになる（ステップ１４００）。スイッチモジュール選択プロセスは、図４８に関連して述べたプロセスと同じである。コミッショニングツール３６は、その後、被選択スイッチモジュール１１０を含む制御グループを識別し（ステップ１４０２）、所望のレベルまで調光するよう、被選択制御グループ内にある照明器具１０に指令することになる（ステップ１４０４）。被選択制御グループの照明器具１０を調光させることは、制御グループが選択されたという視覚フィードバックをユーザに提供し、被選択制御グループ内にある照明器具１０を明確に識別する。
【０２６９】
第１の制御グループが選択されると、コミッショニングツール３６は、第１の制御グループと統合するため別の制御グループを選択する機会をユーザに提示する（ステップ１４０６）。このプロセスは、任意の数の制御グループについて繰り返され得る。統合される必要がある制御グループの全てが選択されると、コミッショニングツール３６は、被選択制御グループ内のデバイスの全てから新しい制御グループを決定し（ステップ１４０８）、新しい制御グループについてグループ割り当て情報を生成することになる（ステップ１４１０）。コミッショニングツール３６は、その後、新しい制御グループについてのグループ割り当て情報を、影響を受けるスイッチモジュール１１０及び照明器具１０に送信することになる（ステップ１４１２）。次に、コミッショニングツール３６は、影響を受けるスイッチモジュール１１０に、オン状態に移行するように指令し（ステップ１４１４）、また、影響を受ける照明器具１０に、フル出力レベルに移行するよう指令して（ステップ１４１６）、被選択制御グループが単一の制御グループに統合されたという視覚フィードバックを提供することになる。
【０２７０】
図５３のフローチャートを参照すると、２つ以上の占有グループを単一の占有グループに統合するプロセスが一実施形態に従って述べられる。占有グループの統合は、元の占有グループからの照明器具１０の全てが、占有事象を共有しそれに応答することを可能にすることになる。
【０２７１】
最初に、コミッショニングツール３６は、ユーザが、１つ又は複数の他の占有グループと統合したいと思う第１の占有グループの照明器具１０について照明器具選択を行うことになる（ステップ１５００）。照明器具選択は、図４９に関連して述べたプロセスと同じである。コミッショニングツール３６は、その後、被選択照明器具１０を含む占有グループを識別し（ステップ１５０２）、所望のレベルまで調光するように、被選択占有グループ内にある照明器具１０に指令することになる（ステップ１５０４）。被選択制御グループの照明器具１０を調光させることは、被選択占有グループが選択されたという視覚フィードバックをユーザに提供し、被選択制御グループ内にある照明器具１０を明確に識別する。
【０２７２】
第１の占有グループが選択されると、コミッショニングツール３６は、第１の占有グループと統合するため別の占有グループを選択する機会をユーザに提示する（ステップ１５０６）。このプロセスは、任意の数の占有グループについて繰り返され得る。統合される必要がある占有グループの全てが選択されると、コミッショニングツール３６は、被選択占有グループ内の照明器具１０の全てから新しい占有グループを決定し（ステップ１５０８）、新しい占有グループについてグループ割り当て情報を生成することになる（ステップ１５１０）。コミッショニングツール３６は、その後、新しい占有グループについてのグループ割り当て情報を、影響を受ける照明器具１０に送信することになる（ステップ１５１２）。次に、コミッショニングツール３６は、フル出力レベルに移行するように、影響を受ける照明器具１０に指令して（ステップ１５１４）、被選択占有グループが単一の新しい占有グループに統合されたという視覚フィードバックを提供することになる。最後に、コミッショニングツール３６は、デフォルト占有設定を、占有グループ内の各照明器具１０に送信することになる（ステップ１５１６）。
【０２７３】
ここで図５４Ａ及び５４Ｂを見ると、既存の制御グループに照明器具１０又はスイッチモジュール１１０を付加するためのプロセスが一実施形態に従って述べられる。最初に、ユーザは、上述したように、コミッショニングツール３６上で適切なモードを選択して、この機能を達成し、コミッショニングツール３６を使用して、スイッチモジュール選択を行うことになる（ステップ１６００）。具体的には、ユーザは、例えば照明器具１０、スイッチモジュール１１０、又は他のネットワークデバイス等の他のデバイスが付加されることになる制御グループの一部であるスイッチモジュール１１０を選択することになる。選択されると、コミッショニングツール３６は、被選択スイッチモジュール１１０のＬＥＤ１１８Ｌを目に見えるように点滅させるよう、被選択スイッチモジュール１１０に指令し得る。
【０２７４】
コミッショニングツール３６は、被選択スイッチモジュール１１０に関連する制御グループを識別し（ステップ１６０２）、所望のレベルまで調光するよう、被選択制御グループ内の照明器具１０に指令することになる（ステップ１６０４）。ユーザ入力に基づいて、コミッショニングツール３６は、ユーザが被選択制御グループに照明器具１０又はスイッチモジュール１１０を付加することを要望するのかを判定することになる（ステップ１６０６）。照明器具１０が、被選択制御グループに付加するために選択される場合、コミッショニングツール３６は、被選択制御グループに付加される照明器具１０について照明器具選択を行うことになる（ステップ１６０８）。選択されると、コミッショニングツール３６は、所望のレベルまで調光するよう、被選択照明器具１０に指令してもよい（ステップ１６１０）。次に、コミッショニングツール３６は、別のデバイスを被選択制御グループに付加する必要性が存在するのかを判定するためユーザに尋ねることになる（ステップ１６１２）。別のデバイスを被選択制御グループに付加する要望が存在する場合、プロセスはステップ１６０６に戻る。
【０２７５】
ユーザがスイッチモジュール１１０を付加することを要望する場合（ステップ１６０６）、コミッショニングツール３６は、被選択制御グループに付加される特定のスイッチモジュール１１０についてスイッチモジュール選択を行うことになる（ステップ１６１４）。選択されると、コミッショニングツール３６は、新しく選択されたスイッチモジュール１１０のＬＥＤ１１８Ｌを目に見えるように点滅させるよう、新しく選択されたスイッチモジュール１１０に指令してもよい（ステップ１６１６）。やはり、コミッショニングツール３６は、更に別のデバイスを付加する機会をユーザに提示することになる（ステップ１６１２）。このプロセスは、被選択制御グループに付加される必要がある全てのデバイスが選択されるまで繰り返される。
【０２７６】
被選択制御グループに付加されるデバイスの全てが選択されると、コミッショニングツール３６は、被選択照明器具１０及びスイッチモジュール１１０を被選択制御グループに付加することによって新しい制御グループを決定することになる（ステップ１６１８）。コミッショニングツール３６は、新しい制御グループについてのグループ割り当て情報を生成し（ステップ１６２０）、グループ割り当て情報を、新しい制御グループの照明器具１０及びスイッチモジュール１１０に送信することになる（ステップ１６２２）。特に、グループ割り当て情報は、最初に選択された制御グループ内にあった照明器具１０及びスイッチモジュール１１０の全て、並びに、被選択制御グループに付加されるために選択された照明器具１０及びスイッチモジュール１１０に送信される。コミッショニングツール３６は、その後、照明器具１０に、フル出力レベルに移行するように指令し（ステップ１６２４）、スイッチモジュール１１０に、オン状態に移行するように指令してもよい（ステップ１６２６）。
【０２７７】
ここで図５５Ａ及び５５Ｂを見ると、既存の占有グループに照明器具１０を付加するためのプロセスが一実施形態に従って述べられる。最初に、ユーザは、上述したように、コミッショニングツール３６上で適切なモードを選択して、この機能を達成し、コミッショニングツール３６を使用して、照明器具選択を行うことになる（ステップ１７００）。具体的には、ユーザは、他の照明器具１０が付加されることになる占有グループの一部である照明器具１０を選択することになる。
【０２７８】
コミッショニングツール３６は、被選択照明器具１０に関連する占有グループを識別し（ステップ１７０２）、所望のレベルまで調光するよう、被選択占有グループ内の照明器具１０に指令することになる（ステップ１７０４）。次に、被選択占有グループに付加される照明器具１０について照明器具選択を行うことになる（ステップ１７０６）。選択されると、コミッショニングツール３６は、所望のレベルまで調光するよう、被選択照明器具１０に指令してもよい（ステップ１７０８）。次に、コミッショニングツール３６は、別の照明器具１０を被選択占有グループに付加する必要性が存在するのかを判定するためにユーザに尋ねることになる（ステップ１７１０）。別のデバイスを被選択占有グループに付加する要望が存在する場合、プロセスはステップ１７０６に戻る。このプロセスは、被選択占有グループに付加される必要がある全ての照明器具１０が選択されるまで繰り返される。
【０２７９】
被選択占有グループに付加される照明器具１０の全てが選択されると、コミッショニングツール３６は、被選択照明器具１０を被選択占有グループに付加することによって新しい占有グループを決定することになる（ステップ１７１２）。コミッショニングツール３６は、新しい占有グループについてのグループ割り当て情報を生成し（ステップ１７１４）、グループ割り当て情報を、新しい占有グループの照明器具１０に送信することになる（ステップ１７１６）。特に、グループ割り当て情報は、選択された占有グループ内にあった照明器具１０の全て、並びに、最初に選択された占有グループに付加されるために選択された照明器具１０に送信される。コミッショニングツール３６は、その後、フル出力レベルに移行するよう、照明器具１０に指令してもよい（ステップ１７１８）。
【０２８０】
図５６を参照すると、本開示の一実施形態に従って占有グループ内で占有設定を変更するためのプロセスが図示される。最初に、コミッショニングツール３６は、占有設定が変更される必要がある占有グループ内の照明器具１０について照明器具選択を行うことになる（ステップ１８００）。照明器具１０が選択されると、コミッショニングツール３６は、被選択照明器具１０に関連する占有グループを識別し（ステップ１８０２）、所望のレベルまで調光するよう、被選択占有グループ内の照明器具１０に指令することになる（ステップ１８０４）。
【０２８１】
コミッショニングツール３６はまた、被選択占有グループから現在の占有設定を要求することになる（ステップ１８０６）。これは、被選択占有グループ内の照明器具１０の１つか、幾つかか、又は全てから現在の占有設定を取得することによって達成され得る。要求に応答して、コミッショニングツール３６は、被選択占有グループから現在の占有設定を受信することになる（ステップ１８０８）。
【０２８２】
コミッショニングツール３６によって提供されるユーザインタフェースを通して、現在の占有設定は、ユーザに提示されることになる（ステップ１８１０）。ユーザは、現在の占有設定を検討し変更できることになる。コミッショニングツール３６は、現在の占有設定に対する変更を受信し（ステップ１８１２）、これらの変更に基づいて新しい占有設定を決定することになる（ステップ１８１４）。コミッショニングツール３６は、その後、新しい占有設定を占有グループに送信することになる（ステップ１８１６）。最後に、コミッショニングツール３６は、占有グループ内の照明器具１０に、フル出力レベルに移行するよう指令することになる（ステップ１８１８）。
【０２８３】
先に示したように、同じ又は同様なプロセスが使用されて、照明器具１０の規定されたグループのために使用される任意の型の動作設定を変更してもよい。占有設定に加えて、コミッショニングツール３６が使用されて、照明器具のグループが、周囲光レベル、関連するスイッチモジュール１１０からの入力、関連する照明器具１０からの入力等をどのように扱いそれに反応するかを決定する設定を提供してもよい。コミッショニングツール３６が使用されて、通常動作中、又は、関連する照明器具１０又はスイッチモジュール１１０からの種々の入力に応答して、所定のグループについての強度、調光レベル、色温度、色、照明スケジュール（すなわち、異なる照明シーン又は光レベルについての規定された期間）等を決定する設定を提供してもよい。コミッショニングツール３６はまた、個々の照明器具１０又は照明器具１０のグループについてリアルタイムにこれらのパラメータのうちの任意のパラメータを調整する単純なリモートコントロールとして動作してもよい。例えば、コミッショニングツール３６が使用されて、１つ又は複数の被選択照明器具１０あるいはその被選択照明器具１０のグループについて色温度、色、出力レベル、オン／オフ状態等を直接変更してもよい。
【０２８４】
図５７を参照すると、本開示の一実施形態に従って占有グループをグループ化解除するためのプロセスが図示される。占有グループをグループ化解除することは、占有の観点から、効果的に、占有グループ内の照明器具１０の各々を別の照明器具から分離し、独立に動作させることになる。占有グループをグループ化解除することは、制御グループに影響を与えないことになる。更に、制御グループ内のデバイスをグループ化解除するためのプロセスは、同様な方式で行われることになる。
【０２８５】
最初に、コミッショニングツール３６は、グループ化解除される占有グループ内の照明器具１０について照明器具選択を行うことになる（ステップ１９００）。照明器具１０が選択されると、コミッショニングツール３６は、被選択照明器具１０に関連する占有グループを識別し（ステップ１９０２）、所望のレベルまで調光するよう、被選択占有グループ内の照明器具１０に指令することになる（ステップ１９０４）。
【０２８６】
この時点で、コミッショニングツール３６は、本質的に、一意の占有グループを、被選択占有グループ内の各照明器具１０に提供する必要がある。したがって、コミッショニングツール３６は、被選択占有グループ内の各照明器具１０について一意のグループを決定し（ステップ１９０６）、被選択占有グループ内の各照明器具１０又はグループについて一意のグループ割り当て情報を生成することになる（ステップ１９０８）。コミッショニングツール３６は、その後、グループ割り当て情報を、先の占有グループ内の各照明器具に送信し（ステップ１９１０）、先の占有グループ内の照明器具にフル出力レベルに移行するよう指令することになる（ステップ１９１２）。
【０２８７】
先のシナリオのうちの任意のシナリオにおいて、特定の照明器具１０、スイッチモジュール１１０、制御グループ、又は占有グループは、選択プロセス中に容易に取り消され得る。これらのデバイス又はグループのうちの１つが選択されると、コミッショニングツール３６は、ユーザが誤った選択をしたか又は気持ちが変わった場合にたった今選択されたデバイス又はグループを選択解除するオプションをユーザに提供し得る。選択解除される場合、選択解除される照明器具１０又は照明器具１０のグループは、調光された状態からフル出力レベルに戻るように指令されることになり、選択解除されるスイッチモジュール１１０又はスイッチモジュール１１０のグループは、コミッショニングツール３６によってオン状態に戻るように指令されることになる。
［デバイスを置換するか又は付加すること］
以下の議論は、例えば照明ネットワーク内の照明器具１０又はスイッチモジュール１１０等のデバイスを置換するための、又は、既存の照明ネットワークにデバイスを付加するための例示的なプロセスに関する。照明ネットワーク内のデバイスを置換又は付加するためのプロセスは非常に類似する。最初の数ステップが、照明ネットワーク内のデバイスを置換するために必要とされる。これらの最初の数ステップ後、プロセスは、本質的に同じである。
【０２８８】
最初に、コミッショニングツール３６は、照明ネットワーク内にあるデバイスの全てを識別するテーブルを有することになる。デバイスのうちの１つのデバイス及び照明ネットワークを置換するため、コミッショニングツール３６は、デバイスが要求を聞く場合に、照明ネットワーク内の全てのデバイスが応答するための要求を送出することになる。コミッショニングツール３６は、応答するデバイスをテーブル内のデバイスのリストと比較することによって応答しないデバイスの全てを識別することになる。コミッショニングツール３６は、これらの応答しないデバイスにリセットコマンドを送信し、おそらく、応答しないデバイスをテーブルから除外することになる。この時点で、照明ネットワークにデバイスを付加するためのプロセス、及び、照明ネットワーク内のデバイスを置換するためのプロセスは、同じである。次に、コミッショニングツール３６は、上述したように、照明ネットワーク内のデバイスの全てに構成モードに入るよう指令することになる。
【０２８９】
照明ネットワーク内のデバイスが異なるＲＦ通信チャネルを通じて通信し得るため、コミッショニングツール３６は、新しいデバイスについて全てのチャネルを検索し、これらの新しいデバイスをネットワークに引き入れることになる。このプロセス中に、照明ネットワーク内の種々のデバイスは、ネットワークを通じてメッセージを提供してもよく、また、コミッショニングツール３６は、これらのメッセージを検出してもよい。このプロセス中に、短いアドレスが、コミッショニングツール３６によって種々のデバイスに割り当てられる場合があり、また、コミッショニングツール３６は、通信のために使用する所望のＲＦ通信チャネルを、照明ネットワークの新しいデバイス及び既存のデバイスのために識別してもよい。
【０２９０】
コミッショニングツール３６は、新しく発見された任意のデバイスを含むようにそのテーブルを更新することになる。新しいデバイスが全く発見されなかった場合、プロセスは終了する。スイッチモジュール１１０だけが発見される場合、次の数ステップは、主に照明器具１０に関連するためスキップされる。
【０２９１】
新しい照明器具１０が検出された場合、コミッショニングツール３６は、周囲光センサＳＡのために較正ルーチンを実行するよう、新しく検出された照明器具１０とすでに存在する照明器具１０との双方を含む照明器具１０の全てに指令することになる。先に詳細に述べたように、このプロセスは、照明ネットワーク内の照明器具１０の全てを同時にターンオフする（又は、所望の調光レベルにする）こと、照明器具がオフである間に周囲光測定値を採取すること、ターンオンする（又は、別の所望の調光レベルにする）こと、及び照明器具が全てオンである間に別の周囲光測定値を採取することを含み得る。各照明器具１０は、これらの周囲光測定値間の差を使用し、それ自体を較正して、それ自体、その同等物、及び照明器具１０以外の供給源によって提供されるおそらくは任意の周囲光からの光寄与に基づいて所望の光出力を提供することになる。
【０２９２】
次に、コミッショニングツール３６は、投光プロセスを開始して、新しい照明器具１０を、互いと、又は、既に照明ネットワークの一部であったデバイスのグループと、グループ化することを促進することになる。それぞれの新しい照明器具１０の場合、コミッショニングツール３６は、投光器として投光を開始するよう新しい照明器具１０に指令することになり、照明器具１０は、その光出力を調節することになる。他の照明器具１０の場合、コミッショニングツール３６は、投光信号を待ち、ひいては、投光器として動作するよう、他の照明器具１０に指令することになる。投光器は、投光信号の相対的強度をモニターし、コミッショニングツール３６に折返し報告することなる。したがって、それぞれの新しい照明器具１０は、投光信号を提供するのを交替で行うことになり、投光信号は、照明ネットワークにおける照明器具１０の残りによってモニターされ、コミッショニングツール３６に折返し報告される。
【０２９３】
コミッショニングツール３６は、投光器から折返し報告される投光情報を次のように処理してもよい。最初に、コミッショニングツール３６は、第１の新しく加わった照明器具１０を採取し、他の新しく加わった照明器具１０の全てとのリンク強度を見る。コミッショニングツール３６は、第１の新しく加わった照明器具１０及び第１の新しく加わった照明器具１０と十分に強いリンクを有する他の新しく加わった照明器具１０を含むグループを一時的に生成する。一例として、新しく加わった照明器具１０が照明器具Ａ、Ｂ、Ｃ、Ｄ、及びＥを含むと仮定する。第１の新しく加わった照明器具Ａが、照明器具Ｂ又はＥとではないが、他の新しく加わった照明器具Ｃ及びＤと高いリンク強度を有する場合、照明器具Ａ、Ｃ、及びＤを含む一時的なグループが生成され、コミッショニングツール３６に格納される。
【０２９４】
次に、コミッショニングツール３６は、一時的なグループ内にある他の新しく加わった照明器具Ｃ及びＤが、一時的なグループ内にない新しく加わった照明器具Ｂ及びＥに関して有するリンク強度を分析することになる。一時的なグループ内の任意の他の新しく加わった照明器具と十分に強いリンク強度を有する新しく加わった照明器具Ｂ及びＥの任意の照明器具は、一時的なグループに付加される。例えば、照明器具Ｅが照明器具Ｄと十分に高いリンクを有する場合、照明器具Ｅが一時的なグループに付加されることになる。これは、照明器具Ｅが、一時的なグループの他の照明器具Ａ及びＣと十分に高いリンク強度を持たない場合でも起こる。照明器具Ｂが照明器具Ａ、Ｃ、Ｄ、又はＥの任意の照明器具と十分に高いリンク強度を持たないと仮定すると、一時的なグループは照明器具Ａ、Ｃ、Ｄ、又はＥを含むことになる。照明器具Ｂは、それ自体の一意の一時的なグループに割り当てられてもよい。
【０２９５】
それぞれの一時的なグループについて、一時的なグループ内の照明器具１０のそれぞれと、既に照明ネットワークの一部であった元の照明器具１０のそれぞれとの間のリンク強度が分析される。新しく加わった照明器具１０の任意の照明器具と元の照明器具１０との間の最も強いリンクが識別され、リンクが十分に強い場合、一時的なグループ内の照明器具１０の全てが、一時的なグループに対して最も強いリンクによって関連付けられる元の照明器具１０が属するグループに統合される。
【０２９６】
例えば、一時的なグループ（Ａ、Ｃ、Ｄ、及びＥ）の照明器具Ａと、照明器具Ｇ及びＨを有するグループに属する元の照明器具Ｆとの間に強いリンク強度が存在すると仮定する。コミッショニングツール３６は、一時的なグループの照明器具（Ａ、Ｃ、Ｄ、及びＥ）を、照明器具Ｆと同じ占有及び制御グループに付加して、照明器具Ａ、Ｃ、Ｄ、Ｅ、Ｆ、Ｇ、及びＨを含む新しいグループを生成することになる。コミッショニングツール３６が、一時的なグループの任意の照明器具１０と元の照明器具１０との間に十分に強いリンク強度を見出さない場合、一時的なグループの照明器具は、新しい永久的なグループに割り当てられる。
【０２９７】
ネットワーク内のデバイスの全てについて、コミッショニングツール３６は、デバイスが、空モードで動作するべきか、占有モードで動作するべきかを判定することになる。その理由は、デバイスの付加が元のデバイスのモードに影響を及ぼす場合があり、新しく加わったデバイスがモード割り当てを必要とすることになるためである。コミッショニングツール３６は、その後、照明ネットワーク内の新しく加わったデバイス及び元のデバイスにグループ化（制御グループ又は占有グループ）割り当て及びモード（空、占有等）割り当てを送出することになる。
【０２９８】
コミッショニングツール３６は、新しいデバイスが付加された全てのグループを識別することになる。こうしたグループの場合、コミッショニングツール３６は、グループの元のデバイスの占有設定を要求し、これらの占有設定を、グループにデバイスを付加するために上述したプロセスにおいて行われる方法と同様の方法で、新しく付加されるデバイスに提供することになる。新しく付加されるデバイスで全体が構成される任意のグループについて、コミッショニングツール３６は、新しいグループを生成するため上述したプロセスにおいて行われる方法と同様の方法で、これらのデバイスにデフォルト占有設定を送信することになる。
【０２９９】
コミッショニングツール３６はまた、任意の他のデバイスとグループ化されない照明器具１０等の少なくとも１つの照明器具１０とグループ化されない、又は、他のスイッチモジュール１１０とグループ化されるだけである任意のスイッチモジュール１１０を識別することになる。こうしたスイッチモジュール１１０の場合、コミッショニングツール３６は、ユーザに対してこれらのスイッチモジュール１１０を識別し、新しいグループを手動で生成し、既存のグループを統合し、デバイスをグループに付加すること等を行うことによって、状況に対処するようユーザに指令することになる。終了すると、コミッショニングツール３６は、通常モードに戻るよう、照明ネットワークのデバイスに指令することになる。
［状態図］
図５８の状態図は、例示的な照明器具１０が占有モードと空モードとの双方でどのように動作することになるかを図示している。図示されるように、円形ボックスで提供され、１から７で番号付けられる７つの状態が存在する。これらの状態は、状態１−「Ｏｆｆ」、状態２−「Ｏｎ−Ａｃｔｉｖｅ」、状態３−「Ｏｎ−Ｉｎａｃｔｉｖｅ」、状態４−「Ｐｏｓｔ−Ｏｃｃ」、状態５−「Ｐｏｓｔ−Ｏｃｃ  Ｔｉｍｅｏｕｔ」、状態６−「Ｐｏｓｔ−Ｏｃｃ  Ｃｏｍｐｌｅｔｅ」、及び状態７−「ＷＣ  Ｏｆｆ」を含む。頭字語ＷＣは、「壁コントローラ」を表し、調光器コントロールが有る又は無い状態の任意の型のスイッチモジュール１１０であり得る。全ての状態が空モードのために使用される。ある実施形態において、Ｏｆｆ、Ｏｎ−Ａｃｔｉｖｅ、及びＯｎ−Ｉｎａｃｔｉｖｅ状態だけが、占有モードのために使用される。
【０３００】
一般的に、Ｏｆｆ状態は、照明器具１０が、ターンオフされた、又は、（占有）活動が全く存在しない期間を検出した後に所定の光レベルに移行した状態である。Ｏｎ−Ａｃｔｉｖｅ状態は、照明器具１０が、それ自体の占有センサＳＡによって活動を検知している状態である。Ｏｎ−Ｉｎａｃｔｉｖｅ状態は、グループの別のメンバーが活動を検知している状態である。空モードにおいて、ＰｏｓｔＯｃｃ（占有後）状態は、グループメンバーの全てが活動を検知することを停止した後に一般的に起こる猶予期間である。ＰｏｓｔＯｃｃ  Ｔｉｍｅｏｕｔ状態は、ＰｏｓｔＯｃｃ状態によって提供される猶予期間が経過した後に起こる状態である。ＰｏｓｔＯｃｃ  Ｔｉｍｅｏｕｔ状態は、一時的であり、ＰｏｓｔＯｃｃ  Ｃｏｍｐｌｅｔｅ状態に自動的に移行し、ＰｏｓｔＯｃｃ  Ｃｏｍｐｌｅｔｅ状態はまた、一時的であり、Ｏｆｆ状態を折返しもたらす。ＷＣ  Ｏｆｆ状態は、スイッチモジュール１１０がグループの照明器具１０をターンオフした一時的な状態である。照明器具１０は、ＷＣ  Ｏｆｆ状態からＯｆｆ状態に自動的に移行することになる。これらの状態及び状態間の移行についての更なる詳細は以下で提供される。
【０３０１】
一般的に、各照明器具１０は、３つの占有フィールド、すなわち、ＳｅｌｆＯｃｃ、ＭｅｍｂｅｒＯｃｃ、及びＧｒｏｕｐＯｃｃをモニターし、それらを更新することになる。照明器具１０は、それ自体の占有センサの測定値に基づいてＳｅｌｆＯｃｃフィールドを更新することになる。照明器具１０は、空モードで動作するとき同じ制御グループ内の、又は、占有モードで動作するとき同じ占有グループ内の他の照明器具１０から受信される情報に基づいてＭｅｍｂｅｒＯｃｃフィールドを更新することになる。照明器具１０は、ＳｅｌｆＯｃｃフィールドとＭｅｍｂｅｒＯｃｃフィールドとの論理ＯＲを提供することによってＧｒｏｕｐＯｃｃフィールドを更新することになる。
【０３０２】
照明器具１０は、互いにメッセージを送信して、占有関連情報を共有する。あるメッセージは、状態移行によって送信される。他のメッセージは、ＷＣ  ＯｆｆからＯｆｆに変化するときを除いて、周期的に並びに状態変化に基づいて送信される。メッセージは、一般的に、ブロードキャストされ、送り手のアドレス、グループＩＤ、それ自体又はグループの（占有）活動ステータス、現在の状態、及び過去の状態を含む種々のフィールドを含み得る。グループＩＤは、メッセージが、照明器具１０が存在するグループのために意図されるか否かを、メッセージを受信する任意の照明器具１０が判定することを可能にする。活動ステータスは、メッセージを送信する照明器具１０が活動を検知しているか否か、又は、グループの任意の他のメンバーが活動を検知しているという指示が存在するのかを示す。現在状態は、状態図内の現在状態を示し、過去状態は、最後のメッセージ又は最後のメッセージのセット以来の状態図内の過去状態を示す。
【０３０３】
最近状態変化が存在する場合、現在状態フィールド及び過去状態フィールドは異なることになる。最近状態変化が存在しなかった場合、現在状態フィールド及び過去状態フィールドは同じであることになる。したがって、メッセージを受信する照明器具１０は、現在状態フィールド及び過去状態フィールドが、入ってくるメッセージについて異なるのかを判定することに基づいて最近状態変化が存在したか否かを判定することができる。
【０３０４】
活動ステータスに基づいて、メッセージを受信する照明器具１０は、そのメンバーのうちの１つが活動を検知しているのかを判定できる、又は、別のメンバーが活動を検知していると信頼する。そのメンバーのうちの１つが活動を検知していると照明器具１０が判定する場合、照明器具１０は、ＭｅｍｂｅｒＯｃｃフィールドを真として設定することになる、また、その逆も同様である。照明器具１０が、それ自体の占有センサによって活動を検知している場合、照明器具１０は、ＳｅｌｆＯｃｃフィールドを真に設定することになる、また、その逆も同様である。照明器具１０は、ＳｅｌｆＯｃｃフィールドとＭｅｍｂｅｒＯｃｃフィールドとの論理ＯＲを提供することに基づいてＧｒｏｕｐＯｃｃフィールドを設定することになる。
【０３０５】
図５８の状態図において、状態は、ＳｅｌｆＯｃｃフィールド、ＭｅｍｂｅｒＯｃｃフィールド、及びＧｒｏｕｐＯｃｃフィールド、並びに光フィールドの値を識別することになる。光フィールドは、照明器具１０によって提供される光レベルを種々の状態で示す。光レベルは、３つのレベル、すなわち、占有されたレベル（ＯｃｃＬｅｖｅｌ）、未占有レベル（ＵｎＯｃｃ  Ｌｅｖｅｌ）、及びＯｆｆのうちの１つを取り得る。占有されたレベルは、完全にオンであり得る、又は、任意の所望の調光レベルであり得る。未占有レベルは、完全にオフであり得る、又は、占有されたレベルより小さい任意の所望の調光レベルであり得る。Ｏｆｆ状態の光レベルは未占有レベルの光レベルである。Ｏｎ−Ａｃｔｉｖｅ状態及びＯｎ−Ｉｎａｃｔｉｖｅ状態についての光レベルは占有されたレベルにある。Ｐｏｓｔ−Ｏｃｃ状態、Ｐｏｓｔ−Ｏｃｃ  Ｔｉｍｅｏｕｔ状態、Ｐｏｓｔ−Ｏｃｃ状態についての光レベルは未占有レベルにある。ＷＣ  Ｏｆｆ状態についての光レベルはオフである。Ｏｎ−Ａｃｔｉｖｅモード又はＯｎ−Ｉｎａｃｔｉｖｅモードにある間に、空モード内のデバイスはまた、ｄｉｍ  ｕｐ／ｄｏｗｎコマンドに応答し、その光レベルを相応して設定することになる。
【０３０６】
以下の議論は、最初に、照明器具１０が占有モードで動作するときの照明器具１０を述べることになる。空モード動作の議論は、占有モードの議論に続くことになる。占有モードにおいて、特定のグループ内にある照明器具１０の全ては、グループのいずれか１つのメンバーが活動を検知するとターンオンすることになる。メンバーのどれもが活動を検知しない場合、グループ内にある照明器具１０の全てがターンオフすることになる。
【０３０７】
照明器具１０が占有モードで動作しており、Ｏｆｆ状態にあると仮定する。特に、占有モード動作は、Ｏｆｆ状態、Ｏｎ−Ａｃｔｉｖｅ状態、及びＯｎ−Ｉｎａｃｔｉｖｅ状態を使用するだけである。Ｏｆｆ状態において、照明器具１０は、光を未占有レベルで提供し、ＳｅｌｆＯｃｃフィールド、ＭｅｍｂｅｒＯｃｃフィールド、及びＧｒｏｕｐＯｃｃフィールドは全て偽である。Ｏｆｆ状態から、照明器具１０は、Ｏｎ−Ａｃｔｉｖｅ状態及びＯｎ−Ｉｎａｃｔｉｖｅ状態に移行し得る。長方形ボックスは、状態変化をトリガーするために必要とされる情報又は活動を識別する。
【０３０８】
照明器具１０は、ＳｅｌｆＯｃｃフィールドが真であると判定することに応答してＯｆｆ状態からＯｎ−Ａｃｔｉｖｅ状態に移行することになる。照明レベルは占有されたレベルに設定されることになる。述べたように、ＳｅｌｆＯｃｃフィールドは、照明器具１０がそれ自体の占有センサＳＡによって活動を検知すると真に設定される。特に、照明器具１０は、占有タイマを含むことになり、占有タイマは、照明器具１０がその占有センサＳＡによって活動を検知するときはいつでもリセットされる。占有タイマが、活動を検知しないためタイムアウトする場合、ＳｅｌｆＯｃｃフィールドは偽に設定される。
【０３０９】
Ｏｎ−Ａｃｔｉｖｅ状態に達すると、照明器具１０は、状態変化を示すメッセージを送出することになる。この例において、現在の状態フィールドはＯｎ−Ａｃｔｉｖｅ状態で満たされ、直前の状態フィールドはＯｆｆ状態で満たされる。更に、照明器具１０は、ＳｅｌｆＯｃｃフィールドが今や真であるため、ＧｒｏｕｐＯｃｃフィールドを真に変更することになる。Ｏｎ−Ａｃｔｉｖｅ状態にある間に、照明器具１０は、ＧｒｏｕｐＯｃｃフィールドが偽になる場合、Ｏｆｆ状態に戻るように移行できる。ＧｒｏｕｐＯｃｃフィールドは、ＭｅｍｂｅｒＯｃｃフィールドが同様に偽であるときにＳｅｌｆＯｃｃフィールドが偽になる場合、偽になることになる。Ｏｆｆ状態に戻るように移行することは、光レベルを未占有レベルに変更するよう照明器具１０をトリガーすることになる。更新メッセージは、グループのメンバーにブロードキャストされることになる。
【０３１０】
照明器具１０は、ＭｅｍｂｅｒＯｃｃフィールドが真であると判定することに応答して、Ｏｆｆ状態からＯｎ−Ｉｎａｃｔｉｖｅ状態に移行することになる。照明レベルは占有されたレベルに設定されることになる。述べたように、ＭｅｍｂｅｒＯｃｃフィールドは、照明器具１０が、そのグループメンバーのうちの１つが活動を検知することを示すメッセージを受信すると真に設定される。Ｏｎ−Ｉｎａｃｔｉｖｅ状態に達すると、照明器具１０は、状態変化を示すメッセージを送出することになる。この例において、現在の状態フィールドは、Ｏｎ−Ａｃｔｉｖｅ状態で満たされ、直前の状態フィールドはＯｆｆ状態で満たされる。更に、照明器具１０は、ＭｅｍｂｅｒＯｃｃフィールドが今や真であるため、ＧｒｏｕｐＯｃｃフィールドを真に変更することになる。Ｏｎ−Ｉｎａｃｔｉｖｅ状態にある間に、照明器具１０は、ＧｒｏｕｐＯｃｃフィールドが偽になる場合、Ｏｆｆ状態に戻るように移行できる。ＧｒｏｕｐＯｃｃフィールドは、ＳｅｌｆＯｃｃフィールドが同様に偽であるときにＭｅｍｂｅｒＯｃｃフィールドが偽になる場合、偽になることになる。Ｏｆｆ状態に戻るように移行することは、光レベルを未占有レベルに変更するよう照明器具１０をトリガーすることになる。更新メッセージは、グループのメンバーにブロードキャストされることになる。
【０３１１】
照明器具１０は、ＳｅｌｆＯｃｃフィールドが偽になり、かつ、ＭｅｍｂｅｒＯｃｃフィールドが真になる場合、Ｏｎ−Ａｃｔｉｖｅ状態からＯｎ−Ｉｎａｃｔｉｖｅ状態に移行することになる。これは、照明器具１０が占有活動をもはや検知しないが、そのグループメンバーの１つが占有活動を検知することを意味する。照明器具１０は、ＳｅｌｆＯｃｃフィールドが真になる場合、Ｏｎ−Ｉｎａｃｔｉｖｅ状態からＯｎ−Ａｃｔｉｖｅ状態に移行することになる。これらの２つの状態間で移行することは、光レベルに影響を及ぼさないことになり、光レベルは、占有されたレベルにあるままであることになる。やはり、更新メッセージは、状態変化に応答してグループのメンバーにブロードキャストされることになる。
【０３１２】
空モードの場合、制御グループ内の各照明器具１０は、スイッチモジュール１１０からの「ｏｎ」又は「ｄｉｍ  ｕｐ」コマンドに応答してターンオンすることになる。グループ内の各照明器具１０は、メンバーのどれもが、しばらくの間、活動を検知しなかった後にターンオフすることになる。グループ内の照明器具１０がターンオフした後、グループ内の各照明器具１０のいずれかによって検知されるいずれかの活動が、元通りターンオンするよう、照明器具１０をトリガーすることになる猶予期間が設けられる。グループ内の照明器具１０のいずれかによって猶予期間中に検知された活動が全く存在しない場合、照明器具１０の全てがターンオフすることになり、スイッチモジュール１１０からのコマンドは、グループ内の照明器具１０を元通りターンオンするよう要求されることになる。
【０３１３】
空モードのための例示的な状態図が述べられる。照明器具１０が空モードで動作し、Ｏｆｆ状態にあると仮定する。特に、空モード動作は７つ全ての状態を使用する。Ｏｆｆ状態において、照明器具１０は、光を未占有レベルで提供し、ＳｅｌｆＯｃｃフィールド、ＭｅｍｂｅｒＯｃｃフィールド、及びＧｒｏｕｐＯｃｃフィールドの状態をケアしない（Ｘ）。Ｏｆｆ状態から、照明器具１０は、Ｏｎ−Ａｃｔｉｖｅ状態及びＯｎ−Ｉｎａｃｔｉｖｅ状態に移行し得る。
【０３１４】
照明器具１０は、照明器具１０と同じグループ内にあるスイッチモジュール１１０からのＷＣ「Ｏｎ」又はＷＣ「Ｄｉｍ  Ｕｐ」コマンドを受信することに応答して、Ｏｆｆ状態からＯｎ−Ａｃｔｉｖｅ状態に移行することになる。照明器具１０が実際に活動を検知しているかどうかによらず、ＳｅｌｆＯｃｃフィールドは、最初に、強制的に真にされ、占有タイマがリセットされる。照明レベルは、占有されたレベルに設定されることになる。述べたように、ＳｅｌｆＯｃｃフィールドは、照明器具１０がそれ自体の占有センサＳＡによって活動を検知する場合、真に設定される。占有タイマは、照明器具１０がその占有センサＳＡによって活動を検知するときはいつでもリセットされる。占有タイマが、活動を検知しないためタイムアウトする場合、ＳｅｌｆＯｃｃフィールドは偽に設定される。
【０３１５】
ある実施形態において、スイッチモジュール１１０は、照明ネットワークを本質的にあふれさせる迅速で連続的なメッセージでＷＣ「Ｏｎ」又はＷＣ「Ｄｉｍ  Ｕｐ」コマンドを送信するように構成される。各メッセージはまさに同じメッセージであり得る。例えば、メッセージは、４回から１０回送出される場合があり、各メッセージは約１００ｍｓだけ間隔がある。シーケンシャルバーストでメッセージを繰り返すことは、グループの各メンバーがメッセージを受信することになることを保証するのに役立つ。更なる保証のために、スイッチモジュール１１０からＷＣ「Ｏｎ」又はＷＣ「Ｄｉｍ  Ｕｐ」コマンドを有するメッセージを受信するグループ内のいずれの照明器具１０又はデバイスも、メッセージを一度再送信し得る。
【０３１６】
Ｏｎ−Ａｃｔｉｖｅ状態に達すると、照明器具１０は、状態変化を示すメッセージを送出することになる。この例において、現在の状態フィールドはＯｎ−Ａｃｔｉｖｅ状態で満たされ、直前の状態フィールドはＯｆｆ状態で満たされる。更に、照明器具１０は、ＳｅｌｆＯｃｃフィールドが今や真であるため、ＧｒｏｕｐＯｃｃフィールドを真に変更することになる。
【０３１７】
Ｏｎ−Ａｃｔｉｖｅ状態にある間に、照明器具１０は、ＧｒｏｕｐＯｃｃフィールドが偽になる場合、Ｐｏｓｔ−Ｏｃｃ状態に移行できる。ＧｒｏｕｐＯｃｃフィールドは、ＭｅｍｂｅｒＯｃｃフィールドが同様に偽であるときにＳｅｌｆＯｃｃフィールドが偽になる場合、偽になることになる。Ｐｏｓｔ−Ｏｃｃ状態に移行することは、光レベルを未占有レベルに移行させることになる。更新メッセージは、グループのメンバーに送信されることになる。
【０３１８】
Ｐｏｓｔ−Ｏｃｃ状態に達すると、占有後タイマが、１５〜３０秒等の比較的短い猶予期間の間セットされる。占有後タイマがタイムアウトする（ＰｏｓｔＯｃｃＴｉｍｅｏｕｔ＝真）場合、照明器具はＰｏｓｔ−ＯｃｃＴｉｍｅｏｕｔ状態に移動し、光レベルは、未占有レベルにあるままであることになる。この時点で、照明器具は、迅速で連続的な占有後タイムアウト（ＰｏｓｔＯｃｃ  Ｔｉｍｅｏｕｔ）メッセージを即座に送信することになる。各メッセージはまさに同じメッセージであり得る。ＷＣ「Ｏｎ」及びＷＣ「Ｄｉｍ」メッセージの場合と同様に、メッセージは、４回から１０回送出される場合があり、各メッセージは約１００ｍｓだけ間隔がある。シーケンシャルバーストでメッセージを提供することは、グループの各メンバーがメッセージを迅速に受信することになることを保証するのに役立つ。メンバーから占有後タイムアウトメッセージを受信するいずれの照明器具１０又はデバイスも、メッセージを再送信すると共に、Ｏｎ−Ａｃｔｉｖｅ状態、Ｏｎ−Ｉｎａｃｔｉｖｅ状態、及びＰｏｓｔ−Ｏｃｃ状態から、Ｐｏｓｔ−Ｏｃｃ  Ｃｏｍｐｌｅｔｅ状態に迅速に移行することになる。
【０３１９】
ＰｏｓｔＯｃｃ  Ｔｉｍｅｏｕｔ状態に達すると、照明器具１０は、設定されたカウントダウンが行われた後のＰｏｓｔ−Ｏｃｃ  Ｃｏｍｐｌｅｔｅ（ＰｏｓｔＯｃｃ  Ｔｉｍｅｏｕｔ→Ｃｏｕｎｔｄｏｗｎ  Ｃｏｍｐｌｅｔｅ）状態に自動的に移動する。照明レベルは未占有レベルにあるままである。ＰｏｓｔＯｃｃ  Ｔｉｍｅｏｕｔ状態の場合と同様に、Ｐｏｓｔ−Ｏｃｃ  Ｃｏｍｐｌｅｔｅ状態は、ＳｅｌｆＯｃｃフィールド、ＭｅｍｂｅｒＯｃｃフィールド、及びＧｒｏｕｐＯｃｃフィールドのステータスをケアしない。例えば約１秒等の比較的短い遅延後に、照明器具１０は、Ｏｆｆ状態に自動的に移動することになり、プロセスが繰り返され得る。
【０３２０】
ＰｏｓｔＯｃｃ状態（状態４）に戻ると、占有後タイマによって提供される猶予期間が述べられる。先に述べたように、占有後タイマが終了する場合、Ｏｆｆ状態をもたらす状態の自動進行が存在する。しかしながら、照明器具１０又はグループ内の別のメンバーが、占有タイマがタイムアウトする前に活動を検出する場合、照明器具１０は、それぞれ、Ｏｎ−Ａｃｔｉｖｅ状態又はＯｎ−Ｉｎａｃｔｉｖｅ状態に戻ることなる。
【０３２１】
具体的には、照明器具１０は、占有後タイマがタイムアウトする前に照明器具１０が活動を検出することに応答して、ＳｅｌｆＯｃｃフィールドが変化する場合、ＰｏｓｔＯｃｃ状態からＯｎ−Ａｃｔｉｖｅ状態に移行することになる。同様に、照明器具１０は、占有後タイマがタイムアウトする前にグループ内の１つのメンバーが占有を検出したことを示すメッセージを照明器具１０が受信することに応答して、ＭｅｍｂｅｒＯｃｃフィールドが真に変化する場合、ＰｏｓｔＯｃｃ状態からＯｎ−Ｉｎａｃｔｉｖｅ状態に移行することになる。いずれの場合も、照明器具１０は、光を未占有レベルで提供することから、光を占有されたレベルで提供することに移行することになる。
【０３２２】
グループの別のメンバーから占有後タイムアウトメッセージを受信する任意の照明器具１０は、Ｏｎ−Ａｃｔｉｖｅ状態、Ｏｎ−Ｉｎａｃｔｉｖｅ状態、及びＰｏｓｔ−Ｏｃｃ状態から、Ｐｏｓｔ−Ｏｃｃ  Ｃｏｍｐｌｅｔｅ状態に迅速に移行することになる。占有後タイムアウトメッセージを受信することは、グループの別のメンバーがＰｏｓｔ−Ｏｃｃ状態に達し、その占有後タイマがタイムアウトしたことを示す。これが任意のメンバーについて起こると、そのメンバーは、Ｏｆｆ状態に向かって自動的に進むことになり、全ての他のメンバーは、同じことを示すメッセージを受信すると追従することになる。これは、グループのメンバーの全てが、実質的に同時にかつ協調方式でターンオフすることを保証する。
【０３２３】
空モード又は占有モードにおいて、スイッチモジュール１１０又は他のデバイスからの「Ｏｆｆ」コマンドは、任意の状態からＷＣ  Ｏｆｆ状態への移行を強制する。ＷＣ  Ｏｆｆ状態は、光レベルがＯｆｆに設定されるように照明器具１０がターンオフされる瞬間的状態である。ＷＣ  Ｏｆｆ状態の短い期間後に、照明器具１０は、Ｏｆｆ状態に移行することになる。特に、「ＷＣ  Ｏｆｆ」状態は、光レベルを強制的にＯｆｆに移行させる一方、「Ｏｆｆ」状態は、光レベルを、まだＯｆｆになっていない場合、減少したレベルのままにし得る。これは、Ｏｎ−Ａｃｔｉｖｅ状態又はＯｎ−Ｉｎａｃｔｉｖｅ状態から「Ｏｆｆ」状態に入るときに起こる場合があり、照明器具１０は、Ｏｆｆ又は低い調光レベルであり得る未占有レベルで光を提供する。
【０３２４】
少数の他の種々の移行がここで論じられる。Ｏｎ−Ａｃｔｉｖｅ状態からＰｏｓｔ−Ｏｃｃ状態への移行は、メンバーの占有タイマがタイムアウトしており、かつ、メンバーがＰｏｓｔ−Ｏｃｃ状態に移行していることを示すメッセージを照明器具１０がメンバーから受信すると起こり得る（ＲＦ  ＲＸ：Ｐｏｓｔ−Ｏｃｃ  ＡＮＤ  ＰｒｅＯｃｃＴｉｍｅｒＴｉｍｅｏｕｔ＝真）。この場合、メンバーはＰｏｓｔ−Ｏｃｃ状態に移行しており、照明器具１０もまたそうすべきである。光レベルは、占有されたレベルから未占有レベルに移行することになる。Ｏｎ−Ｉｎａｃｔｉｖｅ状態からＯｆｆ状態への移行は、一般的に占有モードにおいて、メンバーが任意の他の状態からＯｆｆ状態に移行したことをメンバーからのメッセージが示す場合に起こり得る（Ｇｒｏｕｐ  Ｍｅｍｂｅｒ  Ｃｔｌ−Ｏｃｃ−Ｓｔａｔｅ＝Ｏｆｆ）。この場合、メンバーはＯｆｆ状態に移行しており、照明器具１０もまたそうすべきである。
【０３２５】
同様に、Ｄｉｍ  Ｕｐ及びＤｉｍ  Ｄｏｗｎコマンドは、グループ内にあるスイッチモジュール１１０から受付けられる一方、照明器具は、Ｏｎ−Ａｃｔｉｖｅ状態及びＯｎ−Ｉｎａｃｔｉｖｅ状態にある。Ｏｆｆ状態を除く任意の状態から、グループ内の任意のスイッチモジュール１１０からのＯｆｆコマンドは、照明器具１０をＯｆｆ状態に強制的に移行させることになる。
【０３２６】
こうして動作することによって、グループ内の各照明器具１０は、グループ内のメンバーのどれもが、しばらくの間、活動を検知しなかった後にターンオフすることになる。グループ内の各照明器具１０がターンオフされた後、グループ内の各照明器具１０のいずれかによって検知されるいずれかの活動が、元通りターンオンするよう照明器具１０をトリガーすることになる猶予期間が設けられる。グループ内の各照明器具１０のいずれかによって猶予期間中に検知された活動が全く存在しない場合、照明器具１０の全てがターンオフすることになり、スイッチモジュール１１０からのコマンドは、グループ内の照明器具１０を元通りターンオンするよう要求されることになる。
［重複する制御及び占有グループ］
一実施形態において、照明ネットワークは、１つ又は複数の制御グループが１つ又は複数の占有グループに重複するように構成される場合があり、異なる制御グループ内にある任意の照明器具１０は同じ占有グループ内に存在する。例証的な例は図５９に示され、制御グループ１及び制御グループ２と呼ばれる２つの制御グループを含む。制御グループ１は、１つのスイッチモジュールＳＭ  １及び１つ又は複数の照明器具１Ａ〜１Ｎを有する。同様に、制御グループ２は、１つのスイッチモジュールＳＭ  ２及び１つ又は複数の照明器具２Ａ〜２Ｎを有する。制御グループ１と２の両方の重複する部分は、制御グループ１の照明器具１Ａ〜１Ｎ及び制御グループ２の照明器具２Ａ〜２Ｎを含む単一占有グループ１である。スイッチモジュールＳＭ  １及びスイッチモジュールＳＭ  ２は、占有グループ１の一部ではない。以下の議論について、「照明器具１）」は、全体的に、制御グループ１の任意の照明器具１Ａ〜１Ｎを指し、「照明器具２」は、全体的に、制御グループ２の任意の照明器具２Ａ〜２Ｎを指す。
【０３２７】
こうした重複するシナリオにおける空モード動作の場合、照明器具１又は２は、対応する制御グループ１又は２のスイッチモジュールＳＭ  １又はＳＭ  ２によってターンオン又はターンオフされる可能性がある。換言すれば、制御グループ１の照明器具１はスイッチモジュールＳＭ  １によってターンオンされターンオフされる。スイッチモジュールＳＭ  ２は、制御グループ１の照明器具１の動作に影響を全く及ぼさない。同様に、制御グループ２の照明器具２はスイッチモジュールＳＭ  ２によってターンオンされターンオフされる。スイッチモジュールＳＭ  １は、制御グループ２の照明器具２の動作に影響を全く及ぼさない。この例の場合、ｏｆｆ状態からターンオンすること又は調光アップすることはターンオンすることであると考えられる。ｏｆｆ状態は、光出力がＯｆｆであるか又は未占有レベルにあることを含み得る。
【０３２８】
制御グループ１の照明器具１がターンオンされ、制御グループ２の照明器具２がオフのままである場合、制御グループ１の照明器具１は、占有グループ１の照明器具１及び２のいずれかの照明器具が、それぞれの占有タイマが終了する前に活動を検知する場合、オンのままであることになる。こうして、照明器具２がオフのままであっても、照明器具２は、依然として活動をモニターし、活動を検出するとそれらの占有タイマをリセットし、それらの占有情報を、互いに供給すると共に制御グループ１の照明器具１と共有することになる。その理由は、照明器具１及び２が占有グループ１の一部であるからである。
【０３２９】
照明器具１及び２についてモニターし、共有し、活動に対して応答する同じプロセスが、照明器具２がスイッチモジュールＳＭ  ２によってターンオンされる場合に継続することになる。照明器具１がスイッチモジュールＳＭ  １によってターンオフされる場合、照明器具１はターンオフすることになる。しかしながら、照明器具１は、照明器具２が、スイッチモジュールＳＭ  ２によってターンオフされる、又は、活動の欠如及び猶予期間の終了によってターンオフされるまで、依然として、活動をモニターし、占有グループの全ての照明器具１および２と占有情報を共有することになる。本質的に、スイッチモジュールＳＭ  １又はＳＭ  ２の状態は、照明器具１および２の光出力を制御することになる。しかしながら、これらの照明器具１および２は、その光出力がスイッチモジュールＳＭ  １及びＳＭ  ２によってオフに又は未占有レベルに設定されても、活動をモニターし、同じまた異なる制御グループ１及び２内にある他の照明器具１及び２と占有情報を共有し続け得る。
【０３３０】
対応するスイッチモジュールＳＭ  １又はＳＭ  ２が使用されて、照明器具１又は２をターンオフする場合、照明器具１及び２は、対応するスイッチモジュールＳＭ  １又はＳＭ  ２によって元通りにターンオンされる必要があることになる。占有事象の検出は、元通りにターンオンするよう、照明器具１及び２をトリガーしないことになる。照明器具１及び２は、活動の欠如及び猶予期間の終了によってターンオフする場合、対応するスイッチモジュールＳＭ  １又はＳＭ  ２によって元通りにターンオンされる必要があることになる。しかしながら、猶予期間が終了する前に活動が検出される場合、照明器具１及び２は、占有グループの任意のメンバー（照明器具１又は２）が活動を検出する場合、元通りにターンオンし得る（照明器具１又は２が対応するスイッチモジュールＳＭ  １又はＳＭ  ２によってターンオフされていなかったと仮定する）。
【０３３１】
以下は、この状況における動作のための基本的な規則を提供する：
１．スイッチモジュール１１０からの「Ｏｎ」又は「Ｄｉｍ  Ｕｐ」コマンドは、（占有）活動に関わらず、関連する制御グループ内にある照明器具１０をターンオンする。
【０３３２】
２．スイッチモジュール１１０からの「Ｏｎ」又は「Ｄｉｍ  Ｕｐ」コマンドはまた、占有後猶予期間が終了するまで、関連する制御グループ内にある照明器具１０の動作に基づく占有をイネーブルする。
【０３３３】
３．スイッチモジュールＳＭ  １又はＳＭ  ２からの「Ｏｆｆ」コマンドは、関連する制御グループ内にある照明器具１０をターンし、関連する制御グループ内の照明器具の動作に基づく占有をディスエーブルする。
【０３３４】
４．スイッチモジュール１１０によってターンオンされると、関連する制御グループ内の照明器具１０は、照明器具１０自体又は占有グループの任意のメンバーが活動を検知する限り、オンのままであることになる。
【０３３５】
５．占有グループ内の照明器具１０の全ては、占有グループ１内のメンバーの全てが活動を検出できなかった後に１つのグループとしてターンオフすることになる。
考えられる別のモードは、空モードと占有モードとのハイブリッドである空・再トリガー可能モードである。空・再トリガー可能モードは、占有モードと同様に機能する。最初のオンコマンドがスイッチモジュール１１０から受信されると、照明器具１０は、オフコマンドがスイッチモジュール１１０から受信されるまで、占有モードで効果的に動作することになる。したがって、占有グループ内の照明器具１０は、オンコマンドが受信された後のグループ内の活動に基づいて、また、オフコマンドが受信されるまで、（例えば占有モード状態機械について説明したように）無期限にターンオンし、ターンオフすることになる。このモードは、本質的に、占有モードがスイッチモジュール１１０によって選択されることを可能にする。
【０３３６】
ある実施形態において、グループ内の一部の照明器具１０は、占有モードのために構成され得る一方、同じグループ内の他の照明器具１０は空モードのために構成され得る。行動の主要な差は、占有が全く検出されず、占有タイムアウトが起こると、空モードデバイスが「Ｐｏｓｔ−Ｏｃｃ」に移行することになる一方、占有モードデバイスが「Ｏｆｆ」に移行することになることである。
【０３３７】
本開示は、以下を提供するが、以下に限定されない。
１．照明器具であって、
光源と、
光センサと、
通信インタフェースと、
回路であって、
前記光源を制御し、
前記光センサを介して、手持ち式デバイスから提供される光信号をモニターし、
前記光信号を受信すると、前記光信号に関連する信号レベルを測定し、
前記通信インタフェースを介して、前記手持ち式デバイスに対する前記信号レベルの送信を行うように構成される、回路と
を備える照明器具。
２．請求項１に記載の照明器具であって、
前記回路は、更に、前記通信インタフェースを介して、前記手持ち式デバイスからの前記光信号をモニターする命令を受信するように構成され、それにより、前記回路は、前記命令を受信すると、前記光信号をモニターし始める、照明器具。
３．請求項１に記載の照明器具であって、
前記光信号は、ストロボ式光信号である、照明器具。
４．請求項３に記載の照明器具であって、
前記光信号は、人間的に知覚可能でない周波数でストロボ駆動される、照明器具。
５．請求項１に記載の照明器具であって、
前記照明器具は、識別子に関連し、
前記回路は、更に、前記手持ち式デバイスへの前記信号レベルの前記送信に関連して、前記手持ち式デバイスへの前記識別子の送信を行うように構成されている、照明器具。
６．請求項５に記載の照明器具であって、
前記信号レベル及び前記識別子は、前記手持ち式デバイスに無線で送信される、照明器具。
７．請求項５に記載の照明器具であって、
前記識別子は、アドレスである、照明器具。
８．請求項１に記載の照明器具であって、
前記信号レベルは、前記手持ち式デバイスに無線で送信される、照明器具。
９．請求項１に記載の照明器具であって、
前記回路は、更に、前記通信インタフェースを介して、関連する照明器具に向かって情報の送信を行うように構成される、照明器具。
１０．請求項９に記載の照明器具であって、
前記照明器具は、占有センサを備え、
前記情報は、前記占有センサの出力に関連する、照明器具。
１１．請求項９に記載の照明器具であって、
前記光センサは、更に、前記照明器具が存在するエリアの周囲光レベルをモニターするように構成され、
前記情報は、前記周囲光レベルに関連する、照明器具。
１２．請求項１に記載の照明器具であって、
前記回路は、更に、前記通信インタフェースを介して、関連する照明器具から情報を受信し、少なくとも部分的に前記情報に基づいて前記光源を制御するように構成されている、照明器具。
１３．請求項１２に記載の照明器具であって、
前記情報は、前記関連する照明器具の占有センサの出力に関連する、照明器具。
１４．請求項１２に記載の照明器具であって、
前記情報は、前記関連する照明器具の周囲光センサの出力に関連する、照明器具。
１５．請求項１に記載の照明器具であって、
前記光センサは、更に、前記照明器具が存在するエリアの周囲光レベルをモニターするように構成され、
前記回路は、更に、少なくとも部分的に前記周囲光レベルに基づいて前記光源を制御するように構成されている、照明器具。
１６．照明器具であって、
光源と、
光センサと、
通信インタフェースと、
回路であって、
前記光源を制御し、
前記光センサを介して、手持ち式デバイスから提供される光信号をモニターし、
前記光信号を受信すると、前記通信インタフェースを介して、前記手持ち式デバイスに対する、前記照明器具に関連する識別子の送信を行うように構成される、回路と
を備える照明器具。
１７．請求項１６に記載の照明器具であって、
前記識別子は、前記手持ち式デバイスに無線で送信される、照明器具。
１８．請求項１６に記載の照明器具であって、
前記識別子は、前記照明器具に関連するアドレスである、照明器具。
１９．請求項１６に記載の照明器具であって、
前記回路は、更に、前記通信インタフェースを介して、関連する照明器具に向かって情報の送信を行うように構成される、照明器具。
２０．請求項１６に記載の照明器具であって、
前記回路は、更に、前記通信インタフェースを介して、関連する照明器具からの情報を受信し、少なくとも部分的に前記情報に基づいて前記光源を制御するように構成される、照明器具。
２１．請求項１６に記載の照明器具であって、
前記光信号は、ストロボ式光信号である、照明器具。
２２．請求項１６に記載の照明器具であって、
前記回路は、更に、前記通信インタフェースを介して、前記手持ち式デバイスからの前記光信号をモニターする命令を受信するように構成され、それにより、回路は、前記命令を受信すると、前記光信号をモニターし始める、照明器具。
２３．照明ネットワーク内で照明器具を制御するためのスイッチモジュールであって、
ユーザから入力を受信するように構成されるユーザインタフェースと、
少なくとも１つの照明器具と通信するように構成される通信インタフェースと、
回路であって、
前記ユーザインタフェースを介して前記ユーザから受信されるスイッチ選択入力をモニターする第１の命令を前記通信インタフェースを介して手持ち式デバイスから受信し、
前記スイッチ選択入力をモニターし、
前記スイッチ選択入力を受信すると、前記スイッチモジュールのための識別子を前記手持ち式デバイスに提供し、
前記通信インタフェースを介して前記少なくとも１つの照明器具に照明制御情報を提供するように構成され、前記照明制御情報は、前記少なくとも１つの照明器具の光出力レベルを制御するように構成される、回路と
を備えるスイッチモジュール。
２４．請求項２３に記載のスイッチモジュールであって、
前記識別子は、前記スイッチモジュールのためのアドレスである、スイッチモジュール。
２５．請求項２３に記載のスイッチモジュールであって、
前記通信インタフェースは、無線通信インタフェースである、スイッチモジュール。
２６．請求項２３に記載のスイッチモジュールであって、
更に、光源を備え、
前記回路は、更に、前記光源を駆動して、前記スイッチモジュールが選択されたという視覚フィードバックを前記ユーザに提供するように構成される、スイッチモジュール。
２７．請求項２６に記載のスイッチモジュールであって、
前記回路は、更に、前記視覚フィードバックを提供するために前記通信インタフェースを介して前記手持ち式デバイスから第２の命令を受信するように構成され、それにより、前記回路は、前記第２の命令を受信すると、前記光源を駆動して、前記視覚フィードバックを提供する、スイッチモジュール。
２８．請求項２７に記載のスイッチモジュールであって、
前記回路は、更に、前記視覚フィードバックを提供することを停止するために前記通信インタフェースを介して前記手持ち式デバイスから第３の命令を受信するように構成され、それにより、前記回路は、前記第３の命令を受信すると、前記視覚フィードバックを提供するために前記光源を駆動することを停止する、スイッチモジュール。
２９．請求項２６に記載のスイッチモジュールであって、
前記光源は、前記視覚フィードバックを提供するために駆動されると、オン及びオフにパルス駆動される、スイッチモジュール。
３０．請求項２３に記載のスイッチモジュールであって、
前記回路は、更に、前記通信インタフェースを介して、前記手持ち式デバイスからグループ情報を受信するように構成され、
前記グループ情報は、前記スイッチモジュールを前記少なくとも１つの照明器具に関連付ける、スイッチモジュール。
３１．請求項２３に記載のスイッチモジュールであって、
前記回路は、更に、前記通信インタフェースを介して、前記手持ち式デバイスからグループ情報を受信するように構成され、
前記グループ情報は、前記少なくとも１つの照明器具を含む複数の照明器具と、少なくとも１つの他のスイッチモジュールとに前記スイッチモジュールを関連付ける、スイッチモジュール。
３２．請求項２３に記載のスイッチモジュールであって、
前記照明制御情報は、前記ユーザインタフェースを介して前記ユーザから受信される照明制御入力に基づいて決定される、スイッチモジュール。
３３．請求項２３に記載のスイッチモジュールであって、
更に、周囲光センサを備え、
前記照明制御情報は、前記周囲光センサの出力の関数である、スイッチモジュール。
３４．請求項２３に記載のスイッチモジュールであって、
更に、占有センサを備え、
前記照明制御情報は、前記占有センサの出力の関数である、スイッチモジュール。
３５．請求項２３に記載のスイッチモジュールであって、
更に、センサを備え、
前記照明制御情報は、前記ユーザインタフェースを介して前記ユーザから受信される照明制御入力又は前記センサの出力のいずれかに基づいて決定される、スイッチモジュール。
【０３３８】
本開示は、更に以下を提供するが、以下に限定されない。
１．複数の照明器具をグループ化するための手持ち式デバイスであって、
前記複数の照明器具と無線通信するように構成される通信インタフェースと、
回路であって、
前記通信インタフェースを介して、前記複数の照明器具のうちの少なくとも２つの照明器具の選択を行い、
前記少なくとも２つの照明器具についての第１のグループを決定し、
前記第１のグループのための第１のグループ割り当て情報を生成し、
前記通信インタフェースを介して、前記少なくとも２つの照明器具の各々に前記第１のグループ割り当て情報を送信するように構成される、回路と
を備える手持ち式デバイス。
２．請求項１に記載の手持ち式デバイスであって、
前記少なくとも２つの照明器具の選択を行うため、前記回路は、更に、
前記少なくとも２つの照明器具を順次選択し、
前記少なくとも２つの照明器具の各々を選択すると、かつ、前記少なくとも２つの照明器具のうちの次の１つを選択する前に、前記少なくとも２つの照明器具の各々の光出力を変更して、選択されていることを示す人間知覚可能フィードバックを提供するように、前記通信インタフェースを介して前記少なくとも２つの照明器具の各々に指令するように構成される、手持ち式デバイス。
３．請求項２に記載の手持ち式デバイスであって、
前記光出力は、第１の規定された出力レベルに移行される、手持ち式デバイス。
４．請求項３に記載の手持ち式デバイスであって、
前記第１のグループ割り当て情報が前記少なくとも２つの照明器具に送信された後に、前記回路は、更に、前記少なくとも２つの照明器具の各々の光出力を、前記第１の規定された出力レベルから前記第１の規定された出力レベルとは異なる第２の規定された出力レベルに移行するように、前記通信インタフェースを介して前記少なくとも２つの照明器具の各々に指令するように構成される、手持ち式デバイス。
５．請求項１に記載の手持ち式デバイスであって、
前記回路は、更に、前記通信インタフェースを介して前記少なくとも２つの照明器具にデフォルト設定を送信するように構成され、
前記デフォルト設定は、前記少なくとも２つの照明器具について少なくとも１つの制御パラメータを規定する、手持ち式デバイス。
６．請求項１に記載の手持ち式デバイスであって、
前記回路は、更に、
スイッチモジュールの選択を行い、ここで、前記第１のグループが、前記スイッチモジュール及び前記少なくとも２つの照明器具を含むように決定され、
前記通信インタフェースを介して、前記スイッチモジュールに前記第１のグループ割り当て情報を送信し、ここで、前記スイッチモジュールが前記第１のグループに含まれるとき、前記スイッチモジュールが、前記第１のグループが形成された後に、前記少なくとも２つの照明器具の光出力を制御できることになる
ように構成される、手持ち式デバイス。
７．請求項６に記載の手持ち式デバイスであって、
前記回路は、更に、前記スイッチモジュールを選択すると、選択されていることを示す人間知覚可能フィードバックを提供するように前記スイッチモジュールに指令するように構成される、手持ち式デバイス。
８．請求項１に記載の手持ち式デバイスであって、
前記少なくとも２つの照明器具の選択を行うため、前記回路は、更に、ユーザから受信されるマニュアル命令に応じて前記少なくとも２つの照明器具を順次選択するように構成される、手持ち式デバイス。
９．請求項１に記載の手持ち式デバイスであって、
前記第１のグループは、制御グループである、手持ち式デバイス。
１０．請求項１に記載の手持ち式デバイスであって、
前記第１のグループは、占有グループである、手持ち式デバイス。
１１．請求項１に記載の手持ち式デバイスであって、
更に、光源を備え、
前記少なくとも２つの照明器具の各１つを選択するために、前記回路は、更に、
前記光源を介して光信号を提供し、
前記通信インタフェースを介して前記複数の照明器具から光レベル情報を受信し、ここで、前記複数の照明器具のうちの所定の照明器具についての前記光レベル情報は、前記光信号が前記所定の照明器具で受信された光レベルに関連し、
前記光レベル情報に基づいて、前記複数の照明器具のうちの被選択照明器具であって、前記少なくとも２つの照明器具のうちの１つである、被選択照明器具を選択するように構成される、手持ち式デバイス。
１２．請求項１１に記載の手持ち式デバイスであって、
前記回路は、更に、前記光信号をモニターし始めるよう前記複数の照明器具に指令することを意図される命令を、前記通信インタフェースを介して送信するように構成される、手持ち式デバイス。
１３．請求項１１に記載の手持ち式デバイスであって、
更に、ユーザインタフェースを備え、
前記回路は、更に、前記被選択照明器具が選択されると、ユーザに、前記ユーザインタフェースを介して指示を提供するように構成される、手持ち式デバイス。
１４．請求項１１に記載の手持ち式デバイスであって、
更に、ユーザインタフェースを備え、
前記回路は、更に、前記ユーザインタフェースを介してユーザから入力を受信し、前記入力を受信することに応じて、前記光信号を提供するように構成される、手持ち式デバイス。
１５．請求項１１に記載の手持ち式デバイスであって、
前記被選択照明器具を選択するため、前記回路は、更に、前記複数の照明器具の各々について前記光レベルを比較し、最も高い光レベルに関連する前記複数の照明器具のうちの１つを前記被選択照明器具として選択するように構成される、手持ち式デバイス。
１６．手持ち式デバイスの制御回路のための命令を備えるコンピュータで読み取り可能な媒体であって、前記命令は、
通信インタフェースを介して、複数の照明器具のうちの少なくとも２つの照明器具の選択を行い、
前記少なくとも２つの照明器具について第１のグループを決定し、
前記第１のグループについて第１のグループ割り当て情報を生成し、
前記通信インタフェースを介して、前記少なくとも２つの照明器具の各々に前記第１のグループ割り当て情報を送信する、コンピュータで読み取り可能な媒体。
１７．請求項１６に記載のコンピュータで読み取り可能な媒体であって、
前記少なくとも２つの照明器具の選択を行うため、前記命令は、更に、
前記少なくとも２つの照明器具を順次選択し、
前記少なくとも２つの照明器具の各々を選択すると、かつ、前記少なくとも２つの照明器具のうちの次の１つを選択する前に、前記少なくとも２つの照明器具の各々の光出力を変更して、選択されていることを示す人間知覚可能フィードバックを提供するように、前記通信インタフェースを介して前記少なくとも２つの照明器具の各々に指令するように構成される、コンピュータで読み取り可能な媒体。
１８．請求項１７に記載のコンピュータで読み取り可能な媒体であって、
前記光出力は、第１の規定された出力レベルに移行される、コンピュータで読み取り可能な媒体。
１９．請求項１８に記載のコンピュータで読み取り可能な媒体であって、
前記第１のグループ割り当て情報が前記少なくとも２つの照明器具に送信された後、前記命令は、更に、前記少なくとも２つの照明器具の各々の光出力を前記第１の規定された出力レベルから前記第１の規定された出力レベルとは異なる第２の規定された出力レベルに移行するように、前記通信インタフェースを介して前記少なくとも２つの照明器具の各々に指令するように構成される、コンピュータで読み取り可能な媒体。
２０．請求項１６に記載のコンピュータで読み取り可能な媒体であって、
前記命令は、更に、前記通信インタフェースを介して前記少なくとも２つの照明器具にデフォルト設定を送信するように構成され、
前記デフォルト設定は、前記少なくとも２つの照明器具について少なくとも１つの制御パラメータを規定する、コンピュータで読み取り可能な媒体。
２１．請求項１６に記載のコンピュータで読み取り可能な媒体であって、
前記命令は、更に、前記制御回路に、
スイッチモジュールの選択を行わせ、ここで、前記第１のグループが、前記スイッチモジュール及び前記少なくとも２つの照明器具を含むように決定され、
前記通信インタフェースを介して、前記スイッチモジュールに前記第１のグループ割り当て情報を送信させ、ここで、前記スイッチモジュールが前記第１のグループに含まれるとき、前記スイッチモジュールが、前記第１のグループが形成された後に、前記少なくとも２つの照明器具の光出力を制御できることになる
ように構成される、コンピュータで読み取り可能な媒体。
２２．請求項２１に記載のコンピュータで読み取り可能な媒体であって、
前記命令は、更に、前記制御回路に、前記スイッチモジュールを選択すると、選択されていることを示す人間知覚可能フィードバックを提供するように前記スイッチモジュールに指令させるように構成される、コンピュータで読み取り可能な媒体。
２３．請求項１６に記載のコンピュータで読み取り可能な媒体であって、
前記少なくとも２つの照明器具の選択を行うために、前記命令は、更に、ユーザから受信されるマニュアル命令に応じて前記少なくとも２つの照明器具を順次選択するように構成される、コンピュータで読み取り可能な媒体。
【０３３９】
本開示は、更に、以下を提供するが、以下に限定されない。
１．照明器具のグループを統合するための手持ち式デバイスであって、
複数の照明器具と無線通信するように構成される通信インタフェースと、
回路であって、
前記通信インタフェースを介して、照明器具の第１のグループとグループ化される第１の照明器具又は第１のスイッチモジュールの選択を行い、
照明器具の前記第１のグループを識別し、
前記通信インタフェースを介して、照明器具の前記第１のグループに最初に関連しない被付加デバイスの選択を行い、
前記被付加デバイスを照明器具の前記第１のグループに付加することによって、新しいグループを決定し、
前記新しいグループのためのグループ割り当て情報を生成し、
前記通信インタフェースを介して、照明器具の前記第１のグループと、前記新しいグループの前記被付加デバイスとの各々に、前記グループ割り当て情報を送信するように構成される回路と
を備える、手持ち式デバイス。
２．請求項１に記載の手持ち式デバイスであって、
前記被付加デバイスは、第２の照明器具である、手持ち式デバイス。
３．請求項２に記載の手持ち式デバイスであって、
前記回路は、更に、前記第２の照明器具を選択すると、前記第２の照明器具の光出力を変更して、選択されていることを示す人間知覚可能フィードバックを提供するように、前記通信インタフェースを介して前記第２の照明器具に指令するように構成される、手持ち式デバイス。
４．請求項１に記載の手持ち式デバイスであって、
前記被付加デバイスは、第２のスイッチモジュールである、手持ち式デバイス。
５．請求項４に記載の手持ち式デバイスであって、
前記回路は、更に、前記第２のスイッチモジュールを選択すると、選択されていることを示す人間知覚可能フィードバックを提供するように、前記通信インタフェースを介して前記第２のスイッチモジュールに指令するように構成される、手持ち式デバイス。
６．請求項１に記載の手持ち式デバイスであって、
前記第１の照明器具又は前記第１のスイッチモジュールの選択を行うために、前記回路は、前記第１の照明器具の選択を行う、手持ち式デバイス。
７．請求項１に記載の手持ち式デバイスであって、
更に、光源を備え、
前記第１の照明器具を選択するために、前記回路は、更に、
前記光源を介して光信号を提供し、
前記通信インタフェースを介して、前記複数の照明器具から光レベル情報を受信し、ここで、前記複数の照明器具の所定の照明器具についての前記光レベル情報は、前記光信号が前記所定の照明器具で受信された光レベルに関連し、
前記光レベル情報に基づいて、前記複数の照明器具の被選択照明器具であって、前記第１の照明器具である、被選択照明器具を選択するように構成される、手持ち式デバイス。
８．請求項１に記載の手持ち式デバイスであって、
前記回路は、更に、前記第１の照明器具を選択すると、照明器具の前記第１のグループの光出力を変更して、選択されていることを示す人間知覚可能フィードバックを提供するように、照明器具の前記第１のグループに指令するように構成される、手持ち式デバイス。
９．請求項１に記載の手持ち式デバイスであって、
前記第１の照明器具又は前記第１のスイッチモジュールの選択を行うために、前記回路は、前記第１のスイッチモジュールの選択を行う、手持ち式デバイス。
１０．請求項１に記載の手持ち式デバイスであって、
前記回路は、更に、前記第１のスイッチモジュールを選択すると、照明器具の前記第１のグループの光出力を変更して、選択されていることを示す人間知覚可能フィードバックを提供するように、照明器具の前記第１のグループに指令するように構成される、手持ち式デバイス。
１１．請求項１に記載の手持ち式デバイスであって、
前記新しいグループは、制御グループである、手持ち式デバイス。
１２．請求項１に記載の手持ち式デバイスであって、
前記新しいグループは、占有グループである、手持ち式デバイス。
１３．照明器具のグループを統合するための手持ち式デバイスであって、
複数の照明器具と無線通信するように構成される通信インタフェースと、
回路であって、
前記通信インタフェースを介して、照明器具の第１のグループにおける第１の照明器具の選択を行い、
前記通信インタフェースを介して、照明器具の第２のグループにおける第２の照明器具の選択を行い、
前記第１の照明器具からの情報に基づいて照明器具の前記第１のグループを識別し、前記第２の照明器具からの情報に基づいて照明器具の前記第２のグループを識別し、
前記第１のグループ及び前記第２のグループについての新しいグループであって、照明器具の前記第１のグループと照明器具の前記第２のグループとの双方の照明器具を含む、新しいグループを決定し、
前記新しいグループのためのグループ割り当て情報を生成し、
前記通信インタフェースを介して、前記新しいグループの前記照明器具の各々に前記グループ割り当て情報を送信するように構成される、回路と
を備える、手持ち式デバイス。
１４．請求項１３に記載の手持ち式デバイスであって、
前記回路は、更に、
前記第１の照明器具を選択すると、照明器具の前記第１のグループの光出力を変更して、選択されていることを示す人間知覚可能フィードバックを提供するように、照明器具の前記第１のグループに指令し、
前記第２の照明器具を選択すると、照明器具の前記第２のグループの光出力を変更して、選択されていることを示す人間知覚可能フィードバックを提供するように、照明器具の前記第２のグループに指令するように構成される、手持ち式デバイス。
１５．請求項１４に記載の手持ち式デバイスであって、
前記グループ割り当て情報が前記新しいグループの前記照明器具の各々に送信された後、前記回路は、更に、前記新しいグループの前記照明器具の各々の光出力を変更して、前記新しいグループを形成するために統合される前記第１のグループ及び前記第２のグループを示す人間知覚可能フィードバックを提供するように、前記新しいグループの前記照明器具の各々に指令するように構成される、手持ち式デバイス。
１６．請求項１３に記載の手持ち式デバイスであって、
前記回路は、更に、前記通信インタフェースを介して前記新しいグループの前記照明器具にデフォルト設定を送信するように構成され、
前記デフォルト設定は、前記新しいグループの前記照明器具について少なくとも１つの制御パラメータを規定する、手持ち式デバイス。
１７．請求項１３に記載の手持ち式デバイスであって、
更に、光源を備え、
前記第１の照明器具を選択するため、前記回路は、更に、
前記光源を介して光信号を提供し、
前記通信インタフェースを介して、複数の照明器具から光レベル情報を受信し、ここで、前記複数の照明器具の所定の照明器具についての前記光レベル情報は、前記光信号が前記所定の照明器具で受信された光レベルに関連し、
前記光レベル情報に基づいて、前記複数の照明器具の被選択照明器具であって、前記第１の照明器具である、被選択照明器具を選択するように構成される、手持ち式デバイス。
１８．請求項１７に記載の手持ち式デバイスであって、
前記回路は、更に、前記光信号をモニターし始めるよう前記複数の照明器具に指令することを意図される命令を、前記通信インタフェースを介して送信するように構成される、手持ち式デバイス。
１９．請求項１７に記載の手持ち式デバイスであって、
更に、ユーザインタフェースを備え、
前記回路は、更に、前記被選択照明器具が選択されると、前記ユーザインタフェースを介してユーザに指示を提供するように構成される、手持ち式デバイス。
２０．請求項１７に記載の手持ち式デバイスであって、
更に、ユーザインタフェースを備え、
前記回路は、更に、前記ユーザインタフェースを介してユーザから入力を受信し、前記入力を受信することに応じて、前記光信号を提供するように構成される、手持ち式デバイス。
２１．請求項１７に記載の手持ち式デバイスであって、
前記被選択照明器具を選択するために、前記回路は、更に、前記複数の照明器具の各々について前記光レベルを比較し、最も高い光レベルに関連する前記複数の照明器具のうちの１つを前記被選択照明器具として選択するように構成される、手持ち式デバイス。
２２．請求項１３に記載の手持ち式デバイスであって、
前記新しいグループは、制御グループである、手持ち式デバイス。
２３．請求項１３に記載の手持ち式デバイスであって、
前記新しいグループは、占有グループである、手持ち式デバイス。
２４．照明器具のグループを統合するための手持ち式デバイスであって、
複数の照明器具と無線通信するように構成される通信インタフェースと、
回路であって、
前記通信インタフェースを介して、照明器具の第１のグループとグループ化される第１のスイッチモジュールの選択を行い、
前記通信インタフェースを介して、照明器具の第２のグループとグループ化される第２のスイッチモジュールの選択を行い、
前記第１のスイッチモジュールからの情報に基づいて照明器具の前記第１のグループを識別し、前記第２のスイッチモジュールからの情報に基づいて照明器具の前記第２のグループを識別し、
前記第１のグループ及び前記第２のグループについての新しいグループであって、照明器具の前記第１のグループと、照明器具の前記第２のグループと、前記第１のスイッチモジュールと、前記第２のスイッチモジュールとを含む、新しいグループを決定し、
前記新しいグループのためのグループ割り当て情報を生成し、
前記通信インタフェースを介して、前記新しいグループの、照明器具の前記第１のグループ、前記第１のスイッチモジュール、照明器具の前記第２のグループ、及び前記第２のスイッチモジュールの各々に前記グループ割り当て情報を送信するように構成される回路と
を備える、手持ち式デバイス。
２５．請求項２４に記載の手持ち式デバイスであって、
前記回路は、更に、
前記第１のスイッチモジュールを選択すると、照明器具の前記第１のグループの光出力を変更して、選択されていることを示す人間知覚可能フィードバックを提供するように、照明器具の前記第１のグループに指令し、
前記第２のスイッチモジュールを選択すると、照明器具の前記第２のグループの光出力を変更して、選択されていることを示す人間知覚可能フィードバックを提供するように、照明器具の前記第２のグループに指令するように構成される、手持ち式デバイス。
２６．請求項２５に記載の手持ち式デバイスであって、
前記グループ割り当て情報が、前記新しいグループの、前記照明器具、前記第１のスイッチモジュール、及び前記第２のスイッチモジュールの各々に送信された後、前記回路は、更に、前記新しいグループの前記照明器具の各々の光出力を変更して、前記新しいグループを形成するために統合される前記第１のグループ及び前記第２のグループを示す人間知覚可能フィードバックを提供するように、前記新しいグループの前記照明器具の各々に指令するように構成される、手持ち式デバイス。
２７．請求項２４に記載の手持ち式デバイスであって、
前記回路は、更に、前記新しいグループの、前記照明器具、前記第１のスイッチモジュール、及び前記第２のスイッチモジュールにデフォルト設定を送信するように構成され、
前記デフォルト設定は、少なくとも１つの制御パラメータを規定する、手持ち式デバイス。
２８．請求項２４に記載の手持ち式デバイスであって、
前記新しいグループは、制御グループである、手持ち式デバイス。
２９．請求項２４に記載の手持ち式デバイスであって、
前記新しいグループは、占有グループである、手持ち式デバイス。
３０．手持ち式デバイスの制御回路のための命令を備えるコンピュータで読み取り可能な媒体であって、
前記命令は、
通信インタフェースを介して、照明器具の第１のグループとグループ化される第１の照明器具又は第１のスイッチモジュールの選択を行い、
照明器具の前記第１のグループを識別し、
前記通信インタフェースを介して、照明器具の前記第１のグループに最初に関連しない被付加デバイスの選択を行い、
前記被付加デバイスを照明器具の前記第１のグループに付加することによって、新しいグループを決定し、
前記新しいグループのためのグループ割り当て情報を生成し、
前記通信インタフェースを介して、前記新しいグループの照明器具の前記第１のグループ及び前記被付加デバイスの各々に前記グループ割り当て情報を送信する、コンピュータで読み取り可能な媒体。
３１．請求項３０に記載のコンピュータで読み取り可能な媒体であって、
前記被付加デバイスは、第２の照明器具である、コンピュータで読み取り可能な媒体。
３２．請求項３１に記載のコンピュータで読み取り可能な媒体であって、
前記命令は、更に、前記制御回路に、前記第２の照明器具を選択すると、前記第２の照明器具の光出力を変更して、選択されていることを示す人間知覚可能フィードバックを提供するように前記通信インタフェースを介して前記第２の照明器具に指令させるように構成される、コンピュータで読み取り可能な媒体。
３３．請求項３０に記載のコンピュータで読み取り可能な媒体であって、
前記被付加デバイスは、第２のスイッチモジュールである、コンピュータで読み取り可能な媒体。
３４．請求項３３に記載のコンピュータで読み取り可能な媒体であって、
前記命令は、更に、前記制御回路に、前記第２のスイッチモジュールを選択すると、選択されていることを示す人間知覚可能フィードバックを提供するように、前記通信インタフェースを介して前記第２のスイッチモジュールに指令させるように構成される、コンピュータで読み取り可能な媒体。
３５．請求項３０に記載のコンピュータで読み取り可能な媒体であって、
前記第１の照明器具を選択するため、前記命令は、更に、前記制御回路に、
光源を介して光信号を提供させ、
前記通信インタフェースを介して前記複数の照明器具から光レベル信号を受信させ、ここで、前記複数の照明器具のうちの所定の照明器具についての前記光レベル情報は、前記光信号が前記所定の照明器具で受信された光レベルに関連し、
前記光レベル情報に基づいて、前記複数の照明器具のうちの被選択照明器具であって、前記第１の照明器具である、被選択照明器具を選択させるように構成される、コンピュータで読み取り可能な媒体。
である。
【０３４０】
本開示は、更に、以下を提供するが、以下に限定されない。
１．手持ち式デバイスであって、
複数の照明器具と無線通信するように構成される通信インタフェースと、
回路であって、
前記通信インタフェースを介して、照明器具の第１のグループにおける第１の照明器具の選択を行い、
前記第１の照明器具からの情報に基づいて照明器具の前記第１のグループを識別し、
照明器具の前記第１のグループについて新しい設定を決定し、
前記通信インタフェースを介して、照明器具の前記第１のグループの各々に前記新しい設定を送信するように構成され、ここで、照明器具の前記第１のグループは、協調方式で動作するように関連付けられる規定された複数の照明器具を含む、回路と
を備える、手持ち式デバイス。
２．請求項１に記載の手持ち式デバイスであって、
前記回路は、更に、前記新しい設定を決定する前に前記第１の照明器具から照明器具の前記第１のグループについての現在の設定を受信するように構成される、手持ち式デバイス。
３．請求項２に記載の手持ち式デバイスであって、
前記回路は、更に、照明器具の前記第１のグループについての前記現在の設定についての要求を前記第１の照明器具に送信し、それにより、前記現在の設定が、前記要求に応じて受信されるように構成される、手持ち式デバイス。
４．請求項２に記載の手持ち式デバイスであって、
更に、ユーザインタフェースを備え、
前記回路は、更に、前記現在の設定をユーザに提示し、前記ユーザから入力を受信し、それにより、前記新しい設定が少なくとも部分的に前記ユーザからの前記入力に基づくように構成される、手持ち式デバイス。
５．請求項１に記載の手持ち式デバイスであって、
前記回路は、更に、前記第１の照明器具を選択すると、照明器具の前記第１のグループの光出力を変更して、選択されていることを示す人間知覚可能フィードバックを提供するように、照明器具の前記第１のグループに指令するように構成される、手持ち式デバイス。
６．請求項１に記載の手持ち式デバイスであって、
前記新しい設定は、照明器具の前記第１のグループにおける各照明器具が、照明器具の前記第１のグループにおける少なくとも１つの照明器具によって検出される占有事象にどのように応答するかを決定する、手持ち式デバイス。
７．請求項１に記載の手持ち式デバイスであって、
前記新しい設定は、照明器具の前記第１のグループにおける各照明器具が、照明器具の前記第１のグループにおける少なくとも１つの照明器具によって検出される周囲光レベル測定値にどのように応答するかを決定する、手持ち式デバイス。
８．請求項１に記載の手持ち式デバイスであって、
前記新しい設定は、照明器具の前記第１のグループにおける各照明器具について光出力の色温度を決定する、手持ち式デバイス。
９．請求項１に記載の手持ち式デバイスであって、
前記新しい設定は、照明器具の前記第１のグループにおける各照明器具について光出力の色を決定する、手持ち式デバイス。
１０．請求項１に記載の手持ち式デバイスであって、
前記新しい設定は、照明器具の前記第１のグループにおける各照明器具について光出力レベルを決定する、手持ち式デバイス。
１１．請求項１に記載の手持ち式デバイスであって、
更に、光源を備え、
前記第１の照明器具を選択するために、前記回路は、更に、
前記光源を介して光信号を提供し、
前記通信インタフェースを介して前記複数の照明器具から光レベル情報を受信し、ここで、前記複数の照明器具のうちの所定の照明器具についての前記光レベル情報は、前記光信号が前記所定の照明器具で受信された光レベルに関連し、
前記光レベル情報に基づいて、前記複数の照明器具のうちの被選択照明器具であって、前記第１の照明器具である、被選択照明器具を選択するように構成される、手持ち式デバイス。
１２．手持ち式デバイスであって、
ユーザインタフェースと、
複数の照明器具と無線通信するように構成される通信インタフェースと、
回路であって、
前記通信インタフェースを介して、照明器具の第１のグループにおける第１の照明器具の選択を行い、
前記第１の照明器具からの情報に基づいて照明器具の前記第１のグループを識別し、
前記ユーザインタフェースを介して、ユーザから光出力設定を受信し、
前記通信インタフェースを介して、照明器具の前記第１のグループにおける各照明器具に前記光出力設定を送信し、ここで、照明器具の前記第１のグループにおける各照明器具は、前記光出力設定に基づいて照明器具の前記第１のグループ内における各照明器具の光出力を調整することになる、ように構成される回路と
を備える、手持ち式デバイス。
１３．請求項１２に記載の手持ち式デバイスであって、
前記光出力設定は、照明器具の前記第１のグループにおける各照明器具について前記光出力の色温度を決定する、手持ち式デバイス。
１４．請求項１２に記載の手持ち式デバイスであって、
前記光出力設定は、照明器具の前記第１のグループにおける各照明器具について前記光出力の色を決定する、手持ち式デバイス。
１５．請求項１２に記載の手持ち式デバイスであって、
前記光出力設定は、照明器具の前記第１のグループにおける各照明器具について光出力レベルを決定する、手持ち式デバイス。
１６．請求項１２に記載の手持ち式デバイスであって、
更に、光源を備え、
前記第１の照明器具を選択するために、前記回路は、更に、
前記光源を介して光信号を提供し、
前記通信インタフェースを介して前記複数の照明器具から光レベル情報を受信し、ここで、前記複数の照明器具のうちの所定の照明器具についての前記光レベル情報は、前記光信号が前記所定の照明器具で受信された光レベルに関連し、
前記光レベル情報に基づいて、前記複数の照明器具のうちの被選択照明器具であって、前記第１の照明器具である、被選択照明器具を選択するように構成される、手持ち式デバイス。
１７．命令を備えるコンピュータで読み取り可能な媒体であって、前記命令は、手持ち式デバイスの制御回路が
通信インタフェースを介して、照明器具の第１のグループにおける第１の照明器具の選択を行い、
前記第１の照明器具からの情報に基づいて照明器具の前記第１のグループを識別し、
照明器具の前記第１のグループについて新しい設定を決定し、
前記通信インタフェースを介して、照明器具の前記第１のグループの各々に前記新しい設定を送信し、ここで、照明器具の前記第１のグループは、協調方式で動作するように関連付けられる規定された複数の照明器具を含む
命令である、コンピュータで読み取り可能な媒体。
１８．請求項１７に記載のコンピュータで読み取り可能な媒体であって、
前記命令は、更に、前記制御回路に、前記新しい設定を決定する前に前記第１の照明器具から照明器具の前記第１のグループについての現在の設定を受信させるように構成される、コンピュータで読み取り可能な媒体。
１９．請求項１８に記載のコンピュータで読み取り可能な媒体であって、
前記命令は、更に、前記制御回路に、照明器具の前記第１のグループについての前記現在の設定についての要求を前記第１の照明器具に送信させ、それにより、前記現在の設定が、前記要求に応じて受信されるように構成される、コンピュータで読み取り可能な媒体。
２０．請求項１８に記載のコンピュータで読み取り可能な媒体であって、
前記命令は、更に、前記制御回路に、前記現在の設定をユーザに提示させ、前記ユーザから入力を受信させ、それにより、前記新しい設定が前記ユーザからの前記入力に少なくとも部分的に基づくように構成される、コンピュータで読み取り可能な媒体。
２１．請求項１７に記載のコンピュータで読み取り可能な媒体であって、
前記命令は、更に、前記制御回路に、前記第１の照明器具を選択すると、照明器具の前記第１のグループの光出力を変更して、選択されていることを示す人間知覚可能フィードバックを提供するように照明器具の前記第１のグループに指令させるように構成される、コンピュータで読み取り可能な媒体。
２２．請求項１７に記載のコンピュータで読み取り可能な媒体であって、
前記新しい設定は、照明器具の前記第１のグループにおける各照明器具が、照明器具の前記第１のグループにおける少なくとも１つの照明器具によって検出される占有事象にどのように応じるかを決定する、コンピュータで読み取り可能な媒体。
２３．請求項１７に記載のコンピュータで読み取り可能な媒体であって、
前記新しい設定は、照明器具の前記第１のグループにおける各照明器具が、照明器具の前記第１のグループにおける少なくとも１つの照明器具によって検出される周囲光レベル測定値にどのように応じるかを決定する、コンピュータで読み取り可能な媒体。
２４．請求項１７に記載のコンピュータで読み取り可能な媒体であって、
前記新しい設定は、照明器具の前記第１のグループにおける各照明器具について光出力の色温度を決定する、コンピュータで読み取り可能な媒体。
２５．請求項１７に記載のコンピュータで読み取り可能な媒体であって、
前記新しい設定は、照明器具の前記第１のグループにおける各照明器具について光出力の色を決定する、コンピュータで読み取り可能な媒体。
２６．請求項１７に記載のコンピュータで読み取り可能な媒体であって、
前記新しい設定は、照明器具の前記第１のグループにおける各照明器具について光出力レベルを決定する、コンピュータで読み取り可能な媒体。
２７．請求項１７に記載のコンピュータで読み取り可能な媒体であって、
前記第１の照明器具を選択するために、前記命令は、更に、前記制御回路に、
前記光源を介して光信号を提供させ、
前記通信インタフェースを介して照明器具の前記第１のグループから光レベル情報を受信させ、ここで、照明器具の前記第１のグループにおける所定の照明器具についての前記光レベル情報が、前記光信号が前記所定の照明器具で受信された光レベルに関連し、
前記光レベル情報に基づいて、照明器具の前記第１の照明器具のうちの被選択照明器具であって、前記第１の照明器具である、被選択照明器具を選択させるように構成される、コンピュータで読み取り可能な媒体。
【０３４１】
当業者は、本開示の実施形態に対する改良及び修正を認識するであろう。更に、本明細書で述べるプロセス及び機能の全ては、例えばメモリ、ソリッドステートドライブ、ハードドライブ、光ディスク等のような、コンピュータで読み取り可能な媒体上のソフトウェア命令として組み込まれてもよく、また、有線又は無線手段を介して、リモートデバイスから照明器具又は手持ち式デバイスにダウンロードされてもよい。全てのこうした改良及び修正は、本明細書に開示される概念の範囲内にあると考えられる。
【図１】
2017505974.tif 000011
【図２】
2017505974.tif 000012
【図３】
2017505974.tif 000013
【図４】
2017505974.tif 000014
【図５】
2017505974.tif 000015
【図６】
2017505974.tif 000016
【図７】
2017505974.tif 000017
【図８Ａ】
2017505974.tif 000018
【図８Ｂ】
2017505974.tif 000019
【図８Ｃ】
2017505974.tif 000020
【図８Ｄ】
2017505974.tif 000021
【図８Ｅ】
2017505974.tif 000022
【図９】
2017505974.tif 000023
【図１０】
2017505974.tif 000024
【図１１】
2017505974.tif 000025
【図１２】
2017505974.tif 000026
【図１３Ａ】
2017505974.tif 000027
【図１３Ｂ】
2017505974.tif 000028
【図１４】
2017505974.tif 000029
【図１５】
2017505974.tif 000030
【図１６】
2017505974.tif 000031
【図１７】
2017505974.tif 000032
【図１８】
2017505974.tif 000033
【図１９】
2017505974.tif 000034
【図２０】
2017505974.tif 000035
【図２１】
2017505974.tif 000036
【図２２】
2017505974.tif 000037
【図２３】
2017505974.tif 000038
【図２４】
2017505974.tif 000039
【図２５】
2017505974.tif 000040
【図２６】
2017505974.tif 000041
【図２７】
2017505974.tif 000042
【図２８】
2017505974.tif 000043
【図２９】
2017505974.tif 000044
【図３０】
2017505974.tif 000045
【図３１】
2017505974.tif 000046
【図３２】
2017505974.tif 000047
【図３３】
2017505974.tif 000048
【図３４】
2017505974.tif 000049
【図３５Ａ】
2017505974.tif 000050
【図３５Ｂ】
2017505974.tif 000051
【図３５Ｃ】
2017505974.tif 000052
【図３６】
2017505974.tif 000053
【図３７】
2017505974.tif 000054
【図３８】
2017505974.tif 000055
【図３９】
2017505974.tif 000056
【図４０】
2017505974.tif 000057
【図４１】
2017505974.tif 000058
【図４２】
2017505974.tif 000059
【図４３】
2017505974.tif 000060
【図４４】
2017505974.tif 000061
【図４５】
2017505974.tif 000062
【図４６】
2017505974.tif 000063
【図４７】
2017505974.tif 000064
【図４８】
2017505974.tif 000065
【図４９】
2017505974.tif 000066
【図５０Ａ】
2017505974.tif 000067
【図５０Ｂ】
2017505974.tif 000068
【図５１】
2017505974.tif 000069
【図５２】
2017505974.tif 000070
【図５３】
2017505974.tif 000071
【図５４Ａ】
2017505974.tif 000072
【図５４Ｂ】
2017505974.tif 000073
【図５５Ａ】
2017505974.tif 000074
【図５５Ｂ】
2017505974.tif 000075
【図５６】
2017505974.tif 000076
【図５７】
2017505974.tif 000077
【図５８】
2017505974.tif 000078
【図５９】
2017505974.tif 000079
【国際調査報告】
2017505974.tif 000080
2017505974.tif 000081
2017505974.tif 000082